(57)【要約】【課題】操作子の操作位置を元の操作位置に調整しやすくできる遊技機を提供すること。【解決手段】所定の部材を基準として遊技者に操作子の変位位置を認識させることができる。よって、遊技球の発射強度が所望の発射強度となる変位位置に操作子が調整された後に、例えば、遊技を中断し、操作子の変位位置が初期位置へ復帰された場合であっても、遊技者は、所定の部材を基準として、操作子の変位位置を元の変位位置（即ち、遊技を中断する前の変位位置）に調整する（復帰させる）ことができる。よって、操作子の変位位置を元の変位位置へ調整しやすくできる。【選択図】図５
2020018910.tif 000002
【特許請求の範囲】
【請求項１】
遊技者によって操作される操作装置を備え、その操作装置の操作量に応じて遊技球の発射強度が調整される遊技機において、
前記操作装置は、
遊技者の操作により変位される操作子と、
前記操作子の変位に連動して変位可能に形成される連動変位部と、
その連動変位部が前記操作子の変位に連動して変位されることを解除する連動解除手段と、を備え、前記操作子の変位量に応じて遊技球の発射強度が調整され、前記連動変位部を基準として遊技者が前記操作子の変位位置を認識可能に形成され、
前記操作子の変位に連動して変位することが前記連動解除手段により解除された前記連動変位部の変位位置に対し、前記操作子の変位位置が近接されると、その操作子を変位させる際の操作抵抗が変化されることを特徴とする遊技機。
【請求項２】
前記操作子の変位に連動して変位することが前記連動解除手段により解除された前記連動変位部の変位位置に対し、その連動変位部の変位位置を前記操作子が通過すると、その操作子を変位させる際の操作抵抗が変化されることを特徴とする請求項１記載の遊技機。
【請求項３】
前記操作子の変位に連動して変位することが前記連動解除手段により解除された前記連動変位部の変位位置に対し、前記操作子の変位位置が近接された場合のその操作子を変位させる際の操作抵抗の変化と、前記連動変位部の変位位置を前記操作子が通過する場合のその操作子を変位させる際の操作抵抗の変化とが異なるものであることを特徴とする請求項２記載の遊技機。
【発明の詳細な説明】
【技術分野】
【０００１】
本発明は、パチンコ機などの遊技機に関するものである。
【背景技術】
【０００２】
パチンコ機等の遊技機において、ハンドルベースにハンドル回動部が回動可能に取り付けられ、そのハンドル回動部の回動操作量に応じて、球の発射強度を調整するものがある。また、ハンドル回動部の回動操作により、所望の発射強度が得られた場合には、その発射強度を維持して、遊技者の疲れを軽減するべく、ハンドル回動部の回動を固定する構造のものがある。
【先行技術文献】
【特許文献】
【０００３】
【特許文献１】特開２０１２−００５７５９号公報
【発明の概要】
【発明が解決しようとする課題】
【０００４】
操作子（ハンドル回動部）には、付勢ばねによる付勢力が付与されており、遊技者が手を離すと、操作子の操作位置が初期位置へ復帰される。そのため、例えば、遊技を中断した場合には、操作子の操作位置を遊技を中断する前の元の操作位置に調整することが困難である。
【０００５】
本発明は、上記例示した問題点を解決するためになされたものであり、操作子の操作位置を元の操作位置に調整しやすくできる遊技機を提供することを目的とする。
【課題を解決するための手段】
【０００６】
この目的を達成するために請求項１記載の遊技機は、遊技者によって操作される操作装置を備え、その操作装置の操作量に応じて遊技球の発射強度が調整されるものであり、前記操作装置は、遊技者の操作により変位される操作子と、前記操作子の変位に連動して変位可能に形成される連動変位部と、その連動変位部が前記操作子の変位に連動して変位されることを解除する連動解除手段と、を備え、前記操作子の変位量に応じて遊技球の発射強度が調整され、前記連動変位部を基準として遊技者が前記操作子の変位位置を認識可能に形成され、前記操作子の変位に連動して変位することが前記連動解除手段により解除された前記連動変位部の変位位置に対し、前記操作子の変位位置が近接されると、その操作子を変位させる際の操作抵抗が変化される。
【０００７】
請求項２記載の遊技機は、請求項１記載の遊技機において、前記操作子の変位に連動して変位することが前記連動解除手段により解除された前記連動変位部の変位位置に対し、その連動変位部の変位位置を前記操作子が通過すると、その操作子を変位させる際の操作抵抗が変化される。
【０００８】
請求項３記載の遊技機は、請求項２記載の遊技機において、前記操作子の変位に連動して変位することが前記連動解除手段により解除された前記連動変位部の変位位置に対し、前記操作子の変位位置が近接された場合のその操作子を変位させる際の操作抵抗の変化と、前記連動変位部の変位位置を前記操作子が通過する場合のその操作子を変位させる際の操作抵抗の変化とが異なるものである。
【発明の効果】
【０００９】
請求項１記載の遊技機によれば、連動変位部を基準として遊技者に操作子の変位位置を認識させることができる。よって、遊技球の発射強度が所望の発射強度となる変位位置に操作子が調整された後に、例えば、遊技を中断するために、操作子の変位位置が初期位置へ復帰された場合、或いは、例えば、右打ちをするために、操作子の変位位置が最大変位位置へ変更された場合であっても、遊技者は、連動変位部を基準とする操作子の変位位置の認識に基づいて、操作子の変位位置を元の変位位置（即ち、遊技を中断する前や右打ちする前の変位位置）に調整する（復帰させる）ことができる。よって、操作子の変位位置を元の変位位置へ調整する操作を、正確かつ迅速に行うことができる。
【００１０】
この場合、連動変位部が操作子の変位に連動して変位されることを連動解除手段により解除することができる。即ち、連動変位部の変位が操作子の変位に連動することを連動解除手段により解除することで、連動変位部を、操作子の変位から切り離して、その切り離された際の変位位置に留まらせる（固定する）ことができる。これにより、遊技球の発射強度が所望の発射強度となる変位位置に操作子が調整された状態において、連動解除手段による解除を行うことで、連動変位部を所定の変位位置に留まらせて（固定して）おき、操作子を元の変位位置へ調整する（復帰させる）際の基準とすることができる。よって、操作子の変位位置を元の変位位置へ調整する際に、その調整操作を正確かつ迅速に行うことができる。
【００１１】
更に、操作子の変位に連動して変位することが連動解除手段により解除された連動変位部の変位位置に対し、操作子の変位位置が近接されると、その操作子を変位させる際の操作抵抗が変化されるので、操作子の変位位置を元の変位位置（即ち、連動変位部の変位位置）に調整する際には、連動変位部と操作子との相対的な位置関係を視認し続けてなくても、操作子が元の変位位置に近づいたことを、その操作抵抗の変化に基づいて遊技者に認識させることができる。これにより、操作子の変位位置を元の変位位置へ調整する際の操作性の向上と手間の軽減とを図ることができる。
【００１２】
請求項２記載の遊技機によれば、請求項１記載の遊技機の奏する効果に加え、操作子の変位に連動して変位することが連動解除手段により解除された連動変位部の変位位置に対し、その連動変位部の変位位置を操作子が通過すると、その操作子を変位させる際の操作抵抗が変化されるので、操作子の変位位置を元の変位位置（即ち、連動変位部の変位位置）に調整する際には、連動変位部と操作子との相対的な位置関係を視認し続けてなくても、操作子が元の変位位置を通過したことを、その操作抵抗の変化に基づいて遊技者に認識させることができる。これにより、操作子の変位位置を元の変位位置へ調整する際の操作性の向上と手間の軽減とを図ることができる。
【００１３】
請求項３記載の遊技機によれば、請求項２記載の遊技機の奏する効果に加え、操作子の変位に連動して変位することが連動解除手段により解除された連動変位部の変位位置に対し、連動変位部の変位位置に操作子が近接する際の操作抵抗の変化と、連動変位部の変位位置を操作子が通過する際の操作抵抗が変化とが異なるものとされるので、連動変位部と操作子との相対的な位置関係を視認し続けてなくても、操作子が元の変位位置に近づいたのか、或いは、元の変位位置を通過したのか、を遊技者に認識させることができる。これにより、操作子の変位位置を元の変位位置へ調整する際の操作性の向上と手間の軽減とを図ることができる。
【図面の簡単な説明】
【００１４】
【図１】第１実施形態におけるパチンコ機の正面図である。
【図２】パチンコ機の遊技盤の正面図である。
【図３】パチンコ機の背面図である。
【図４】パチンコ機の電気的構成を示すブロック図である。
【図５】（ａ）は、ハンドル装置の上面図であり、（ｂ）は、図５（ａ）の矢印Ｖｂ方向視におけるハンドル装置の側面図である。
【図６】図５（ａ）のＶＩ−ＶＩ線におけるハンドル装置の断面図である。
【図７】（ａ）は、下側ベースの側面図であり、（ｂ）は、図７（ａ）の矢印ＶＩＩｂ方向視における下側ベースの上面図であり、（ｃ）は、図７（ｂ）のＶＩＩｃ−ＶＩＩｃ線における下側ベースの断面図である。
【図８】（ａ）は、中間ベースの側面図であり、（ｂ）は、図８（ａ）の矢印ＶＩＩＩｂ方向視における中間ベースの上面図であり、（ｃ）は、図８（ｂ）のＶＩＩＩｃ−ＶＩＩＩｃ線における中間ベースの断面図である。
【図９】（ａ）は、上側ベースの側面図であり、（ｂ）は、図９（ａ）の矢印ＩＸｂ方向視における上側ベースの下面図であり、（ｃ）は、図９（ｂ）のＩＸｃ−ＩＸｃ線における上側ベースの断面図である。
【図１０】（ａ）及び（ｂ）は、回転軸部および操作子の部分断面側面図であり。
【図１１】（ａ）は、回転軸部の側面図であり、（ｂ）は、図１１（ａ）の矢印ＸＩｂ方向視における回転軸部の背面図であり、（ｃ）は、押上部材の部分断面背面図である。
【図１２】（ａ）は、図１１（ａ）の矢印ＸＩＩａ方向視における回転軸部の上面図であり、（ｂ）は、図１２（ａ）のＸＩＩｂ−ＸＩＩｂ線における回転軸部の断面図である。
【図１３】（ａ）は、操作子の側面図であり、（ｂ）は、図１３（ａ）の矢印ＸＩＩＩｂ方向視における操作子の上面図である。
【図１４】（ａ）は、図１３（ｂ）のＸＩＶａ−ＸＩＶａ線における操作子の部分拡大断面図であり、（ｂ）は、図１３（ｂ）のＸＩＶｂ−ＸＩＶｂ線における操作子の部分拡大断面図である。
【図１５】上側ベースに取り付けられた状態における連動変位部および押下部材の断面図である。
【図１６】（ａ）は、連動変位部の側面図であり、（ｂ）は、図１６（ａ）の矢印ＸＶＩｂ方向視における連動変位部の下面図である。
【図１７】（ａ）は、図１６（ａ）の矢印ＸＶＩＩａ方向視における連動変位部の上面図であり、（ｂ）は、図１７（ａ）のＸＶＩＩｂ−ＸＶＩＩｂ線における連動変位部の断面図である。
【図１８】（ａ）は、押下部材の側面図であり、（ｂ）は、図１８（ａ）の矢印ＸＶＩＩＩｂ方向視における押下部材の上面図である。
【図１９】（ａ）は、昇降部材の側面図であり、（ｂ）は、図１９（ａ）の矢印ＸＩＸｂ方向視における昇降部材の上面図である。
【図２０】回転軸部の円筒部分の内周面を平面に展開して図示した平面展開図である。
【図２１】図２０（ａ）における範囲ＸＸｂを部分的に拡大して図示した部分拡大展開図である。
【図２２】ハンドル装置の断面図である。
【図２３】ハンドル装置の断面図である。
【図２４】ハンドル装置の断面図である。
【図２５】ハンドル装置の断面図である。
【図２６】ハンドル装置の断面図である。
【図２７】（ａ）から（ｄ）は、ハンドル装置の上面模式図である。
【図２８】（ａ）から（ｄ）は、回転軸部および連動変位部の斜視模式図である。
【図２９】（ａ）は、第２実施形態における操作子の側面図であり、（ｂ）は、図２９（ａ）の矢印ＸＸＩＸｂ方向視における操作子の上面図である。
【図３０】（ａ）は、図２９（ｂ）のＸＸＸａ−ＸＸＸａ線における操作子の部分拡大断面図であり、（ｂ）は、図２９（ｂ）のＸＸＸｂ−ＸＸＸｂ線における操作子の部分拡大断面図である。
【図３１】第２実施形態におけるハンドル装置の断面図である。
【図３２】ハンドル装置の断面図である。
【図３３】ハンドル装置の断面図である。
【図３４】（ａ）から（ｃ）は、回転軸部および操作子の側面図である。
【図３５】回転軸部および第３実施形態における操作子の側面図である。
【図３６】回転軸部および操作子の側面図である。
【図３７】（ａ）及び（ｂ）は、第４実施形態における操作子および回転軸部の部分断面側面図である。
【図３８】（ａ）は、操作子の側面図であり、（ｂ）は、図３８（ａ）の矢印ＸＸＸＶＩＩＩｂ方向視における操作子の上面図である。
【図３９】（ａ）は、図３８（ｂ）のＸＸＸＩＸａ−ＸＸＸＩＸａ線における操作子の部分拡大断面図であり、（ｂ）は、図３８（ｂ）のＸＸＸＩＸｂ−ＸＸＸＩＸｂ線における操作子の部分拡大断面図である。
【図４０】ハンドル装置の断面図である。
【図４１】ハンドル装置の断面図である。
【図４２】ハンドル装置の断面図である。
【図４３】（ａ）は、第５実施形態におけるハンドル装置の上面図であり、（ｂ）は、図４３（ａ）の矢印ＸＬＩＩＩｂ方向視におけるハンドル装置の側面図である。
【図４４】ハンドル装置の部分断面側面図である。
【発明を実施するための形態】
【００１５】
以下、本発明の実施形態について、添付図面を参照して説明する。まず、図１から図を参照し、第１実施形態として、本発明をパチンコ遊技機（以下、単に「パチンコ機」という）１０に適用した場合の一実施形態について説明する。図１は、第１実施形態におけるパチンコ機１０の正面図であり、図２はパチンコ機１０の遊技盤１３の正面図であり、図３はパチンコ機１０の背面図である。
【００１６】
図１に示すように、パチンコ機１０は、略矩形状に組み合わせた木枠により外殻が形成される外枠１１と、その外枠１１と略同一の外形形状に形成され外枠１１に対して開閉可能に支持された内枠１２とを備えている。外枠１１には、内枠１２を支持するために正面視（図１参照）左側の上下２カ所に金属製のヒンジ１８が取り付けられ、そのヒンジ１８が設けられた側を開閉の軸として内枠１２が正面手前側へ開閉可能に支持されている。
【００１７】
内枠１２には、多数の釘や入賞口６３，６４等を有する遊技盤１３（図２参照）が裏面側から着脱可能に装着される。この遊技盤１３の前面を球（遊技球）が流下することにより弾球遊技が行われる。なお、内枠１２には、球を遊技盤１３の前面領域に発射する球発射ユニット１１２ａ（図４参照）やその球発射ユニット１１２ａから発射された球を遊技盤１３の前面領域まで誘導する発射レール（図示せず）等が取り付けられている。
【００１８】
内枠１２の前面側には、その前面上側を覆う前面枠１４と、その下側を覆う下皿ユニット１５とが設けられている。前面枠１４及び下皿ユニット１５を支持するために正面視（図１参照）左側の上下２カ所に金属製のヒンジ１９が取り付けられ、そのヒンジ１９が設けられた側を開閉の軸として前面枠１４及び下皿ユニット１５が正面手前側へ開閉可能に支持されている。なお、内枠１２の施錠と前面枠１４の施錠とは、シリンダ錠２０の鍵穴２１に専用の鍵を差し込んで所定の操作を行うことでそれぞれ解除される。
【００１９】
前面枠１４は、装飾用の樹脂部品や電気部品等を組み付けたものであり、その略中央部には略楕円形状に開口形成された窓部１４ｃが設けられている。前面枠１４の裏面側には２枚の板ガラスを有するガラスユニット１６が配設され、そのガラスユニット１６を介して遊技盤１３の前面がパチンコ機１０の正面側に視認可能となっている。
【００２０】
前面枠１４には、球を貯留する上皿１７が前方へ張り出して上面を開放した略箱状に形成されており、この上皿１７に賞球や貸出球などが排出される。上皿１７の底面は正面視（図１参照）右側に下降傾斜して形成され、その傾斜により上皿１７に投入された球が球発射ユニット１１２ａへと案内される。また、上皿１７の上面には、枠ボタン２２が設けられている。この枠ボタン２２は、例えば、第３図柄表示装置８１（図２参照）で表示される演出のステージを変更したり、スーパーリーチの演出内容を変更したりする場合などに、遊技者により操作される。
【００２１】
前面枠１４には、その周囲（例えばコーナー部分）に各種ランプ等の発光手段が設けられている。これら発光手段は、大当たり時や所定のリーチ時等における遊技状態の変化に応じて、点灯又は点滅することにより発光態様が変更制御され、遊技中の演出効果を高める役割を果たす。窓部１４ｃの周縁には、ＬＥＤ等の発光手段を内蔵した電飾部２９〜３３が設けられている。パチンコ機１０においては、これら電飾部２９〜３３が大当たりランプ等の演出ランプとして機能し、大当たり時やリーチ演出時等には内蔵するＬＥＤの点灯や点滅によって各電飾部２９〜３３が点灯または点滅して、大当たり中である旨、或いは大当たり一歩手前のリーチ中である旨が報知される。また、前面枠１４の正面視（図１参照）左上部には、ＬＥＤ等の発光手段が内蔵され賞球の払い出し中とエラー発生時とを表示可能な表示ランプ３４が設けられている。
【００２２】
また、右側の電飾部３２下側には、前面枠１４の裏面側を視認できるように裏面側より透明樹脂を取り付けて小窓３５が形成され、遊技盤１３前面の貼着スペースＫ１（図２参照）に貼付される証紙等はパチンコ機１０の前面から視認可能とされている。また、パチンコ機１０においては、より煌びやかさを醸し出すために、電飾部２９〜３３の周りの領域にクロムメッキを施したＡＢＳ樹脂製のメッキ部材３６が取り付けられている。
【００２３】
窓部１４ｃの下方には、貸球操作部４０が配設されている。貸球操作部４０には、度数表示部４１と、球貸しボタン４２と、返却ボタン４３とが設けられている。パチンコ機１０の側方に配置されるカードユニット（球貸しユニット）（図示せず）に紙幣やカード等を投入した状態で貸球操作部４０が操作されると、その操作に応じて球の貸出が行われる。具体的には、度数表示部４１はカード等の残額情報が表示される領域であり、内蔵されたＬＥＤが点灯して残額情報として残額が数字で表示される。球貸しボタン４２は、カード等（記録媒体）に記録された情報に基づいて貸出球を得るために操作されるものであり、カード等に残額が存在する限りにおいて貸出球が上皿１７に供給される。返却ボタン４３は、カードユニットに挿入されたカード等の返却を求める際に操作される。なお、カードユニットを介さずに球貸し装置等から上皿１７に球が直接貸し出されるパチンコ機、いわゆる現金機では貸球操作部４０が不要となるが、この場合には、貸球操作部４０の設置部分に飾りシール等を付加して部品構成は共通のものとしても良い。カードユニットを用いたパチンコ機と現金機との共通化を図ることができる。
【００２４】
上皿１７の下側に位置する下皿ユニット１５には、その中央部に上皿１７に貯留しきれなかった球を貯留するための下皿５０が上面を開放した略箱状に形成されている。下皿５０の右側には、球を遊技盤１３の前面へ打ち込むために遊技者によって操作されるハンドル装置５１が配設される。
【００２５】
ハンドル装置５１には、球発射ユニット１１２ａの駆動を許可するためのタッチセンサと、押下操作している期間中には球の発射を停止する発射停止スイッチ８９１と、押下操作している期間中には球の発射強度を最大とする右打ちスイッチ８９２と、ハンドル装置５１（操作子８００）のスライド操作量（スライド方向での変位位置）を電気抵抗の変化により検出する可変抵抗器（図示せず）などが配設される。
【００２６】
ハンドル装置５１の操作子８００が遊技者によって右方向（矢印Ｉ方向、図５（ａ）参照）にスライド変位（スライド操作）されると、タッチセンサがオンされると共に可変抵抗器の抵抗値がスライド操作量に対応して変化し、その可変抵抗器の抵抗値に対応した強さ（発射強度）で球が発射され、これにより遊技者の操作に対応した飛び量で遊技盤１３の前面へ球が打ち込まれる。また、ハンドル装置５１が遊技者により操作されていない状態においては、タッチセンサ、発射停止スイッチ８９１及び右打ちスイッチ８９２がオフとなっている。
【００２７】
下皿５０の正面下方部には、下皿５０に貯留された球を下方へ排出する際に操作するための球抜きレバー５２が設けられている。この球抜きレバー５２は、常時、右方向に付勢されており、その付勢に抗して左方向へスライドさせることにより、下皿５０の底面に形成された底面口が開口して、その底面口から球が自然落下して排出される。この球抜きレバー５２の操作は、通常、下皿５０の下方に下皿５０から排出された球を受け取る箱（一般に「千両箱」と称される）を置いた状態で行われる。下皿５０の右方には、上述したようにハンドル装置５１が配設され、下皿５０の左方には灰皿５３が取り付けられている。
【００２８】
図２に示すように、遊技盤１３は、正面視略正方形状に切削加工した木製のベース板６０に、球案内用の多数の釘（図示せず）や風車の他、レール６１，６２、一般入賞口６３、第１入球口６４、第２入球口６４０、第１可変入賞装置６５、第２可変入賞装置６５０、第１スルーゲート６７、第２スルーゲート６７０、可変表示装置ユニット８０等を組み付けて構成され、その周縁部が内枠１２（図１参照）の裏面側に取り付けられる。一般入賞口６３、第１入球口６４、第２入球口６４０、第１可変入賞装置６５、第２可変入賞装置６５０、可変表示装置ユニット８０は、ルータ加工によってベース板６０に形成された貫通穴に配設され、遊技盤１３の前面側から木ネジ等により固定されている。
【００２９】
遊技盤１３の前面中央部分は、前面枠１４の窓部１４ｃ（図１参照）を通じて内枠１２の前面側から視認することができる。以下に、主に図２を参照して、遊技盤１３の構成について説明する。
【００３０】
遊技盤１３の前面には、帯状の金属板を略円弧状に屈曲加工して形成した外レール６２が植立され、その外レール６２の内側位置には外レール６２と同様に帯状の金属板で形成した円弧状の内レール６１が植立される。この内レール６１と外レール６２とにより遊技盤１３の前面外周が囲まれ、遊技盤１３とガラスユニット１６（図１参照）とにより前後が囲まれることにより、遊技盤１３の前面には、球の挙動により遊技が行われる遊技領域が形成される。遊技領域は、遊技盤１３の前面であって２本のレール６１，６２と円弧部材７０とにより区画して形成される略円形状の領域（入賞口等が配設され、発射された球が流下する領域）である。
【００３１】
２本のレール６１，６２は、球発射ユニット１１２ａ（図４参照）から発射された球を遊技盤１３上部へ案内するために設けられたものである。内レール６１の先端部分（図２の左上部）には戻り球防止部材６８が取り付けられ、一旦、遊技盤１３の上部へ案内された球が再度球案内通路内に戻ってしまうといった事態が防止される。外レール６２の先端部（図２の右上部）には、球の最大飛翔部分に対応する位置に返しゴム６９が取り付けられ、所定以上の勢いで発射された球は、返しゴム６９に当たって、勢いが減衰されつつ中央部側へ跳ね返される。また、内レール６１の右下側の先端部と外レール６２の右上側の先端部との間には、レール間を繋ぐ円弧を内面側に設けて形成された樹脂製の円弧部材７０がベース板６０に打ち込んで固定されている。
【００３２】
遊技領域の正面視右側上部（図２の右側上部）には、２つの第１図柄表示装置３７Ａ，３７Ｂが配設されている。第１図柄表示装置３７Ａには、発光手段である複数のＬＥＤ３７Ａａと７セグメント表示器３７Ａｂとが設けられている。他方の第１図柄表示装置３７Ｂもまた同様に、発光手段である複数のＬＥＤ３７Ｂａと７セグメント表示器３７Ｂｂとが設けられている。
【００３３】
第１図柄表示装置３７Ａ，３７Ｂは、主制御装置１１０で行われる各制御に応じた表示がなされるものであり、主にパチンコ機１０の遊技状態の表示が行われる。本実施形態では、これらの第１図柄表示装置３７Ａ，３７Ｂは、球が、第１入球口６４へ入賞したか、第２入球口６４０へ入賞したかに応じて使い分けられるように構成されている。具体的には、球が、第１入球口６４へ入賞した場合には、第１図柄表示装置３７Ａが作動し、一方で、球が、第２入球口６４０へ入賞した場合には、第１図柄表示装置３７Ｂが作動するように構成されている。
【００３４】
複数のＬＥＤ３７Ａａ，３７Ｂａは、いずれも、パチンコ機１０が確変中か時短中か通常中であるかを点灯状態により示したり、変動中であるか否かを点灯状態により示したり、停止図柄が確変大当たりに対応した図柄か普通大当たりに対応した図柄か外れ図柄であるかを点灯状態により示したり、保留球数を点灯状態により示すものである。７セグメント表示装置３７Ａｂ，３７Ｂｂは、いずれも、大当たり中のラウンド数やエラー表示を行うものである。なお、ＬＥＤ３７Ａａ，３７Ｂａは、それぞれのＬＥＤの発光色（例えば、赤、緑、青）が異なるよう構成され、その発光色の組み合わせにより、少ないＬＥＤでパチンコ機１０の各種遊技状態を示唆することができる。
【００３５】
尚、本パチンコ機１０では、第１入球口６４及び第２入球口６４０へ入球があったことを契機として抽選が行われる。パチンコ機１０は、その抽選において、大当たりか否かの当否判定（大当たり抽選）を行うと共に、大当たりと判定した場合はその大当たり種別の判定も行う。ここで判定される大当たり種別としては、１５Ｒ確変大当たり、４Ｒ確変大当たり、１５Ｒ通常大当たりが用意されている。ＬＥＤ３７Ａａ，３７Ｂａには、変動終了後の停止図柄として抽選の結果が大当たりであるか否かが示されるだけでなく、大当たりである場合はその大当たり種別に応じた図柄が示される。
【００３６】
ここで、「１５Ｒ確変大当たり」とは、最大ラウンド数が１５ラウンドの大当たりの後に高確率状態へ移行する確変大当たりのことであり、「４Ｒ確変大当たり」とは、最大ラウンド数が４ラウンドの大当たりの後に高確率状態へ移行する確変大当たりのことである。また、「１５Ｒ通常大当たり」は、最大ラウンド数が１５ラウンドの大当たりの後に、低確率状態へ移行すると共に、所定の変動回数の間（例えば、１００変動回数）は時短状態となる大当たりのことである。
【００３７】
また、「高確率状態」とは、大当たり終了後に付加価値としてその後の大当たり確率がアップした状態、いわゆる確率変動中（確変中）の時をいい、換言すれば、特別遊技状態へ移行し易い遊技の状態のことである。本実施形態における高確率状態（確変中）は、後述する第２図柄の当たり確率がアップして第２入球口６４０へ球が入球し易い遊技の状態を含む。「低確率状態」とは、確変中でない時をいい、大当たり確率が通常の状態、即ち、確変の時より大当たり確率が低い状態をいう。また、「低確率状態」のうちの時短状態（時短中）とは、大当たり確率が通常の状態であると共に、大当たり確率がそのままで第２図柄の当たり確率のみがアップして第２入球口６４０へ球が入球し易い遊技の状態のことをいう。一方、パチンコ機１０が通常中とは、確変中でも時短中でもない遊技の状態（大当たり確率も第２図柄の当たり確率もアップしていない状態）である。
【００３８】
確変中や時短中は、第２図柄の当たり確率がアップするだけではなく、第２入球口６４０に付随する電動役物６４０ａが開放される時間も変更され、通常中と比して長い時間が設定される。電動役物６４０ａが開放された状態（開放状態）にある場合は、その電動役物６４０ａが閉鎖された状態（閉鎖状態）にある場合と比して、第２入球口６４０へ球が入球しやすい状態となる。よって、確変中や時短中は、第２入球口６４０へ球が入球し易い状態となり、大当たり抽選が行われる回数を増やすことができる。
【００３９】
なお、確変中や時短中において、第２入球口６４０に付随する電動役物６４０ａの開放時間を変更するのではなく、または、その開放時間を変更することに加えて、１回の当たりで電動役物６４０ａが開放する回数を通常中よりも増やす変更を行うものとしてもよい。また、確変中や時短中において、第２図柄の当たり確率は変更せず、第２入球口６４０に付随する電動役物６４０ａが開放される時間および１回の当たりで電動役物６４０ａが開放する回数の少なくとも一方を変更するものとしてもよい。また、確変中や時短中において、第２入球口６４０に付随する電動役物６４０ａが開放される時間や、１回の当たりで電動役物６４０ａを開放する回数はせず、第２図柄の当たり確率だけを、通常中と比してアップするよう変更するものであってもよい。
【００４０】
遊技領域には、球が入賞することにより５個から１５個の球が賞球として払い出される複数の一般入賞口６３が配設されている。また、遊技領域の中央部分には、可変表示装置ユニット８０が配設されている。可変表示装置ユニット８０には、第１入球口６４及び第２入球口６４０への入球（始動入賞）をトリガとして、第１図柄表示装置３７Ａ，３７Ｂにおける変動表示と同期させながら、第３図柄の変動表示を行う液晶ディスプレイ（以下単に「表示装置」と略す）で構成された第３図柄表示装置８１と、第１スルーゲート６７及び第２スルーゲート６７０の球の通過をトリガとして第２図柄を変動表示するＬＥＤで構成される第２図柄表示装置８３とが設けられている。また、可変表示装置ユニット８０には、第３図柄表示装置８１の外周を囲むようにして、センターフレーム８６が配設されている。
【００４１】
第３図柄表示装置８１は８インチサイズの大型の液晶ディスプレイで構成されるものであり、表示制御装置１１４（図４参照）によって表示内容が制御されることにより、例えば上、中及び下の３つの図柄列が表示される。各図柄列は複数の図柄（第３図柄）によって構成され、これらの第３図柄が図柄列毎に横スクロールして第３図柄表示装置８１の表示画面上にて第３図柄が可変表示されるようになっている。本実施形態の第３図柄表示装置８１は、主制御装置１１０（図４参照）の制御に伴った遊技状態の表示が第１図柄表示装置３７で行われるのに対して、その第１図柄表示装置３７の表示に応じた装飾的な表示を行うものである。なお、表示装置に代えて、例えばリール等を用いて第３図柄表示装置８１を構成するようにしても良い。
【００４２】
第２図柄表示装置８３は、球が第１スルーゲート６７及び第２スルーゲート６７０を通過する毎に表示図柄（第２図柄）としての「○」の図柄と「×」の図柄とを所定時間交互に点灯させる変動表示を行うものである。パチンコ機１０では、球が第１スルーゲート６７又は第２スルーゲート６７０を通過したことが検出されと、当たり抽選が行われる。その当たり抽選の結果、当たりであれば、第２図柄表示装置８３において、第２図柄の変動表示後に「○」の図柄が停止表示される。また、当たり抽選の結果、外れであれば、第２図柄表示装置８３において、第３図柄の変動表示後に「×」の図柄が停止表示される。
【００４３】
パチンコ機１０は、第２図柄表示装置８３における変動表示が所定図柄（本実施形態においては「○」の図柄）で停止した場合に、第２入球口６４０に付随された電動役物６４０ａが所定時間だけ作動状態となる（開放される）よう構成されている。
【００４４】
第２図柄の変動表示にかかる時間は、遊技状態が通常中の場合よりも、確変中または時短中の方が短くなるように設定される。これにより、確変中および時短中は、第２図柄の変動表示が短い時間で行われるので、当たり抽選を通常中よりも多く行うことができる。よって、当たり抽選において当たりとなる機会が増えるので、第２入球口６４０の電動役物６４０ａが開放状態となる機会を遊技者に多く与えることができる。よって、確変中および時短中は、第２入球口６４０へ球が入球しやすい状態とすることができる。
【００４５】
なお、確変中または時短中において、当たり確率を高める、１回に当たりに対する電動役物６４０ａの開放時間や開放回数を増やすなど、その他の方法によっても、確変中または時短中に第２入球口６４０へ球が入球しやすい状態としている場合は、第２図柄の変動表示にかかる時間を遊技状態にかかわらず一定としてもよい。一方、第２図柄の変動表示にかかる時間を、確変中または時短中において通常中よりも短く設定する場合は、当たり確率を遊技状態にかかわらず一定にしてもよいし、また、１回の当たりに対する電動役物６４０ａの開放時間や開放回数を遊技状態にかかわらず一定にしてもよい。
【００４６】
第１スルーゲート６７は、可変表示装置ユニット８０の左方において遊技盤に組み付けられ、遊技盤に発射された球のうち、遊技盤の左方を流下する球の一部が通過可能に構成されている。また、第２スルーゲート６７０は、可変表示装置ユニット８０の右方において遊技盤に組み付けられ、遊技盤に発射された球のうち、遊技盤の右方を流下する球の一部が通過可能に構成されている。第１スルーゲート６７又は第２スルーゲート６７０を球が通過すると、第２図柄の当たり抽選が行われる。当たり抽選の後、第２図柄表示装置８３にて変動表示を行い、当たり抽選の結果が当たりであれば、変動表示の停止図柄として「○」の図柄を表示し、当たり抽選の結果が外れであれば、変動表示の停止図柄として「×」の図柄を表示する。
【００４７】
球の第１スルーゲート６７及び第２スルーゲート６７０の通過回数は、合計で最大４回まで保留され、その保留球数が上述した第１図柄表示装置３７により表示されると共に第２図柄保留ランプ８４においても点灯表示される。第２図柄保留ランプ８４は、最大保留数分の４つ設けられ、第３図柄表示装置８１の下方に左右対称に配設されている。
【００４８】
なお、第２図柄の変動表示は、本実施形態のように、第２図柄表示装置８３において複数のランプの点灯と非点灯を切り換えることにより行うものの他、第１図柄表示装置３７及び第３図柄表示装置８１の一部を使用して行うようにしても良い。同様に、第２図柄保留ランプ８４の点灯を第３図柄表示装置８１の一部で行うようにしても良い。また、第１スルーゲート６７及び第２スルーゲート６７０の球の通過に対する最大保留球数は４回に限定されるものでなく、３回以下、又は、５回以上の回数（例えば、８回）に設定しても良い。また、第１図柄表示装置３７により保留球数が示されるので、第２図柄保留ランプ８４により点灯表示を行わないものとしてもよい。
【００４９】
可変表示装置ユニット８０の下方には、球が入球し得る第１入球口６４が配設されている。この第１入球口６４へ球が入球すると遊技盤１３の裏面側に設けられる第１入球口スイッチ（図示せず）がオンとなり、その第１入球口スイッチのオンに起因して主制御装置１１０（図４参照）で大当たりの抽選がなされ、その抽選結果に応じた表示が第１図柄表示装置３７ＡのＬＥＤ３７Ａａで示される。
【００５０】
一方、可変表示装置ユニット８０の正面視右方には、球が入球し得る第２入球口６４０が配設されている。この第２入球口６４０へ球が入球すると遊技盤１３の裏面側に設けられる第２入球口スイッチ（図示せず）がオンとなり、その第２入球口スイッチのオンに起因して主制御装置１１０（図４参照）で大当たりの抽選がなされ、その抽選結果に応じた表示が第１図柄表示装置３７ＢのＬＥＤ３７Ｂａで示される。
【００５１】
また、第１入球口６４および第２入球口６４０は、それぞれ、球が入球すると５個の球が賞球として払い出される入賞口の１つにもなっている。なお、本実施形態においては、第１入球口６４へ球が入球した場合に払い出される賞球数と第２入球口６４０へ球が入球した場合に払い出される賞球数とを同じに構成したが、第１入球口６４へ球が入球した場合に払い出される賞球数と第２入球口６４０へ球が入球した場合に払い出される賞球数とを異なる数、例えば、第１入球口６４へ球が入球した場合に払い出される賞球数を３個とし、第２入球口６４０へ球が入球した場合に払い出される賞球数を５個として構成してもよい。
【００５２】
第２入球口６４０には電動役物６４０ａが付随されている。この電動役物６４０ａは開閉可能に構成されており、通常は電動役物６４０ａが閉鎖状態（縮小状態）となって、球が第２入球口６４０へ入球しにくい状態となっている。一方、第１スルーゲート６７及び第２スルーゲート６７０への球の通過を契機として行われる第２図柄の変動表示の結果、「○」の図柄が第２図柄表示装置８３に表示された場合、電動役物６４０ａが開放状態（拡大状態）となり、球が第２入球口６４０へ入球しやすい状態となる。
【００５３】
上述した通り、確変中および時短中は、通常中と比して第２図柄の当たり確率が高く、また、第２図柄の変動表示にかかる時間も短いので、第２図柄の変動表示において「○」の図柄が表示され易くなって、電動役物６４０ａが開放状態（拡大状態）となる回数が増える。更に、確変中および時短中は、電動役物６４０ａが開放される時間も、通常中より長くなる。よって、確変中および時短中は、通常時と比して、第２入球口６４０へ球が入球しやすい状態を作ることができる。
【００５４】
ここで、第１入球口６４に球が入球した場合と第２入球口６４０へ球が入球した場合とで、大当たりとなる確率は、低確率状態であっても高確率状態でも同一である。しかしながら、大当たりとなった場合に選定される大当たりの種別として１５Ｒ確変大当たりとなる確率は、第２入球口６４０へ球が入球した場合のほうが第１入球口６４へ球が入球した場合よりも高く設定されている。一方、第１入球口６４は、第２入球口６４０にあるような電動役物は有しておらず、球が常時入球可能な状態となっている。
【００５５】
よって、通常中においては、第２入球口６４０に付随する電動役物が閉鎖状態にある場合が多く、第２入球口６４０に入球しづらいので、電動役物のない第１入球口６４へ向けて、可変表示装置ユニット８０の左方を球が通過するように球を発射し（所謂「左打ち」）、第１入球口６４への入球によって大当たり抽選の機会を多く得て、大当たりとなることを狙った方が、遊技者にとって有利となる。
【００５６】
一方、確変中や時短中は、第２入球口６４０に付随する電動役物が開放状態となりやすく、第２入球口６４０に入球しやすい状態であるので、第２入球口６４０へ向けて、可変表示装置８０の右方を球が通過するように球を発射し（所謂「右打ち」）、第２入球口６４０への入球によって１５Ｒ確変大当たりとなることを狙った方が、遊技者にとって有利となる。
【００５７】
このように、本実施形態のパチンコ機１０は、パチンコ機１０の遊技状態（確変中であるか、時短中であるか、通常中であるか）に応じて、遊技者に対し、球の発射の仕方を「左打ち」と「右打ち」とに変えさせることができる。よって、遊技者に対して、球の打ち方に変化をもたらすことができるので、遊技を楽しませることができる。
【００５８】
第１入球口６４の下方には第１可変入賞装置６５が配設されており、その略中央部分に横長矩形状の特定入賞口（大開放口）６５ａが設けられている。パチンコ機１０においては、第１入球口６４への入球に起因して行われた大当たり抽選が大当たりとなると、所定時間（変動時間）が経過した後に、大当たりの停止図柄となるよう第１図柄表示装置３７ＡのＬＥＤ３７Ａａを点灯させると共に、その大当たりに対応した停止図柄を第３図柄表示装置８１に表示させて、大当たりの発生が示される。その後、球が入賞し易い特別遊技状態（大当たり）に遊技状態が遷移する。この特別遊技状態として、通常時には閉鎖されている特定入賞口６５ａが、所定時間（例えば、３０秒経過するまで、或いは、球が１０個入賞するまで）開放される。
【００５９】
また、第２入球口６４０の下方には第２可変入賞装置６５０が配設されており、その略中央部分に横長矩形状の特定入賞口（大開放口）６５０ａが設けられている。パチンコ機１０においては、第２入球口６４０への入球に起因して行われた大当たり抽選が大当たりとなると、所定時間（変動時間）が経過した後に、大当たりの停止図柄となるよう第１図柄表示装置３７ＢのＬＥＤ３７Ｂａを点灯させると共に、その大当たりに対応した停止図柄を第３図柄表示装置８１に表示させて、大当たりの発生が示される。その後、球が入賞し易い特別遊技状態（大当たり）に遊技状態が遷移する。この特別遊技状態として、通常時には閉鎖されている特定入賞口６５０ａが、所定時間（例えば、３０秒経過するまで、或いは、球が１０個入賞するまで）開放される。
【００６０】
この特定入賞口６５ａ，６５０ａは、いずれも所定時間が経過すると閉鎖され、その閉鎖後、再度、その特定入賞口６５ａ，６５０ａが所定時間開放される。この特定入賞口６５ａ，６５０ａの開閉動作は、最高で例えば１５回（１５ラウンド）繰り返し可能にされている。この開閉動作が行われている状態が、遊技者にとって有利な特別遊技状態の一形態であり、遊技者には、遊技上の価値（遊技価値）の付与として通常時より多量の賞球の払い出しが行われる。
【００６１】
第１可変入賞装置６５及び第２可変入賞装置６５０は、具体的には、特定入賞口６５ａ又は特定入賞口６５０ａを覆う横長矩形状の開閉板と、その開閉板の下辺を軸として前方側に開閉駆動するための大開放口ソレノイド（図示せず）とをいずれも備えている。特定入賞口６５ａ，６５０ａは、通常時は、球が入賞できないか又は入賞し難い閉状態になっている。大当たりの際には大開放口ソレノイドを駆動して開閉板を前面下側に傾倒し、球が特定入賞口６５ａに入賞しやすい開状態を一時的に形成し、その開状態と通常時の閉状態との状態を交互に繰り返すように作動する。
【００６２】
なお、上記した形態に特別遊技状態は限定されるものではない。特定入賞口６５ａ，６５０ａとは別に開閉される大開放口を遊技領域に設け、第１図柄表示装置３７Ａ，３７Ｂにおいて大当たりに対応したＬＥＤ３７Ａａ，ＬＥＤ３７Ｂａが点灯した場合に、特定入賞口６５ａ，６５０ａが所定時間開放され、その特定入賞口６５ａ，６５０ａの開放中に、球が特定入賞口６５ａ，６５０ａ内へ入賞することを契機として特定入賞口６５ａ，６５０ａとは別に設けられた大開放口が所定時間、所定回数開放される遊技状態を特別遊技状態として形成するようにしても良い。
【００６３】
遊技盤１３の下側における左右の隅部には、証紙や識別ラベル等を貼着するための貼着スペースＫ１，Ｋ２が設けられ、貼着スペースＫ１に貼られた証紙等は、前面枠１４の小窓３５（図１参照）を通じて視認することができる。
【００６４】
更に、遊技盤１３には、アウト口６６が設けられている。いずれの入賞口６３，６４，６５ａ，６４０，６５０ａにも入球しなかった球はアウト口６６を通って図示しない球排出路へと案内される。遊技盤１３には、球の落下方向を適宜分散、調整等するために多数の釘が植設されているとともに、風車等の各種部材（役物）が配設されている。
【００６５】
図３に示すように、パチンコ機１０の背面側には、制御基板ユニット９０，９１と、裏パックユニット９４とが主に備えられている。制御基板ユニット９０は、主基板（主制御装置１１０）と音声ランプ制御基板（音声ランプ制御装置１１３）と表示制御基板（表示制御装置１１４）とが搭載されてユニット化されている。制御基板ユニット９１は、払出制御基板（払出制御装置１１１）と発射制御基板（発射制御装置１１２）と電源基板（電源装置１１５）とカードユニット接続基板１１６とが搭載されてユニット化されている。
【００６６】
裏パックユニット９４は、保護カバー部を形成する裏パック９２と払出ユニット９３とがユニット化されている。また、各制御基板には、各制御を司る１チップマイコンとしてのＭＰＵ、各種機器との連絡をとるポート、各種抽選の際に用いられる乱数発生器、時間計数や同期を図る場合などに使用されるクロックパルス発生回路等が、必要に応じて搭載されている。
【００６７】
なお、主制御装置１１０、音声ランプ制御装置１１３及び表示制御装置１１４、払出制御装置１１１及び発射制御装置１１２、電源装置１１５、カードユニット接続基板１１６は、それぞれ基板ボックス１００〜１０４に収納されている。基板ボックス１００〜１０４は、ボックスベースと該ボックスベースの開口部を覆うボックスカバーとを備えており、そのボックスベースとボックスカバーとが互いに連結されて、各制御装置や各基板が収納される。
【００６８】
また、基板ボックス１００（主制御装置１１０）及び基板ボックス１０２（払出制御装置１１１及び発射制御装置１１２）は、ボックスベースとボックスカバーとを封印ユニット（図示せず）によって開封不能に連結（かしめ構造による連結）している。また、ボックスベースとボックスカバーとの連結部には、ボックスベースとボックスカバーとに亘って封印シール（図示せず）が貼着されている。この封印シールは、脆性な素材で構成されており、基板ボックス１００，１０２を開封するために封印シールを剥がそうとしたり、基板ボックス１００，１０２を無理に開封しようとすると、ボックスベース側とボックスカバー側とに切断される。よって、封印ユニット又は封印シールを確認することで、基板ボックス１００，１０２が開封されたかどうかを知ることができる。
【００６９】
払出ユニット９３は、裏パックユニット９４の最上部に位置して上方に開口したタンク１３０と、タンク１３０の下方に連結され下流側に向けて緩やかに傾斜するタンクレール１３１と、タンクレール１３１の下流側に縦向きに連結されるケースレール１３２と、ケースレール１３２の最下流部に設けられ、払出モータ２１６（図４参照）の所定の電気的構成により球の払出を行う払出装置１３３とを備えている。タンク１３０には、遊技ホールの島設備から供給される球が逐次補給され、払出装置１３３により必要個数の球の払い出しが適宜行われる。タンクレール１３１には、当該タンクレール１３１に振動を付加するためのバイブレータ１３４が取り付けられている。
【００７０】
また、払出制御装置１１１には状態復帰スイッチ１２０が設けられ、発射制御装置１１２には可変抵抗器の操作つまみ１２１が設けられ、電源装置１１５にはＲＡＭ消去スイッチ１２２が設けられている。状態復帰スイッチ１２０は、例えば、払出モータ２１６（図４参照）部の球詰まり等、払出エラーの発生時に球詰まりを解消（正常状態への復帰）するために操作される。操作つまみ１２１は、発射ソレノイドの発射力を調整するために操作される。ＲＡＭ消去スイッチ１２２は、パチンコ機１０を初期状態に戻したい場合に電源投入時に操作される。
【００７１】
次に、図４を参照して、本パチンコ機１０の電気的構成について説明する。図４は、パチンコ機１０の電気的構成を示すブロック図である。
【００７２】
主制御装置１１０には、演算装置である１チップマイコンとしてのＭＰＵ２０１が搭載されている。ＭＰＵ２０１には、該ＭＰＵ２０１により実行される各種の制御プログラムや固定値データを記憶したＲＯＭ２０２と、そのＲＯＭ２０２内に記憶される制御プログラムの実行に際して各種のデータ等を一時的に記憶するためのメモリであるＲＡＭ２０３と、そのほか、割込回路やタイマ回路、データ送受信回路などの各種回路が内蔵されている。主制御装置１１０では、ＭＰＵ２０１によって、大当たり抽選や第１図柄表示装置３７および第３図柄表示装置８１における表示の設定、第２図柄表示装置８３における表示結果の抽選といったパチンコ機１０の主要な処理を実行する。
【００７３】
なお、払出制御装置１１１や音声ランプ制御装置１１３などのサブ制御装置に対して動作を指示するために、主制御装置１１０から該サブ制御装置へ各種のコマンドがデータ送受信回路によって送信されるが、かかるコマンドは、主制御装置１１０からサブ制御装置へ一方向にのみ送信される。
【００７４】
ＲＡＭ２０３は、各種エリア、カウンタ、フラグのほか、ＭＰＵ２０１の内部レジスタの内容やＭＰＵ２０１により実行される制御プログラムの戻り先番地などが記憶されるスタックエリアと、各種のフラグおよびカウンタ、Ｉ／Ｏ等の値が記憶される作業エリア（作業領域）とを有している。なお、ＲＡＭ２０３は、パチンコ機１０の電源の遮断後においても電源装置１１５からバックアップ電圧が供給されてデータを保持（バックアップ）できる構成となっており、ＲＡＭ２０３に記憶されるデータは、すべてバックアップされる。
【００７５】
停電などの発生により電源が遮断されると、その電源遮断時（停電発生時を含む。以下同様）のスタックポインタや、各レジスタの値がＲＡＭ２０３に記憶される。一方、電源投入時（停電解消による電源投入を含む。以下同様）には、ＲＡＭ２０３に記憶される情報に基づいて、パチンコ機１０の状態が電源遮断前の状態に復帰される。ＲＡＭ２０３への書き込みはメイン処理（図示せず）によって電源遮断時に実行され、ＲＡＭ２０３に書き込まれた各値の復帰は電源投入時の立ち上げ処理（図示せず）において実行される。なお、ＭＰＵ２０１のＮＭＩ端子（ノンマスカブル割込端子）には、停電等の発生による電源遮断時に、停電監視回路２５２からの停電信号ＳＧ１が入力されるように構成されており、その停電信号ＳＧ１がＭＰＵ２０１へ入力されると、停電時処理としてのＮＭＩ割込処理（図示せず）が即座に実行される。
【００７６】
主制御装置１１０のＭＰＵ２０１には、アドレスバス及びデータバスで構成されるバスライン２０４を介して入出力ポート２０５が接続されている。入出力ポート２０５には、払出制御装置１１１、音声ランプ制御装置１１３、第１図柄表示装置３７、第２図柄表示装置８３、第２図柄保留ランプ８４、特定入賞口６５ａ，６５０ａの開閉板の下辺を軸として前方側に開閉駆動するための大開放口ソレノイドや電動役物を駆動するためのソレノイドなどからなるソレノイド２０９が接続され、ＭＰＵ２０１は、入出力ポート２０５を介してこれらに対し各種コマンドや制御信号を送信する。
【００７７】
また、入出力ポート２０５には、図示しないスイッチ群やセンサ群などからなる各種スイッチ２０８や、電源装置１１５に設けられた後述のＲＡＭ消去スイッチ回路２５３が接続され、ＭＰＵ２０１は各種スイッチ２０８から出力される信号や、ＲＡＭ消去スイッチ回路２５３より出力されるＲＡＭ消去信号ＳＧ２に基づいて各種処理を実行する。
【００７８】
払出制御装置１１１は、払出モータ２１６を駆動させて賞球や貸出球の払出制御を行うものである。演算装置であるＭＰＵ２１１は、そのＭＰＵ２１１により実行される制御プログラムや固定値データ等を記憶したＲＯＭ２１２と、ワークメモリ等として使用されるＲＡＭ２１３とを有している。
【００７９】
払出制御装置１１１のＲＡＭ２１３は、主制御装置１１０のＲＡＭ２０３と同様に、ＭＰＵ２１１の内部レジスタの内容やＭＰＵ２１１により実行される制御プログラムの戻り先番地などが記憶されるスタックエリアと、各種のフラグおよびカウンタ、Ｉ／Ｏ等の値が記憶される作業エリア（作業領域）とを有している。ＲＡＭ２１３は、パチンコ機１０の電源の遮断後においても電源装置１１５からバックアップ電圧が供給されてデータを保持（バックアップ）できる構成となっており、ＲＡＭ２１３に記憶されるデータは、すべてバックアップされる。なお、主制御装置１１０のＭＰＵ２０１と同様、ＭＰＵ２１１のＮＭＩ端子にも、停電等の発生による電源遮断時に停電監視回路２５２から停電信号ＳＧ１が入力されるように構成されており、その停電信号ＳＧ１がＭＰＵ２１１へ入力されると、停電時処理としてのＮＭＩ割込処理（図示せず）が即座に実行される。
【００８０】
払出制御装置１１１のＭＰＵ２１１には、アドレスバス及びデータバスで構成されるバスライン２１４を介して入出力ポート２１５が接続されている。入出力ポート２１５には、主制御装置１１０や払出モータ２１６、発射制御装置１１２などがそれぞれ接続されている。また、図示はしないが、払出制御装置１１１には、払い出された賞球を検出するための賞球検出スイッチが接続されている。なお、該賞球検出スイッチは、払出制御装置１１１に接続されるが、主制御装置１１０には接続されていない。
【００８１】
発射制御装置１１２は、主制御装置１１０により球の発射の指示がなされた場合に、ハンドル装置５１のスライド操作量に応じた球の打ち出し強さとなるよう球発射ユニット１１２ａを制御するものである。球発射ユニット１１２ａは、図示しない発射ソレノイドおよび電磁石を備えており、その発射ソレノイドおよび電磁石は、所定条件が整っている場合に駆動が許可される。具体的には、遊技者がハンドル装置５１に触れていることをタッチセンサにより検出し、球の発射を停止させるための発射停止スイッチ８９１及び球の発射強度を最大とする右打ちスイッチ８９２がオフ（操作されていないこと）を条件に、ハンドル装置５１のスライド操作量（スライド方向での変位位置）に対応して発射ソレノイドが励磁され、ハンドル装置５１の操作量に応じた強さで球が発射される。
【００８２】
音声ランプ制御装置１１３は、音声出力装置（図示しないスピーカなど）２２６における音声の出力、ランプ表示装置（電飾部２９〜３３、表示ランプ３４など）２２７における点灯および消灯の出力、変動演出（変動表示）や予告演出といった表示制御装置１１４で行われる第３図柄表示装置８１の表示態様の設定などを制御するものである。演算装置であるＭＰＵ２２１は、そのＭＰＵ２２１により実行される制御プログラムや固定値データ等を記憶したＲＯＭ２２２と、ワークメモリ等として使用されるＲＡＭ２２３とを有している。
【００８３】
音声ランプ制御装置１１３のＭＰＵ２２１には、アドレスバス及びデータバスで構成されるバスライン２２４を介して入出力ポート２２５が接続されている。入出力ポート２２５には、主制御装置１１０、表示制御装置１１４、音声出力装置２２６、ランプ表示装置２２７、枠ボタン２２などがそれぞれ接続されている。
【００８４】
音声ランプ制御装置１１３は、主制御装置１１０から受信した各種のコマンド（変動パターンコマンド、停止種別コマンド等）に基づいて、第３図柄表示装置８１の表示態様を決定し、決定した表示態様をコマンド（表示用変動パターンコマンド、表示用停止種別コマンド等）によって表示制御装置１１４へ通知する。また、音声ランプ制御装置１１３は、枠ボタン２２からの入力を監視し、遊技者によって枠ボタン２２が操作された場合は、第３図柄表示装置８１で表示されるステージを変更したり、スーパーリーチ時の演出内容を変更したりするように、表示制御装置１１４へ指示する。ステージが変更される場合は、変更後のステージに応じた背面画像を第３図柄表示装置８１に表示させるべく、変更後のステージに関する情報を含めた背面画像変更コマンドを表示制御装置１１４へ送信する。ここで、背面画像とは、第３図柄表示装置８１に表示させる主要な画像である第３図柄の背面側に表示される画像のことである。表示制御装置１１４は、この音声ランプ制御装置１１３から送信されるコマンドに従って、第３図柄表示装置８１に各種の画像を表示する。
【００８５】
また、音声ランプ制御装置１１３は、表示制御装置１１４から第３図柄表示装置８１の表示内容を表すコマンド（表示コマンド）を受信する。音声ランプ制御装置１１３では、表示制御装置１１４から受信した表示コマンドに基づき、第３図柄表示装置８１の表示内容に合わせて、その表示内容に対応する音声を音声出力装置２２６から出力し、また、その表示内容に対応させてランプ表示装置２２７の点灯および消灯を制御する。
【００８６】
表示制御装置１１４は、音声ランプ制御装置１１３及び第３図柄表示装置８１が接続され、音声ランプ制御装置１１３より受信したコマンドに基づいて、第３図柄表示装置８１における第３図柄の変動演出などの表示を制御するものである。また、表示制御装置１１４は、第３図柄表示装置８１の表示内容を通知する表示コマンドを適宜音声ランプ制御装置１１３へ送信する。音声ランプ制御装置１１３は、この表示コマンドによって示される表示内容にあわせて音声出力装置２２６から音声を出力することで、第３図柄表示装置８１の表示と音声出力装置２２６からの音声出力とをあわせることができる。
【００８７】
電源装置１１５は、パチンコ機１０の各部に電源を供給するための電源部２５１と、停電等による電源遮断を監視する停電監視回路２５２と、ＲＡＭ消去スイッチ１２２（図３参照）が設けられたＲＡＭ消去スイッチ回路２５３とを有している。電源部２５１は、図示しない電源経路を通じて、各制御装置１１０〜１１４等に対して各々に必要な動作電圧を供給する装置である。その概要としては、電源部２５１は、外部より供給される交流２４ボルトの電圧を取り込み、各種スイッチ２０８などの各種スイッチや、ソレノイド２０９などのソレノイド、モータ等を駆動するための１２ボルトの電圧、ロジック用の５ボルトの電圧、ＲＡＭバックアップ用のバックアップ電圧などを生成し、これら１２ボルトの電圧、５ボルトの電圧及びバックアップ電圧を各制御装置１１０〜１１４等に対して必要な電圧を供給する。
【００８８】
停電監視回路２５２は、停電等の発生による電源遮断時に、主制御装置１１０のＭＰＵ２０１及び払出制御装置１１１のＭＰＵ２１１の各ＮＭＩ端子へ停電信号ＳＧ１を出力するための回路である。停電監視回路２５２は、電源部２５１から出力される最大電圧である直流安定２４ボルトの電圧を監視し、この電圧が２２ボルト未満になった場合に停電（電源断、電源遮断）の発生と判断して、停電信号ＳＧ１を主制御装置１１０及び払出制御装置１１１へ出力する。停電信号ＳＧ１の出力によって、主制御装置１１０及び払出制御装置１１１は、停電の発生を認識し、ＮＭＩ割込処理を実行する。なお、電源部２５１は、直流安定２４ボルトの電圧が２２ボルト未満になった後においても、ＮＭＩ割込処理の実行に充分な時間の間、制御系の駆動電圧である５ボルトの電圧の出力を正常値に維持するように構成されている。よって、主制御装置１１０及び払出制御装置１１１は、ＮＭＩ割込処理（図示せず）を正常に実行し完了することができる。
【００８９】
ＲＡＭ消去スイッチ回路２５３は、ＲＡＭ消去スイッチ１２２（図３参照）が押下された場合に、主制御装置１１０へ、バックアップデータをクリアさせるためのＲＡＭ消去信号ＳＧ２を出力するための回路である。主制御装置１１０は、パチンコ機１０の電源投入時に、ＲＡＭ消去信号ＳＧ２を入力した場合に、バックアップデータをクリアすると共に、払出制御装置１１１においてバックアップデータをクリアさせるための払出初期化コマンドを払出制御装置１１１に対して送信する。
【００９０】
次いで、図５から図２８を参照して、ハンドル装置５１の詳細構成について説明する。
【００９１】
図５（ａ）は、ハンドル装置５１の上面図であり、図５（ｂ）は、図５（ａ）の矢印Ｖｂ方向視におけるハンドル装置５１の側面図である。図６は、図５（ａ）のＶＩ−ＶＩ線におけるハンドル装置５１の断面図である。
【００９２】
なお、図５（ａ）及び図５（ｂ）では、下皿ユニット１５の前面（即ち、ハンドル装置５１の取付面）が二点鎖線により模式的に図示されると共に、操作子８００が可動範囲における略中央までスライド変位された状態が便宜的に図示される。また、図６では、ハンドル取付台６００のみを断面視し、他の各構成の断面視を省略する。
【００９３】
図５及び図６に示すように、ハンドル装置５１は、ハンドル取付台６００と、そのハンドル取付台６００に回転可能に軸支される回転軸部７００と、その回転軸部７００に連結される操作子８００と、その操作子８００に連動して変位可能に形成される連動変位部９００と、を備えて構成され、パチンコ機１０（図１参照）の前面へ操作子８００の本体部８１０が水平に突出された姿勢で配設される。
【００９４】
ハンドル取付台６００は、下側ベース６１０と、中間ベース６２０と、上側ベース６３０とを備え、中間ベース６２０が下側ベース６１０及び上側ベース６３０の間に介設された状態で重ね合わされることで、上下両端（図５（ｂ）上側および下側）が閉封されると共に側面（図５（ｂ）右側面）に開口が形成された円筒状に形成される。なお、ハンドル取付台６００（下側ベース６１０）の下面には、収納部６４０が配設される。収納部６４０には、回転軸部７００の回転量（回転位置）を電気抵抗の変化により検出する可変抵抗器（図示せず）が収納される。
【００９５】
回転軸部７００は、その軸心方向を鉛直方向（図６上下方向）に沿わせた縦姿勢で、ハンドル取付台６００の内部に回転可能に配設される。回転軸部７００の下側端面からは、連結片７８０が突設され、その連結片７８０は、収納部６４０に収納される可変抵抗器に連結される。よって、回転軸部７００が回転されると、その回転軸部７００の回転量（回転位置）に対応して可変抵抗器の抵抗値が変化し、その可変抵抗器の抵抗値に対応した強さ（発射強度）で球が発射される。
【００９６】
操作子８００は、ハンドル取付台６００に対して、回転軸部７００を介して、スライド変位可能に取り付けられる。即ち、操作子８００は、回転軸部７００の軸心を回転中心として回転される（回転軸部７００の軸心に垂直な仮想平面内を変位する）ことで、図５（ａ）に示すように、初期位置Ｐｍｉｎから最大可動位置Ｐｍａｘまでの範囲内を、矢印Ｉ，Ｄ方向へ向けてスライド変位可能とされる。
【００９７】
操作子８００が遊技者により矢印Ｉ方向または矢印Ｄ方向へスライド変位（スライド操作）されると、回転軸部７００が軸回りに回転され、その回転量（回転位置）に応じて、可変抵抗器の抵抗値が変化されることで、遊技球の発射強度が増大または減少される。また、遊技者によるスライド操作が解除されると、操作子８００は、スライド方向付勢ばね６８１の付勢力により、矢印Ｄ方向へスライド変位され、初期位置Ｐｍｉｎへ復帰される。なお、本実施形態では、操作子８００（本体部８１０）のスライド変位が、水平面（重力方向に垂直な平面）に沿って行われる。
【００９８】
操作子８００は、回転軸部７００に軸支された部分（連結軸９９０）を中心として、ハンドル取付台６００に対して上下方向（図６上下方向）に変位可能とされる。即ち、操作子８００は、連結軸９９０を回転中心として、被保持部８３０を下方（図５（ｂ）の矢印Ｇ方向）へ押し下げ操作可能に形成とされる（図２２参照）。なお、本実施形態では、操作子８００（被保持部８３０）の押し下げ操作が、重力方向下方へ向けて行われる。よって、操作子８００（被保持部８３０）の押し下げ操作は、遊技者の手の重みを操作子８００の被保持部８３０に作用させる、或いは、被保持部８３０を把持する手首を下方へ返す動作のみで、容易に行うことができる。
【００９９】
ここで、本実施形態では、操作子８００の被保持部８３０の押し下げ操作（下方（矢印Ｇ方向）へ向けて押し下げると共に、その後、押し下げ前の位置まで上昇復帰させる操作。以下において同じ。）を行うことで（図２５及び図２６参照）、操作子８００のスライド操作に対して連動変位部９００を連動させるか否かの切り替えを行うことができる。かかる操作子８００を押し下げ操作に伴う連動変位部９００の連動状態の切り替え構造については、後述する。
【０１００】
操作子８００の上面には、図５（ａ）に示すように、目印８９４が表示される。かかる目印８９４により、操作子８００と連動変位部９００との間の相対位置を遊技者に認識させやすくすることができる。特に、本実施形態では、操作子８００（本体部８１０）と連動変位部９００とが高さ方向（図５（ｂ）上下方向）に離間されているため、目印８９４を利用して、両者の相対位置が把握可能となることが有効となる。
【０１０１】
連動変位部９００は、操作子８００のスライド方向での変位位置（スライド操作位置）を記憶するための部材であり、ハンドル取付台６００の外周面から先端を外方（即ち、操作子８００と同方向）へ突出させた状態で配設される。連動変位部９００は、通常の状態では、操作子８００のスライド変位に連動してスライド変位される一方、操作子８００の被保持部８３０が下方（矢印Ｇ方向）へ押し下げ操作されると、操作子８００から切り離され、その変位位置が固定される。即ち、操作子８００の被保持部８３０の押し下げ操作を行った時点での操作子８００のスライド操作位置が、連動変位部９００の固定位置として記憶される。
【０１０２】
よって、遊技者は、遊技球の発射強度が所望の発射強度となる位置（例えば、第１入球口６４へ遊技球を入球させるのに適した発射強度が得られる位置）に操作子８００のスライド操作位置を調整できた場合には、操作子８００の被保持部８３０を下方へ押し下げ操作して、連動変位部９００の変位位置を固定しておくことで、例えば、休憩を取るために、操作子８００のスライド操作位置を初期位置Ｐｍｉｎへ復帰させて遊技を中断した後や、右打ちをするために、操作子８００のスライド操作位置を最大可動位置Ｐｍａｘまでスライド変位させた後に、操作子８００のスライド操作位置を元の操作位置（即ち、遊技を中断する前や右打ちをする前の操作位置であって、上述した第１入球口６４への入球に適した操作位置）に調整する場合には、連動変位部９００が固定されている変位位置を基準（目標位置）として、操作子８００をスライド操作する（即ち、操作子８００の目印８９４を連動変位部９００の配設位置に一致させる）ことで、操作子８００のスライド操作位置を元の操作位置に正確かつ迅速に調整する（即ち、元の変位位置を正確かつ迅速に再現する）ことができる。
【０１０３】
このように、遊技者は、被保持部８３０を手で把持し、操作子８００をスライド操作することで、遊技球の発射強度を所望の発射強度に調整した際に、連動変位部９００の変位位置を固定する場合には、手で把持している被保持部８３０をその状態のままで下方へ押し下げ操作すれば良く、被保持部８３０を持ち替える動作や、被保持部８３０を操作する手とは逆の手で別の操作手段を操作するなどの動作を行う必要がない。よって、連動変位部９００の変位位置を固定するための操作を容易に行うことができる。
【０１０４】
なお、操作子８００の被保持部８３０が下方（矢印Ｇ方向）へ押し下げられると、跳ね上げ方向付勢ばね８８０が弾性的に伸長変形され、遊技者による押し下げ力が緩められると、跳ね上げ方向付勢ばね８８０の弾性回復力により、操作子８００の被保持部８３０が上方（矢印Ｇの反対方向）へ変位され、図５（ｂ）に示す初期位置（本体部８１０が水平姿勢となる位置）へ復帰される。
【０１０５】
操作子８００には、発射停止スイッチ８９１及び右打ちスイッチ８９２が配設される。遊技者は、操作子８００のスライド操作位置（操作量）とは無関係に、発射停止スイッチ８９１を押下することで、遊技球の発射を停止することができると共に、右打ちスイッチ８９２を押下することで、遊技球を最大の発射強度で発射することができる。
【０１０６】
次いで、図７から図９を参照して、ハンドル取付台６００について説明する。図７（ａ）は、下側ベース６１０の側面図であり、図７（ｂ）は、図７（ａ）の矢印ＶＩＩｂ方向視における下側ベース６１０の上面図であり、図７（ｃ）は、図７（ｂ）のＶＩＩｃ−ＶＩＩｃ線における下側ベース６１０の断面図である。
【０１０７】
図７に示すように、下側ベース６１０は、円筒状に形成される胴部６１１と、その胴部６１１の下側開口を閉封する底面壁６１２と、胴部６１１の外周面から外方へ張り出す締結フランジ６１３及び締結座部６１４と、底面壁６１２から上方へ向けて立設される軸受部６１５と、その軸受部６１５の側方において上方へ向けて立設される支持軸部６１６とを備えて形成される。
【０１０８】
胴部６１１には、その一部が切り欠かれることで、開口６１１ａが形成される。開口６１１ａは、操作子８００のスライド方向（矢印Ｉ，Ｄ方向）及び押し下げ方向（矢印Ｇ方向）への変位空間を確保するための切り欠き部分であり（図５及び図６参照）、図７（ｂ）に示す上面視において、中心角略１７０度の範囲にわたって形成される。なお、下側ベース６１０は、開口６１１ａが胴部６１１の上側（図７（ｃ）上側）開口に連なる開口として形成される（即ち、胴部６１１の側面の開口６１１ａと胴部６１１の上側の開口とが連通される）ので、全体としての開口面積を確保できる。その結果、回転軸部７００や操作子８００、或いは、回転軸部連結ギヤ６７１やスライド方向付勢ばね６８１などを下側ベース６１０内に装着して組み立てる際の作業性の向上を図ることができる。
【０１０９】
締結フランジ６１３は、胴部６１１の上側（図７（ａ）上側）端部においてその胴部６１１の外周面から外方へ張り出す板状体であり、位相を１８０度異ならせて一対が配設されると共に、一対の締結フランジ６１３には、それぞれ挿通孔６１３ａが穿設される。中間ベース６２０及び上側ベース６３０にも同様の締結フランジ６２３，６３３が配設されており、これら各締結フランジ６１３，６２３，６３３どうしが重ね合わされ、それらの挿通孔６１３ａ，６２３ａ，６３３ａに挿通された締結ボルトＢにより締結固定されることで、各ベース６１０，６２０，６３０が連結固定され、ハンドル取付台６００が形成される（図５参照）。
【０１１０】
締結座部６１４は、胴部６１１の下側（図７（ａ）下側）端部においてその胴部６１１の外周面から外方へ張り出す部位であり、開口６１１ａに対して位相を１８０度異ならせた位置に配設される。締結座部６１４の外側面（図７（ａ）及び図７（ｂ）の左側の面）は、胴部６１１の軸心に平行な平坦面（以下「座面６１４ａ」と称す）として形成され、かかる座面６１４ａが、ハンドル装置５１を下皿ユニット１５（図５参照）の前面に締結固定する際の取付面（座面）となる。
【０１１１】
底面壁６１２の中央部には、正面視円形の挿通孔６１２ａが穿設される。この挿通孔６１２ａを介して、回転軸部７００の連結片７８０が収容部６４０内の可変抵抗器に連結される（図６参照）。軸受部６１５は、底面壁６１２の挿通孔６１２ａと同心の円筒形状に形成され、その軸受部６１５の内周面により回転軸部７００の下端側が回転可能に軸支される（図６参照）。
【０１１２】
支持軸部６１６は、平歯車として形成される回転軸部連結ギヤ６７１を回転可能に軸支するための部位であり（図６参照）、断面円形の軸状に形成される。具体的には、支持軸部６１６は、先端側に位置する小径部と、その小径部よりも大径に形成される大径部とを備え、小径部に回転軸部連結ギヤ６７１が回転可能に軸支される。回転軸部連結ギヤ６７１は、支持軸部６１６の小径部および大径部の間の段差面と、支持軸部６１６の小径部の先端に嵌め込まれるＥリングなどの止め輪（図示せず）との間に配置されることで、軸方向への移動が規制（抜き取り不能に保持）される。
【０１１３】
なお、回転軸部連結ギヤ６７１の下面側には、ねじりばねとして形成されるスライド方向付勢ばね６８１が支持軸部６１６に保持されており（図６参照）、そのスライド方向付勢ばね６８１からの付勢力が回転軸部連結ギヤ６７１に付与されている。回転軸部連結ギヤ６７１は、スライド方向付勢ばね６８１から付与される付勢力により、回転軸部７００（連結ギヤ部７７０）を介して、操作子８００を初期位置Ｐｍｉｎに復帰させる。
【０１１４】
図８（ａ）は、中間ベース６２０の側面図であり、図８（ｂ）は、図８（ａ）の矢印ＶＩＩＩｂ方向視における中間ベース６２０の上面図であり、図８（ｃ）は、図８（ｂ）のＶＩＩＩｃ−ＶＩＩＩｃ線における中間ベース６２０の断面図である。
【０１１５】
図８に示すように、中間ベース６２０は、円板状に形成される円板部６２１と、その円板部６２１の下面における外縁に沿って配設される外壁部６２２と、円板部６２１の外周面から外方へ張り出す締結フランジ６２３と、円板部６２１の中央に穿設される挿通孔６２４とを備えて構成される。
【０１１６】
円板部６２１の外径は、下側ベース６１０の胴部６１１及び上側ベース６３０の胴部６３１の外径と同一とされ、ハンドル取付台６００の組立状態では、中間ベース６２０の円板部６２１が、下側ベース６１０の胴部６１１及び上側ベース６３０の胴部６３１の軸方向端面の間に挟持される（図５及び図６参照）。
【０１１７】
外壁部６２２は、下側ベース６１０の内部空間を外部から遮蔽するための部位であり（図５（ｂ）及び図６参照）、円板部６２１と同心の円筒状体を中心角略１７０度で分断した形状に形成され、下側ベース６１０の胴部６１１における開口６１１ａに嵌り込む。これにより、ハンドル取付台６００全体としての剛性を高めることができる。
【０１１８】
また、外壁部６２２に相当する部位を、下側ベース６１０に形成するのではなく、中間ベース６２０に形成することで、ハンドル取付台６００全体としての剛性を確保しつつ、上述したように、下側ベース６１０全体としての開口面積を確保することができるので、その分、回転軸部７００や操作子８００、或いは、回転軸部連結ギヤ６７１やスライド方向付勢ばね６８１を下側ベース６１０内に装着して組み立てる際の作業性の向上を図ることができる。
【０１１９】
締結フランジ６２３は、円板部６２１の外周面から外方へ張り出すと共に円板部６２１と同一の板厚寸法に設定される板状体であり、位相を１８０度異ならせて一対が配設され、これら一対の締結フランジ６２３には、挿通孔６２３ａがそれぞれ穿設される。上述したように、締結フランジ６２３は、下側ベース６１０及び上側ベース６３０の締結フランジ６１３，６３３に重ね合わされて締結ボルトＢにより締結固定される（図５参照）。
【０１２０】
挿通孔６２４は、その内周面により回転軸部７００を回転可能に軸支する（図６参照）。なお、円板部６２１の下面には、挿通孔６２４と同心となる位置に円筒形状の軸受部６２１ａが配設され、軸受部６２１ａの内周面によっても回転軸部７００が回転可能に軸支される。この軸受部６２１ａの分、軸受面積を確保できるので、回転軸部７００の軸受精度の向上と耐久性の向上とを図ることができる。
【０１２１】
図９（ａ）は、上側ベース６３０の側面図であり、図９（ｂ）は、図９（ａ）の矢印ＩＸｂ方向視における上側ベース６３０の下面図であり、図９（ｃ）は、図９（ｂ）のＩＸｃ−ＩＸｃ線における上側ベース６３０の断面図である。
【０１２２】
図９に示すように、上側ベース６３０は、円筒状に形成される胴部６３１と、その胴部６３１の上側開口を閉封する上面壁６３２と、胴部６３１の外周面から外方へ張り出す締結フランジ６３３及び締結座部６３４と、上面壁６３２から下方へ向けて立設される摺動保持部６３５と、その摺動保持部６３５の側方において下方へ向けて立設される支持軸部６３６とを備えて形成される。
【０１２３】
胴部６３１には、その一部が切り欠かれることで、開口６３１ａが形成される。開口６３１ａは、連動変位部９００のスライド方向および上下方向への変位空間を確保するための切り欠き部分であり（図５及び図６参照）、図９（ｂ）に示す下面視において、中心角略１７０度の範囲にわたって形成される。なお、上側ベース６３０は、開口６３１ａが、胴部６３１の下側（図９（ｃ）下側）開口に連なる（連続する）開口として形成されるので、全体としての開口面積を確保できる。その結果、連動変位部９００や押下部材９５０、或いは、連動変位部連結ギヤ６７２や連動変位部付勢ばね６８２などを上側ベース６３０内に装着して組み立てる際の作業性の向上を図ることができる。
【０１２４】
締結フランジ６３３は、胴部６３１の下側（図９（ａ）下側）端部においてその胴部６３１の外周面から外方へ張り出す板状体であり、位相を１８０度異ならせて一対が配設され、これら一対の締結フランジ６３３には、それぞれ挿通孔６３３ａが穿設される。上述したように、締結フランジ６３３は、下側ベース６１０の締結フランジ６１３との間に中間ベース６２０の締結フランジ６２３を重ね合わせ、締結ボルトＢにより締結固定される（図５参照）。
【０１２５】
締結座部６３４は、胴部６３１の上側（図９（ａ）上側）端部においてその胴部６３１の外周面から外方へ張り出す部位であり、開口６３１ａに対して位相を１８０度異ならせた位置に配設される。締結座部６３４の外側面（図９（ａ）及び図９（ｂ）の左側の面）は、胴部６３１の軸心に平行な平坦面（以下「座面６３４ａ」と称す）として形成され、かかる座面６３４ａが、ハンドル装置５１を下皿ユニット１５（図５参照）の前面に締結固定する際の取付面（座面）となる。
【０１２６】
摺動保持部６３５は、胴部６３１と同心の円筒形状に形成され、その外周面により連動変位部９００（図６参照）を軸方向に摺動可能かつ周方向に回転可能に保持する。一方、摺動保持部６３５は、その内周面により押下部材９５０（図１５参照）を、軸方向には摺動可能に保持するが、周方向には回転不能に保持する。詳細には、摺動保持部６３５の内周面には、軸方向に沿って断面矩形状のキー溝６３５ａが刻設されており、かかるキー溝６３５ａに押下部材９５０の突起部９５３（図１５参照）が係合されることで、押下部材９５０の周方向への回転を規制する。後述するように、押下部材９５０の周方向への回転が規制できることで、押下部材９５０からの回転力を連動変位部９００へ作用させることなく、かかる連動変位部９００の固定動作を行うことができ、その結果、連動変位部９００を所望の固定位置に精度良く固定することができる。
【０１２７】
支持軸部６３６は、平歯車として形成される連動変位部連結ギヤ６７２を回転可能に軸支するための部位であり（図６参照）、断面円形の軸状に形成される。具体的には、支持軸部６３６は、先端側に位置する小径部と、その小径部よりも大径に形成される大径部とを備え、小径部に連動変位部連結ギヤ６７２が回転可能に軸支される。連動変位部連結ギヤ６７２は、支持軸部６３６の小径部および大径部の間の段差面と、支持軸部６３６の小径部の先端に嵌め込まれるＥリングなどの止め輪（図示せず）との間に配置されることで、軸方向への移動が規制（抜き取り不能に保持）される。
【０１２８】
なお、連動変位部連結ギヤ６７２の上面側には、ねじりばねとして形成される連動変位部付勢ばね６８２が支持軸部６３６に保持されており（図６参照）、その連動変位部付勢ばね６８２からの付勢力が連動変位部連結ギヤ６７２に付与されている。連動変位部連結ギヤ６７２は、連動変位部付勢ばね６８２から付与される付勢力により、連動変位部９００の連結ギヤ部９２０を介して、連動変位部９００を初期位置へ復帰させる。
【０１２９】
次いで、図１０から図１４を参照して、回転軸部７００及び操作子８００について説明する。図１０（ａ）及び図１０（ｂ）は、回転軸部７００及び操作子８００の部分断面側面図であり、図１０（ａ）は、操作子８００が初期位置にある状態に、図１０（ｂ）は、操作子８００が下方へ押し下げ操作された状態に、それぞれ対応する。
【０１３０】
図１０（ａ）及び図１０（ｂ）に示すように、操作子８００と回転軸部７００とは、連結軸９９０を介して、連結される。これにより、操作子８００を２方向へ変位させる（操作する）ことができる。即ち、第１に、操作子８００を、連結軸９９０を回転中心として、回転させ、その被保持部８３０を下方（矢印Ｇ方向、図５（ｂ）参照）へ変位させる（押し下げ操作を行う）ことが可能とされる。第２に、操作子８００を、回転軸部７００と一体的に、かかる回転軸部７００の軸心を中心として回転させて、その被保持部８３０をスライド方向（矢印Ｉ及び矢印Ｄ方向、図５（ａ）参照）へ変位させる（スライド操作を行う）ことが可能とされる。
【０１３１】
図１１（ａ）は、回転軸部７００の側面図であり、図１１（ｂ）は、図１１（ａ）の矢印ＸＩｂ方向視における回転軸部７００の背面図であり、図１１（ｃ）は、押上部材４１０の部分断面背面図である。図１２（ａ）は、図１１（ａ）の矢印ＸＩＩａ方向視における回転軸部７００の上面図であり、図１２（ｂ）は、図１２（ａ）のＸＩＩｂ−ＸＩＩｂ線における回転軸部７００の断面図である。なお、図１１（ｂ）及び図１１（ｃ）では、理解を容易とするために、押上部材４１０が取り外された状態が図示される。
【０１３２】
図１１及び図１２に示すように、回転軸部７００は、棒状の軸本体部７１０と、その軸本体部７１０に穿設される挿通孔７２０と、軸本体部７２０の背面側に開口形成される開口７３０と、軸本体部７１０の外周面に配設されるフック部７４０、操作子規制部７５０、案内軸７６０及び連結ギヤ部７７０と、軸本体部７１０の下端面から突設される連結片７８０と、軸本体部７１０の上端側へ突出される弾性片７９０とを備えて構成される。
【０１３３】
軸本体部７１０は、円筒形状に形成される円筒部分７１１と、その円筒部分７１１の下端（図１２（ｂ）下側）に同軸に接続され断面円形の中実の棒状体として形成される中実部分７１２とを備え、これらが樹脂材料から一体に形成される。
【０１３４】
円筒部分７１１の上端面（図１２（ｂ）上側面）には、基準面７１１ａと、その基準面７１１ａよりも軸本体部７１０の軸方向（図１２（ｂ）上下方向）における高さ位置が上方へ向けて嵩上げされた嵩上げ面７１１ｂとが形成され、これにより、円筒部材７１１の上端側には、基準面７１１ａと嵩上げ面７１１ｂとを接続する一対の段差面７１１ｃが形成される。後述するように、回転軸部７００は、段差面７１１ｃを連動変位部９００の段差面９１１ｃに係合させることで、回転軸部７００の回転に連動して連動変位部９００を回転させることができる（図６及び図２４参照）。
【０１３５】
このように、回転軸部７００と連動変位部９００は、互いの段差面７１１ｃ，９１１ｃどうしが係合することで、連動して変位されるので、例えば、摩擦力により連動して変位される場合と比較して、滑りによる両者の位置ずれを抑制できる。
【０１３６】
なお、基準面７１１ａ及び嵩上げ面７１１ｂは、軸本体部７１０の軸方向に垂直な平坦面とされ、一対の段差面７１１ｃは、互いに平行であって、かつ、軸本体部７１０の軸方向に平行な平坦面とされる。また、一対の段差面７１１ｃは、位相を１８０度異ならせて配置される。即ち、一対の段差面７１１ｃにより形成される仮想平面は、軸本体部７１０の軸心を含む平面となる。
【０１３７】
円筒部分７１１の内周面には、案内溝７１５が凹設される。案内溝７１５は、昇降部材４２０（図１９参照）を第１位置（連動位置）又は第２位置（切り離し位置）の２位置で保持するための溝である。なお、案内溝７１５の詳細構成については、図２０及び図２１を参照して、後述する。
【０１３８】
挿通孔７２０は、連結軸９９０が挿通される断面円形の孔であり、軸本体部７１０の円筒部分７１１に一対が穿設される。なお、連結軸９９０は、真鋳製から断面円形の軸形状に形成される。開口７３０は、押上部材４１０の配設空間を確保するための開口であり、図１１（ｂ）に示すように、軸本体部７１０の円筒部分７１１に背面視矩形の開口として形成される。開口７３０の対向する一対の内側面には、押上部材４１０を回転可能に軸支するための突起７３１がそれぞれ突設される。
【０１３９】
ここで、押上部材４１０は、図１１（ｃ）に示すように、背面視矩形に形成されると共に、図１２（ｂ）に示すように、下端側が屈曲された断面Ｌ字状の板状体であり、対向する一対の外側面の上端側に、凹部４１１がそれぞれ凹設される。かかる凹部４１１に開口７３０の突起７３１が内嵌されることで、これら突起７３１及び凹部４１１を回転軸として、押上部材４１０が開口７３０内で回転可能に軸支される（図１０参照）。なお、押上部材４１０は、下端側の屈曲部分を軸本体部７１０の円筒部分７１１の軸心側へ向けた姿勢で配設される。
【０１４０】
フック部材７４０は、コイルスプリングとして形成される跳ね上げ方向付勢ばね８８０の一端を係合保持するための部位であり（図１０参照）、上方へ向けて屈曲される断面Ｌ字形状の部位が所定間隔を隔てて一対配設される。操作子規制部７５０は、連結軸９９０を回転中心とする操作子８００の変位を規制するための棒状の部位であり、軸本体部７１０の背面側であって開口７３０の下方に配設される。
【０１４１】
即ち、跳ね上げ方向付勢ばね８８０は、弾性的に伸張された状態で配設されており、遊技者により操作子８００の被保持部８３０が下方（矢印Ｇ方向、図５（ｂ）参照）へ押し下げられた後（図１０（ｂ）参照）、その押し下げ操作が解除されると、操作子８００は、跳ね上げ方向付勢ばね８８０の付勢力（弾性回復力）により、被保持部８３０側が上方（矢印Ｇと反対方向、図５（ｂ）参照）へ跳ね上げられる。この場合、操作子規制部７５０が操作子８００の本体部８１０の下面を受け止めることで、操作子８００の変位が規制される。これにより、操作子８００が、押し下げ操作における初期位置に保持される（図１０（ａ）参照）。
【０１４２】
なお、このように、操作子規制部７５０は、跳ね上げ方向付勢ばね８８０の付勢力により跳ね上げられた操作子８００（本体部８１０の下面）を受け止める部位であるため、大きな荷重が作用されるところ、本実施形態では、かかる操作子規制部７５０が、薄肉の円筒部分７１１ではなく、中実の中実部分７１２に配設される。これにより、その剛性を確保して、跳ね上げられた操作子８００（本体部８１０の下面）を強固に受け止めることができる。その結果、耐久性の向上を図ることができる。
【０１４３】
案内軸７６０は、操作子８００の変位方向を案内して、被保持部８３０を押し下げ操作する際の変位を円滑にするための部位であり、操作子規制部７５０に対し中実部分７１２を挟んで反対側となる中実部分７１２の正面側に配設される。操作子８００の被保持部８３０が押し下げ操作される際には、案内軸７６０が操作子８００の案内溝８７０内を移動することで（図１０（ｂ）参照）、操作子８００の変位を案内溝８７０に沿って案内することができる。その結果、操作子８００の被保持部８３０を押し下げ操作する際の動作を安定化することができる。
【０１４４】
連結ギヤ部７７０は、平歯車として形成される部位であり、回転軸部連結ギヤ６７１に歯合されている（図６参照）。上述したように、スライド方向付勢ばね６８１からの付勢力が、回転軸部連結ギヤ６７１から連結ギヤ部７７０へ伝達されることで、回転軸部７００が回転され、操作子８００が初期位置Ｐｍｉｎに復帰される（図５（ａ）参照）。
【０１４５】
連結片７８０は、軸本体部７１０の下端面に固設される軸状体である。上述したように、下側ベース６１０の挿通孔６１２ａを介して、連結片７８０が可変抵抗器（図示せず）に連結される。
【０１４６】
弾性片７９０は、断面矩形の棒状体であり、軸本体部７１０（筒状部分７１１）の上端側であって、段差面７１１ｃ近傍の外周面に配設されると共に、嵩上げ面７１１ｂよりも上方に突出される。弾性片７９０は、操作子８００のスライド操作時に、その操作感を変化させるための部位である。即ち、後述するように、連動変位部９００を所定位置に固定し、その連動変位部９００を目標位置として、操作子８００をスライド操作する際に、そのスライド操作が目標位置（連動変位部９００）に近づくと、弾性片７９０が第１突起９１３を乗り換える（即ち、弾性変形される）ことで、スライド操作の操作感を変化させる（図２８参照）。これにより、遊技者は、操作子８００と連動変位部９００との位置関係を目視により追跡し続けなくても、スライド操作の操作位置が目標位置へ近づいたことを認識することができ、その操作性の向上を図ることができる。
【０１４７】
図１３（ａ）は、操作子８００の側面図であり、図１３（ｂ）は、図１３（ａ）の矢印ＸＩＩＩｂ方向視における操作子８００の上面図である。図１４（ａ）は、図１３（ｂ）のＸＩＶａ−ＸＩＶａ線における操作子８００の部分拡大断面図であり、図１４（ｂ）は、図１３（ｂ）のＸＩＶｂ−ＸＩＶｂ線における操作子８００の部分拡大断面図である。
【０１４８】
図１３及び図１４に示すように、操作子８００は、基部８１１及び脚部８１２からなる本体部８１０と、その本体部８１０の脚部８１２に穿設される挿通孔８２０と、本体部８１０の基部８１１から立設される被保持部８３０と、本体部８１０の基部８１１の外側面に配設されるフック部８４０及び支持壁８５０と、本体部８１０の脚部８１２に架設されるカム部材８６０と、本体部８１０の脚部８１２の内側面に配設される案内溝８７０と、を備えて構成される。
【０１４９】
本体部８１０は、長尺箱状の基部８１１と、その基部８１１の基部側（図１３左側）から長手方向に沿って延設される一対の脚部８１２とを備える。基部８１１の先端側（図１３右側）には、被保持部８３０が略垂直に立設される。一対の脚部８１２は、互いに所定間隔を隔ててつつ略平行に対向配置され、それら一対の脚部８１２の対向間に回転軸部７００が配設される。
【０１５０】
また、一対の脚部８１２には、その対向方向（図１３（ｂ）上下方向）に沿って挿通孔８２０がそれぞれ穿設される。一対の脚部８１２の対向間に回転軸部７００を配設し、一対の脚部８１２のうちの一方の挿通孔８２０から挿入した連結軸９９０を、回転軸部７００の挿通孔７２０を通過させると共に、一対の脚部８１２のうちの他方の挿通孔８２０まで挿通させることで、操作子８００が回転軸部７００に対して連結軸９９０を介して連結され、被保持部８３０の下方（矢印Ｇ方向、図５（ｂ）参照）への押し下げ操作が可能とされる（図１０参照）。
【０１５１】
一対の脚部８１２の延設先端側（図１３（ａ）左側）は、図１３（ａ）に示す側面視において、円弧状に湾曲して形成され、その円弧状に湾曲する部分の外周面には、弾性膜部材８９３がそれぞれ貼着される。弾性膜部材８９３は、ゴム素材などの弾性材料から膜状に形成される部材である。操作子８００の被保持部８３０が押し下げ操作された際には、連結軸９９０が回転中心となることで、上方へ押し上げられた脚部８１２が弾性膜部材８９３を中間ベース６２０における円板部６２１の下面に密着させる（図２５参照）。これにより、弾性膜部材８９３の密着力（摩擦力）を利用して、操作子８００のスライド操作方向への変位を規制できる。即ち、被保持部８３０が下方に押し下げられた状態において、操作子８００がスライド方向へ位置ずれすることを抑制できる。
【０１５２】
被保持部８３０は、操作子８００をスライド操作または押し下げ操作する際に、遊技者の手指や手の平で把持される部位であり、角部が円弧状に面取りされた断面略矩形の棒状体として形成される。このように、被保持部８３０が棒状体として形成されることで、かかる被保持部８３０を保持（把持）しやすくすることができ、その結果、操作子８００をスライド操作および押し下げ操作する際の操作性の向上を図ることができる。
【０１５３】
また、被保持部８３０は、本体部８１０から鉛直方向に沿って立設されるので、かかる被保持部８３０を遊技者に自然な姿勢で保持（把持）させることができる。特に、被保持部８３０は本体部８１０から上方へ向けて立設されるので、被保持部８３０を把持する際には、手の平の外縁部分を本体部８１０の上面に載置しておくことができる。これにより、遊技者の疲労の低減を図ることができると共に、操作子８００を下方へ押し下げ操作する際には、本体部８１０の上面にも手の重みを作用させることができ、押し下げ操作を容易に行うことができる。
【０１５４】
上述した発射停止スイッチ８９１及び右打ちスイッチ８９２は、被保持部８３０の立設先端および被保持部８３０の背面側（連結軸９９０（図１０参照）に対面する側）にそれぞれ配設される。これにより、遊技者は、被保持部８３０を自然に把持した状態で、発射停止スイッチ８９１を親指または人差し指により、右打ちスイッチ８９２を人差し指または中指により、それぞれ容易に操作することができる。
【０１５５】
フック部材８４０は、回転軸部７００のフック部７４０（図１１参照）に一端が係合保持された跳ね上げ方向付勢ばね８８０の他端を係合保持するための部位であり（図１０参照）、下方へ向けて屈曲される断面Ｌ字形状に形成される。
【０１５６】
支持壁８５０は、跳ね上げ方向付勢ばね８８０を下方から支えるための壁部であり、図１３（ａ）に示す側面視において、上方へ向けて凸の円弧状に湾曲して形成される。このように、支持壁８５０を円弧状に湾曲させることで、跳ね上げ方向付勢ばね８８０の配設スペース（両フック７４０，８４０間の距離）をより長くすることができるので（図１０（ａ）参照）、限られたスペースの中で、全長がより長い跳ね上げ方向付勢ばね８８０を使用することができる。その結果、付勢力を確保できると共に、跳ね上げ方向付勢ばね８８０の耐久性を確保できる。
【０１５７】
カム部材８６０は、回転軸部７００に変位可能に配設される押上部材４１０を上方へ向けて押し上げるための部材であり、一対の脚部８１２の対向間に架設される棒状の架設部８６１と、その架設部８６１の長手方向（図１３（ｂ）上下方向）中央から基部８１１側（即ち、回転軸部７００が配設される側、図１３（ｂ）右側）へ向けて延設される押上カム８６２と備え、これらが一体に形成される。なお、カム部材８６０は、本体部８１０とは別体に形成され、架設部８６１の両端が本体部８１０の脚部８１２に締結ボルト（図示せず）により締結固定される。
【０１５８】
押上カム８６２は、断面視三角形状に形成され、図１４に示すように、三角形状の頂部を上方へ向けた姿勢で配設される。本体部８１０（一対の脚部８１２の対向間）に回転軸部７００が連結軸９９０を介して連結された状態では、押上カム８６２は、その三角形状の頂部が押上部材４１０の回転軸（突起７３１及び凹部４１１、図１１（ｂ）及び図１１（ｃ）参照）の鉛直方向下方となる位置に配設されると共に、三角形状の一側（図１４（ａ）右側）の斜面が押上部材４１０の下端を支持する位置に配設される（図１０（ａ）参照）。
【０１５９】
カム部材８６０は、操作子８００が下方（矢印Ｇ方向、図５（ｂ）参照）へ押し下げ操作される際に、押上カム８６２の三角形状における一側（図１４（ａ）右側）の斜面および頂部（図１４（ａ）上側）を利用して、回転軸部７００に配設された押上部材４１０を上方へ押し上げる（図１０（ａ）及び図１０（ｂ）参照）。
【０１６０】
このように、押上カム８６２を断面視三角形状に形成し、その斜面および頂部を利用して押上部材４１０を上方へ押し上げる構造とすることで、操作子８００が押し下げ操作されていない通常の状態では（図１０（ａ）参照）、押上部材４１０をより下方に配置可能として、全体としての高さ方向（軸方向、図１０（ａ）上下方向）の小型化を図りつつ、操作子８００を押し下げ操作する際には（図１０（ｂ）参照）、押上部材４１０の上方への押し上げ量を確保できるので、操作子８００の押し下げ操作に必要なストローク量を小さくして、その操作性の向上を図ることができると共に、昇降部材４２０（図１９参照）の昇降ストロークを大きくして、連動変位部９００の連動・非連動の切り替えを確実に行うことができる（図２４及び図２５参照）。
【０１６１】
案内溝８７０は、回転軸部７００の案内軸７６０（図１１参照）を案内するための凹溝であり、一対の脚部８１２の対向面にそれぞれ断面矩形の溝として凹設され、挿通孔８２０を中心とする円弧状に湾曲して延設される。よって、操作子８００が下方（矢印Ｇ方向、図５（ｂ）参照）へ押し下げ操作される際には（図１０（ａ）及び図１０（ｂ）参照）、回転軸部７００の案内軸７６０が、案内溝８７０に沿って移動して案内されることで、連結軸９９０を中心とする変位である操作子８００の押し下げ操作を円滑に行わせることができる。
【０１６２】
なお、本体部８１０及び被保持部８３０は、幅方向（図１３（ｂ）上下方向）中央を分割面（合わせ面）とする２分割構造とされる。即ち、本体部８１０及び被保持部８３０は、本体部８１０及び被保持部８３０の片側をなす第１の部品とその第１の部品に対して分割面を対称面として面対称に形成され本体部８１０及び被保持部８３０の片側をなす第２の部品とからなり、これら第１の部品と第２の部品とを互いの分割面どうしで接合することで、その内部に発射停止スイッチ８９１等の電気的接続線を配線するための空間を有する中空形状に形成される。
【０１６３】
次いで、図１５から図１７を参照して、連動変位部９００及び押下部材９５０について説明する。図１５は、上側ベース６３０に取り付けられた状態における連動変位部９００及び押下部材９５０の断面図である。
【０１６４】
図１５に示すように、上側ベース６３０の上面壁６３２には、その下面側に摺動保持部６３５が設けられ、その摺動保持部６３５の外周側および内周側に連動変位部９００及び押下部材９５０がそれぞれ配設される。上述したように、連動変位部９００は、その挿通孔９２５に摺動保持部６３５が挿通されることで、軸方向（図１５上下方向）に摺動可能かつ周方向に回転可能とされる一方、押下部材９５０は、その突起部９５３が摺動保持部６３５のキー溝６３５ａに嵌合されることで、軸方向（図１５上下方向）に摺動可能であるが、周方向には回転不能とされる。
【０１６５】
上側ベース６３０の上面壁６３２の下面側には、コイルスプリングとして形成される押下方向付勢ばね９７０が配設され、かかる押下方向付勢ばね９７０は、上面壁６３２と連動変位部９００との間で弾性的に圧縮変形された状態で配設されている。そのため、押下方向付勢ばね９７０からの付勢力（弾性回復力）が、連動変位部９００を介して、押下部材９５０へ付与されており、これにより、昇降部材４２０は、第１位置（連動位置）又は第２位置（切り離し位置）のいずれの位置に配置される場合であっても（図２４及び図２６参照）、押下部材９５０によって常に下方（図１５下方）へ押し下げられた状態とされる。
【０１６６】
また、押下方向付勢ばね９７０から付与される付勢力により、連動変位部９００が押下部材９５０に押し付けられる一方、昇降部材４２０が第１位置（連動位置）又は第２位置（切り離し位置）に保持されているので、連動変位部９００は、押下方向付勢ばね９７０と昇降部材４２０との間に挟み込まれた状態（挟圧保持された状態）とされる。よって、連動変位部９００は、回転軸部７００から切り離された場合には、その切り離された位置で保持される。
【０１６７】
図１６（ａ）は、連動変位部９００の側面図であり、図１６（ｂ）は、図１６（ａ）の矢印ＸＶＩｂ方向視における連動変位部９００の下面図である。また、図１７（ａ）は、図１６（ａ）の矢印ＸＶＩＩａ方向視における連動変位部９００の上面図であり、図１７（ｂ）は、図１７（ａ）のＸＶＩＩｂ−ＸＶＩＩｂ線における連動変位部９００の断面図である。
【０１６８】
図１６及び図１７に示すように、連動変位部９００は、円筒形状に形成される連動本体部９１０と、その連動本体部９１０の上端側に同軸状に配設される連結ギヤ部９２０と、その連結ギヤ部９２０の上面側に突設される付勢ばね保持部９３０と、連動本体部９１０の下端側の外周面から径方向外方へ向けて延設される指示片９４０と、連動本体部９１０の下端側の外周面から突設される第１突起部９１３及び第２突起部９１４とを備えて形成される。
【０１６９】
連動本体部９１０の下端面（図１６（ａ）及び図１７（ｂ）下側面）には、基準面９１１ａと、その基準面９１１ａよりも連動本体部９１０の軸方向（図１６（ａ）及び図１７（ｂ）上下方向）における高さ位置が下方へ向けて嵩上げされた嵩上げ面９１１ｂとが形成され、これにより、連動本体部９１１の下端側には、基準面９１１ａと嵩上げ面９１１ｂとを接続する一対の段差面９１１ｃが形成される。
【０１７０】
連動変位部９００は、上述したように、その連動変位部９００の段差面９１１ｃが回転軸部７００の段差面７１１ｃに係合されることで、操作子８００のスライド操作に伴う回転軸部７００の回転が連動変位部９００に伝達可能とされ、連動変位部９００が回転軸部７００の回転（操作子８００のスライド操作）に連動して回転（変位）される一方（図６及び図２４参照）、その連動変位部９００の段差面９１１ｃが回転軸部７００の段差面７１１ｃと非係合とされることで、操作子８００のスライド操作に伴う回転軸部７００の回転が連動変位部９００へ伝達されず、操作子８００のスライド操作時には、回転軸部７００のみが回転され、連動変位部９００は所定位置に固定される（図２３及び図２６参照）。
【０１７１】
なお、基準面９１１ａ及び嵩上げ面９１１ｂは、連動本体部９１０の軸方向に垂直な平坦面とされ、一対の段差面９１１ｃは、互いに平行であって、かつ、連動本体部９１０の軸方向に平行な平坦面とされる。また、一対の段差面９１１ｃは、位相を１８０度異ならせて配置される。即ち、一対の段差面９１１ｃにより形成される仮想平面は、軸本体部９１０の軸心を含む平面となる。
【０１７２】
第１突起９１３及び第２突起９１４は、操作子８００をスライド操作する際の操作感に変化を与えるための部位であり、連動本体部９１０の外周面から突出する半球状の突起として形成される。即ち、第１突起９１３及び第２突起９１４は、操作子８００のスライド操作に伴い回転軸部７００が回転される際の弾性片７９０の移動軌跡上に配設されており、かかる弾性片７９０が第１突起９１３や第２突起９１４を通過する（乗り越える）ことで、操作抵抗を発生させ、操作感に変化を与える。
【０１７３】
連結ギヤ部９２０は、平歯車として形成される部位であり、連動変位部連結ギヤ６７２に歯合されている（図６参照）。上述したように、連動変位部付勢ばね６８２からの付勢力が、連動変位部連結ギヤ６７２から連結ギヤ部９２０へ伝達されることで、連動変位部９００が回転され、初期位置Ｐｍｉｎに復帰される（図５（ａ）参照）。
【０１７４】
付勢ばね保持部９３０は、押下方向付勢ばね９７０の内周側に内嵌されることで、押下方向付勢ばね９７０を保持するための部位であり、押下方向付勢ばね９７０の内径に対応する外径を有して形成される。
【０１７５】
付勢ばね保持部９３０及び連結ギヤ部９２０には、それらの軸心に沿って挿通孔９２５が穿設される。挿通孔９２５は、上側ベース６３０の摺動保持部６３５が挿通される断面円形の孔である（図１５参照）。挿通孔９２５の内径は、摺動保持部６３５の外径と同等または若干大きくされ、これにより、連動変位部９００は、摺動保持部６３５に対し、軸方向に摺動可能かつ周方向に回転可能とされる。
【０１７６】
指示片９４０は、操作子８００の変位位置（目標位置）を指し示すための平板形状の部位であり、連動本体部９１０の外周面であって、嵩上げ面９１１ｂ側（基準面９１１ａに対し軸心を挟んで反対側）となる外周面に配設される。即ち、連動変位部９００の段差面９１１ｃが、回転軸部７００の段差面７１１ｃに係合された状態では（図６及び図２４参照）、指示片９４０と操作子８００との位相（スライド変位方向における変位位置）が一致される（上面視において両者が重なる。図２７（ａ）及び図２７（ｂ）参照）。
【０１７７】
図１８（ａ）は、押下部材９５０の側面図であり、図１８（ｂ）は、図１８（ａ）の矢印ＸＶＩＩＩｂ方向視における押下部材９５０の上面図である。
【０１７８】
図１８に示すように、押下部材９５０は、円板形状に形成される円板部９５１と、その円板部９５１の上面から立設される軸部９５２と、その軸部９５２の外周面から突設される突起部９５３とを備えて形成される。
【０１７９】
円板部９５１は、その下面で昇降部材４２０の上面を押し下げるための部位であり、連動変位部９００の連動本体部９１０の内周側に配置可能な外径に形成される（図１５参照）。軸部９５２は、上側ベース６３０の摺動保持部６３５の内周に挿通される断面円形の軸であり、突起部９５３は、摺動保持部６３５の内周に刻設されるキー溝６３５ａに係合される突起である。よって、押下部材９５０は、摺動保持部６３５に対し、軸方向に摺動可能であるが、周方向の回転は規制された状態で保持される。
【０１８０】
図１０から図１２に戻って説明する。回転軸部７００の軸本体部７１０には、その円筒部分７１１の内周面に案内溝７１５が凹設される。案内溝７１５は、上述したように、昇降部材４２０（図１９参照）を第１位置（連動位置）又は第２位置（切り離し位置）の２位置で保持するための溝である。ここで、昇降部材４２０及び案内溝７１５について、図１９及び図２０を参照して説明する。
【０１８１】
図１９（ａ）は、昇降部材４２０の側面図であり、図１９（ｂ）は、図１９（ａ）の矢印ＸＩＸｂ方向視における昇降部材４２０の上面図である。
【０１８２】
図１９に示すように、昇降部材４２０は、回転軸部７００の円筒部分７１１（図１５参照）の内周側に配設される部材であり、断面円形の円柱状に形成される。かかる円柱状体の外周面には、その複数箇所（本実施形態では３箇所）から案内突起４２１が突設される。各案内突起４２１は、回転軸部７００の案内溝７１５（図２１参照）に沿って移動するための部位であり、それぞれ同形状に形成されると共に、図１９（ｂ）に示すように、周方向等間隔（本実施形態では１２０度間隔）に配置される。
【０１８３】
なお、昇降部材４２０の下端は、円柱状の部分と同軸の円錐形状に形成される。これにより、回転軸部７００の円筒部分７１１の内周側において、昇降部材４２０を押上部材４１０へより近接させることができるので（図２４参照）、円筒部分７１１の内周側における限られたスペースを有効に活用することができ、全体としての小型化を図ることができる。
【０１８４】
図２０は、回転軸部７００の円筒部分７１１の内周面を平面に展開して図示した平面展開図である。なお、図２０では、図面を簡素化して、理解を容易とするために、案内溝７１５の各部位への符号の図示を省略している。
【０１８５】
図２０に示すように、案内溝７１５は、円筒部分７１１の周方向（図２０左右方向）に沿って周期性を有して形成される。具体的には、案内溝７１５は、中心角１２０度の範囲に対応する範囲ＸＸｂを周方向に繰り返す形状（範囲ＸＸｂの形状を周方向に３つ並べた形状）とされる。よって、昇降部材４２０の３つの案内突起４２１は、それぞれ別の範囲ＸＸｂにおける案内溝７１５によって案内される。
【０１８６】
次いで、図２１を参照して、昇降部材４２０の案内突起４２１が案内溝７１５に案内されることで、昇降部材４２０が第１位置（連動位置）又は第２位置（切り離し位置）に保持される構造について説明する。なお、この説明においては、図６及び図２２から図２６の各図を適宜参照する。
【０１８７】
図２１は、図２０（ａ）における範囲ＸＸｂを部分的に拡大して図示した部分拡大展開図である。図２２から図２６は、ハンドル装置５１の断面図である。なお、図２２及び図２３では、図６と同様に、回転軸部７００、操作子８００及び連動変位部９００の断面視が省略される一方、図２４から図２６では、回転軸部７００、操作子８００及び連動変位部９００が断面視される。
【０１８８】
また、図６及び図２４は、昇降部材４２０が第１位置（連動位置）に配置され、操作子８００のスライド操作に連動変位部９００が連動して変位可能な状態に対応し、図２３及び図２６は、昇降部材４２０が第２位置（連動位置）に配置され、操作子８００のスライド操作から連動変位部９００が切り離された状態（非連動状態）に対応する。図２２及び図２５は、操作子８００が下方へ押し下げ操作され、昇降部材４２０が中間位置に配置された状態に対応する。
【０１８９】
図２１に示すように、案内突起４２１が位置Ｐ１に位置する状態では、昇降部材４２０が第１位置（連動位置）に配置される。この状態では、図２４に示すように、案内突起４２１は、押下方向付勢ばね９７０の付勢力により、案内溝７１５の第１壁部７１５ａに押し付けられ、位置Ｐ１に維持される。また、この状態では、図６に示すように、回転軸部７００の段差面７１１ｃと連動変位部９００の段差面９１１ｃとが係合されるため、操作子８００がスライド操作されると、そのスライド操作に連動して連動変位部９００が変位される。
【０１９０】
昇降部材４２０が第１位置（連動位置）に配置された状態（図６及び図２４参照）から、操作子８００が下方（矢印Ｇ方向、図５（ｂ）参照）へ押し下げ操作されると、押上部材４１０により昇降部材４２０が上方へ押し上げられる。その結果、案内突起４２１が案内溝７１５の形状に沿って案内され（経路Ｌ１）、上昇傾斜壁部７１５ｂに突き当たる。操作子８００が下方へ更に押し下げ操作され、昇降部材４２０が上方へ押し上げられると、案内突起４２１が上昇傾斜壁部７１５ｂに沿って案内され（経路Ｌ２）、位置Ｐａにおいて案内規制壁部７１５ｃに突き当たる。
【０１９１】
これにより、図２２及び図２５に示すように、操作子８００の下方への押下操作が不能となる。この場合、操作子８００の脚部８１２が上方へ押し上げられ、弾性膜部材８９３を中間ベース６２０における円板部６２１の下面に密着させることで、弾性膜部材８９３の密着力（摩擦力）を利用して、操作子８００がスライド変位されることを規制できる。即ち、押し下げ操作された操作子８００がスライド方向へ位置ずれすることを抑制できる。その結果、連動変位部９００の固定位置が遊技者の意図した変位位置に精度良く固定することができる。
【０１９２】
また、このように、操作子８００を下方へ押し下げる動作は、遊技者にとって、操作子８００がどのようなスライド位置にあったとしても、被保持部８３０を把持する手指の一部を離すことなく、行うことができる。これにより、操作性の向上を図ることができる。また、操作子８００の押下操作を行った後は、その操作状態（操作子８００のスライド操作量が所望のスライド操作量に固定された状態）を維持することも容易となる。よって、遊技球の発射強度を所望の発射強度に精度良く固定することができる。
【０１９３】
また、このように、操作子８００を下方へ押し下げる構造であれば、上述したように、遊技者は、手の重みを作用させる動作のみで、下方へ変位させることができる。即ち、遊技者は、手の重みを作用させるという簡易な動作を行うのみで、その押下操作を維持することができるので、遊技者の疲労を軽減しつつ、球の発射強度を所望の発射強度に固定することができる。
【０１９４】
また、中間ベース６２０における円板部６２１の下面が平滑面として形成されるので、操作子８００のスライド操作の操作量（スライド位置）を、任意のスライド位置で固定可能とすることができる。即ち、鋸歯状の部材どうしを係合させる構造であっても同様にスライド操作の位置を強固に固定できるが、その鋸歯のピッチより細かな調整ができない。これに対し、本実施形態のように、平滑面に弾性膜部材８９３を密着させる構造とすることで、任意のスライド位置に調整可能としつつ、そのスライド位置に強固に固定することができる。
【０１９５】
案内突起４２１が位置Ｐａにおいて、案内規制壁部７１５ｃに突き当たった後（図２２及び図２５参照）、遊技者が操作力を緩めることで、操作子８００の下方への押し下げ操作が解除され、押上部材４１０が下降されると（図２６参照）、昇降部材４２０が押下方向付勢ばね９７０の付勢力により押し下げられる。その結果、案内突起４２１が下降され（経路Ｌ３）、下降傾斜壁部７１５ｄに突き当たると共に、その下降傾斜壁部７１５ｄに沿って案内され、位置Ｐ２に到達する（経路Ｌ４）。
【０１９６】
案内突起４２１が位置Ｐ２に位置する状態では、昇降部材４２０が第２位置（切り離し位置）に配置される。この状態では、図２６に示すように、案内突起４２１は、押下方向付勢ばね９７０の付勢力により、第２壁部７１５ｅに押し付けられ、位置Ｐ２に維持される。また、この状態では、図２３に示すように、回転軸部７００の段差面７１１ｃから連動変位部９００の段差面９１１ｃが離間され、回転軸部７００と連動変位部９００とが非係合とされるため、操作子８００がスライド操作されても、連動変位部９００は変位されない。即ち、連動変位部９００は、操作子８００から切り離され、その切り離された位置に固定（維持）される。
【０１９７】
昇降部材４２０が第２位置（切り離し位置）に配置された状態（図２３及び図２６参照）から、操作子８００が下方（矢印Ｇ方向、図５（ｂ）参照）へ押し下げ操作されると、押上部材４１０により昇降部材４２０が上方へ押し上げられる。その結果、案内突起４２１が上昇され（経路Ｌ５）、上昇傾斜壁部７１５ｆに突き当たる。操作子８００が下方へ更に押し下げ操作され、昇降部材４２０が上方へ押し上げられると、案内突起４２１が上昇傾斜壁部７１５ｂに沿って案内され（経路Ｌ６）、位置Ｐｂにおいて案内規制壁部７１５ｇに突き当たる。
【０１９８】
これにより、図２２及び図２５に示すように、操作子８００の下方への押下操作が不能となる。遊技者が操作力を緩め、操作子８００の下方への押し下げ操作が解除されることで、押上部材４１０が下降されると（図２４参照）、昇降部材４２０が押下方向付勢ばね９７０の付勢力により押し下げられる。その結果、案内突起４２１が下降され（経路Ｌ７）、下降傾斜壁部７１５ｈに突き当たると共に、その下降傾斜壁部７１５ｈに沿って案内され、位置Ｐ１に到達する（経路Ｌ８）。
【０１９９】
次いで、図２７及び図２８を参照して、連動変位部９００を利用して操作子８００のスライド位置を記憶させると共に、その連動変位部９００を基準として操作子８００のスライド位置を調整する（元のスライド位置へ復帰させる）調整方法について説明する。
【０２００】
図２７（ａ）から図２７（ｄ）は、ハンドル装置５１の上面模式図である。図２８（ａ）から図２８（ｄ）は、回転軸部７００及び連動変位部９００の斜視模式図である。
【０２０１】
なお、図２７（ａ）は、操作子８００及び連動変位部９００が初期位置Ｐｍｉｎにある状態に対応し、図２７（ｂ）は、操作子８００のスライド操作に連動して連動変位部９００が変位された状態に対応し、図２７（ｃ）は、連動変位部９００が所定の変位位置に固定され、操作子８００のみが初期位置Ｐｍｉｎに復帰された状態に対応し、図２７（ｄ）は、連動変位部９００の固定位置へ向けて操作子８００がスライド操作されている状態に対応する。
【０２０２】
また、図２８（ａ）は、図２７（ａ）及び図２７（ｂ）の状態（即ち、操作子８００のスライド操作に連動して連動変位部９００が変位さる状態）に対応し、図２８（ｂ）は、図２７（ｃ）の状態（即ち、連動変位部９００が所定の変位位置に固定され、操作子８００のみが初期位置Ｐｍｉｎに復帰された状態）に対応し、図２８（ｃ）は、図２７（ｄ）の状態（即ち、連動変位部９００の固定位置へ向けて操作子８００がスライド操作されている状態）に対応し、図２８（ｄ）は、操作子８００が目標位置（連動変位部９００の固定位置）を通り越してスライド操作される状態に対応する。
【０２０３】
図２７（ａ）に示すように、昇降部材４２０が第１位置（連動位置）にあり（図６及び図２４参照）、操作子８００及び連動変位部９００の回動位置が初期位置Ｐｍｉｎに配置された状態から、遊技者による操作子８００の矢印Ｉ方向（図５（ａ）参照）へのスライド操作が行われると、図２７（ｂ）に示すように、連動変位部９００が、操作子８００のスライド操作に連動して変位される。
【０２０４】
なお、この場合には、回転軸部７００及び連動変位部９００は、それらの段差面７１１ｃ，９１１ｃどうしが係合されており、図２８（ａ）に示すように、一体となって回転される。よって、回転軸部７００の弾性片７９０と連動変位部９００の第１突起９１３等との間の相対位置に変化は生じない。
【０２０５】
遊技状態に応じて、操作子８００のスライド操作量を調整した結果、遊技球の発射強度が所望の発射強度に調整された場合には、操作子８００の下方（矢印Ｇ方向、図５（ｂ）参照）への押し下げ操作により、昇降部材４２０を第２位置（切り離し位置）に設定する（図２３及び図２６参照）。これにより、連動変位部９００が操作子８００から切り離されるので、連動変位部９００の変位位置を所定の変位位置（位置Ｐθ）に固定できると共に、その連動変位部９００とは独立して操作子８００のみをスライド操作することができる。
【０２０６】
即ち、例えば、図２７（ｂ）に示す状態において、操作子８００の下方への押し下げ操作を行っていれば、例えば、休憩を取るために、操作子８００の回動位置を初期位置へ復帰させ、遊技を中断したとしても、図２７（ｃ）に示すように、連動変位部９００の変位位置を元の変位位置（すなわち、遊技機を中断する前の変位位置（位置Ｐθ））に保持（固定）できる。同様に、例えば、右打ちをするために、操作子８００の変位位置を最大可動位置Ｐｍａｘまでスライド操作したとしても、連動変位部９００の変位位置は元の変位位置（位置Ｐθ）に保持（固定）できる。
【０２０７】
よって、操作子８００の変位位置を元の変位位置（即ち、遊技を中断する前や右打ちする前の変位位置（位置Ｐθ））に調整する場合には、連動変位部９００が固定されている変位位置を基準（目標位置）として、例えば、図２７（ｄ）に示すように、操作子８００を連動変位部９００へ向けて矢印Ｉ方向へスライド操作して、操作子８００の目印８９４を連動変位部９００に一致させることで、操作子８００の変位位置を元の変位位置（位置Ｐθ）に正確かつ迅速に調整する（元の変位位置を正確かつ迅速に再現する）ことができる。
【０２０８】
なお、このように、連動変位部９００が所定の変位位置（位置Ｐθ）に保持（固定）されると共に、操作子８００のスライド位置が初期位置Ｐｍｉｎに復帰された状態では（図２７（ｃ）参照）、図２８（ｂ）に示すように、回転軸部７００の弾性片７９０が連動変位部９００の第１突起９１３から周方向に離間される。
【０２０９】
上述したように、第１突起９１３は、弾性片７９０の移動軌跡上に配置されているので、操作子８００が連動変位部９００へ向けて矢印Ｉ方向へスライド操作され（図２７（ｄ）参照）、かかる操作子８００のスライド位置が連動変位部９００の変位位置（位置Ｐθ）に近接されると、図２８（ｃ）に示すように、弾性片７９０に第１突起９１３を乗り越えさせることができる。
【０２１０】
即ち、弾性片７９０の弾性変形抵抗を利用して、スライド操作の操作感を変化させることができる。その結果、遊技者は、スライド操作子８００の目印８９４と連動変位部９００との位置関係を目視により追跡し続けなくても、操作感の変化により、スライド操作子８００が目標位置（連動変位部９００）へ近づいたことを認識することができ、そのスライド操作の操作性の向上を図ることができる。
【０２１１】
ここで、例えば、遊技者の不注意により、スライド操作子８００が目標位置（連動変位部９００）を通り越して矢印Ｉ方向へスライド操作される場合には、図２８（ｄ）に示すように、弾性片７９０に第２突起９１４を乗り越えさせることができる。即ち、弾性片７９０の弾性変形抵抗を利用して、スライド操作の操作感を変化させることができる。よって、遊技者は、スライド操作子８００の目印８９４と連動変位部９００との位置関係を目視により追跡し続けなくても、操作感の変化により、スライド操作子８００が目標位置（連動変位部９００）を通り越したことを認識することができ、そのスライド操作の操作性の向上を図ることができる。
【０２１２】
特に、この場合には、第１突起９１３及び第２突起９１４の配設位置が回転軸部７００の軸方向に異なるように設定されているので、弾性片７９０が第１突起９１３を乗り越える際と第２突起９１４を乗り越える際とで、かかる弾性片７９０の弾性変形の形態（弾性変形抵抗）を異ならせることができる。その結果、スライド操作の操作感を異ならせることができるので、遊技者は、例えば、スライド操作子８００と連動変位部９００との位置関係を目視により把握しなくても、操作感の変化が、目標位置に近づいたことを知らせるものであるのか、或いは、目標位置を通り越したことを知らせるものであるのかを、区別することができる。
【０２１３】
次いで、図２９から図３４を参照して、第２実施形態におけるハンドル装置２０５１について説明する。第１実施形態では、操作子８００の押し下げ操作を任意に行うことができる場合を説明したが、第２実施形態におけるハンドル装置２０５１は、所定の操作を実行した後でなければ、操作子２８００の押し下げ操作が実行できないように形成される。なお、第１実施形態と同一の部分については同一の符号を付して、その説明を省略する。
【０２１４】
図２９（ａ）は、第２実施形態における操作子２８００の側面図であり、図２９（ｂ）は、図２９（ａ）の矢印ＸＸＩＸｂ方向視における操作子２８００の上面図である。図３０（ａ）は、図２９（ｂ）のＸＸＸａ−ＸＸＸａ線における操作子２８００の部分拡大断面図であり、図３０（ｂ）は、図２９（ｂ）のＸＸＸｂ−ＸＸＸｂ線における操作子２８００の部分拡大断面図である。
【０２１５】
図２９及び図３０に示すように、第２実施形態における操作子２８００は、本体部８１０の一対の脚部８１２にそれぞれ穿設される挿通孔２８２０が、本体部８１０の長手方向（図２９（ａ）左右方向）を長径方向とする長穴形状に形成される。具体的には、第１実施形態における挿通孔８２０を基部８１１側へ向けて延長して形成される。
【０２１６】
なお、挿通孔２８２０は、短径寸法（図２９（ａ）上下方向寸法）が連結軸９９０の直径よりも若干大きくされ、かかる連結軸９９０が挿通孔２８２０の長径方向に沿って変位可能とされる。また、連結軸９９０は、回転軸部７００の挿通孔７２０に固着される。
【０２１７】
図３１から図３３は、第２実施形態におけるハンドル装置２０５１の断面図である。また、図３４（ａ）から図３４（ｃ）は、回転軸部７００及び操作子２８００の側面図である。なお、図３４（ａ）、図３４（ｂ）及び図３４（ｃ）は、それぞれ図３１、図３２及び図３３における回転軸部７００及び操作子２８００の部分拡大図に対応する。
【０２１８】
図３１及び図３４（ａ）に示すように、操作子２８００は、通常状態では、跳ね上げ方向付勢ばね８８０の付勢力が、被保持部８３０を回転軸部７００へ近接させる方向（図３１左方向）へ向けて付与されているので、連結軸９９０が、挿通孔２８２０における被保持部８３０側（図３１右側）の端部に位置される。そのため、かかる通常状態では、操作子２８００の案内溝８７０の入り口に対して、回転軸部７００の案内軸７６０の位置がずれており（図３４（ａ）参照）、操作子２８００を下方（矢印Ｇ方向、図５（ｂ）参照）へ押し下げ操作することができない。
【０２１９】
この場合には、操作子２８００を回転軸部７００から離間する方向（図３２右方向）へ向けて水平（矢印Ｂ方向）に変位させる。即ち、遊技者は、被保持部８３０を手前（遊技者側）へ水平に引き寄せる。これにより、図３２及び図３４（ｂ）に示すように、連結軸９９０が、挿通孔２８２０における被保持部８３０と反対側（図３２左側）の端部に位置され、操作子２８００の案内溝８７０の入口の直下に、回転軸部７００の案内軸７６０を配置することができる（図３４（ｂ）参照）。その結果、図３３及び図３４（ｃ）に示すように、操作子２８００を下方（矢印Ｇ方向、図５（ｂ）参照）へ押し下げ操作することができる。
【０２２０】
このように、第２実施形態におけるハンドル装置２０５１によれば、操作子２８００を水平方向へ変位させた（即ち、被保持部８３０を手前側に引き寄せる操作を行った）場合に、操作子２８００の下方への押し下げ操作を行うことが可能となる。これにより、操作子２８００が下方へ不用意に押し下げ操作されることを抑制できる。
【０２２１】
即ち、操作子２８００の押し下げ操作は、被保持部８３０を鉛直方向に沿って下降させる方向であるので、手の重みを利用しやすく、故に、上述したように、その押し下げ操作が容易である反面、意図せずに不用意に押し下げ操作が実行されるおそれがある。これに対し、第２実施形態では、操作子２８００の押し下げ操作は、操作子２８００が水平方向（矢印Ｂ方向）へ変位されていることが必要とされるので、その押し下げ操作が遊技者の意図とは異なるタイミングで不用意に実行されることを確実に抑制することができる。
【０２２２】
次いで、図３５及び図３６を参照して、第３実施形態におけるハンドル装置３０５１について説明する。第２実施形態では、操作子２８００の押し下げ操作を可能とするために、所定の操作を実行することが条件とされる場合を説明したが、第３実施形態のハンドル装置３０５１は、操作子３８００の押し下げ操作を可能とするための条件が、所定の操作の複数回の実行とされる。なお、上記各実施形態と同一の部分については同一の符号を付して、その説明を省略する。
【０２２３】
図３５及び図３６は、回転軸部７００及び第３実施形態における操作子３８００の側面図である。なお、図３５（ｃ）及び図３６（ａ）では、同一の状態が図示される。
【０２２４】
図３５及び図３６に示すように、第３実施形態における操作子３８００は、案内溝３８７０が側面視Ｚ字状に形成される。即ち、案内溝３８７０は、図３５（ａ）に示す側面視において、本体部８１０の下面側の入口から、本体部８１０の上面側へ向けて延設された後、下面側へ向けて折り返されると共に、再度、上面側へ向けて折り返されて形成される。
【０２２５】
図３５（ａ）に示すように、操作子３８００は、第２実施形態の場合と同様に、通常状態では、跳ね上げ方向付勢ばね８８０の付勢力が、被保持部８３０を回転軸部７００へ近接させる方向（図３５（ａ）左方向）へ向けて付与されているので、連結軸９９０が、挿通孔２８２０における被保持部８３０側（図３５（ａ）右側）の端部に位置される。そのため、かかる通常状態では、操作子３８００の案内溝３８７０の入り口に対して、回転軸部７００の案内軸７６０の位置がずれており、操作子３８００を下方（矢印Ｇ方向、図５（ｂ）参照）へ押し下げ操作することができない。
【０２２６】
第３実施形態では、操作子３８００を、下方へ押し下げつつ、回転軸部７００から離間する方向（図３５（ｂ）右方向）へ向けて水平（矢印Ｂ方向）に変位させる。即ち、遊技者は、被保持部８３０を、下方に押し下げつつ、手前（遊技者側）へ水平に引き寄せる。これにより、図３５（ｂ）に示すように、操作子３８００の案内溝３８７０の入口の直下に、回転軸部７００の案内軸７６０が配置された際に、案内溝３８７０内に案内軸７６０が入り込み、図３５（ｃ）及び図３６（ａ）に示すように、案内軸７６０が案内溝３８７０の第１の折り返し部分に到達する位置まで、操作子３８００が下方（押し下げ操作の方向）へ変位される。
【０２２７】
図３５（ｃ）及び図３６（ａ）に示す状態を形成した後は、操作子３８００を回転軸部７００から離間する方向（図３６（ａ）右方向）へ向けて水平（矢印Ｂ方向）に更に変位させる。即ち、遊技者は、被保持部８３０を手前（遊技者側）へ水平に更に引き寄せる。これにより、図３６（ｂ）に示すように、案内軸７６０を、案内溝３８７０の第２の降り返し部分に配置することができるので、図３６（ｃ）に示すように、操作子３８００を下方（矢印Ｇ方向、図５（ｂ）参照）へ押し下げ操作することができる。
【０２２８】
このように、第３実施形態におけるハンドル装置３０５１によれば、操作子３８００の水平方向への変位を複数回（具体的には２回）行った（即ち、被保持部８３０の手前側への引き寄せる操作を複数回行った）場合に、操作子３８００の規定位置までの押し下げ操作を行うことが可能となる。これにより、操作子３８００が下方へ不用意に押し下げ操作されることをより確実に抑制できる。
【０２２９】
即ち、操作子３８００の水平方向（矢印Ｂ方向）への変位（手前側への引き寄せ操作）自体が遊技者の意図しない不用意な操作であった場合でも、その一度の操作だけでは、操作子３８００の規定位置までの押し下げ操作が完了されることはなく、更に、その状態から、操作子３８００の水平方向への変位（手前側への引き寄せ操作）が再度行われる必要がある。よって、２度目の水平方向への変位が遊技者により意識的に行われる必要があるので、遊技者の意図しない押し下げ操作が不用意に実行されることを確実に抑制することができる。
【０２３０】
次いで、図３７から図４２を参照して、第４実施形態について説明する。第１実施形態では、操作子８００のスライド変位に対して連動変位部９００を連動させるか否かの切り替えが、操作子８００の下方への押し下げ操作により行われる場合を説明したが、第４実施形態では、上記切り替えが、操作子４８００の水平方向（矢印Ｂ方向）への変位（遊技者側への引き寄せ操作）により行われる。なお、上記各実施形態と同一の部分については同一の符号を付して、その説明を省略する。
【０２３１】
図３７（ａ）及び図３７（ｂ）は、第４実施形態における操作子４８００及び回転軸部７００の部分断面側面図であり、図３７（ａ）は、操作子４８００が初期位置にある状態に、図３７（ｂ）は、操作子４８００が水平方向へ変位（遊技者側へ引き寄せ操作）された状態に、それぞれ対応する。
【０２３２】
図３７（ａ）及び図３７（ｂ）に示すように、第４実施形態における操作子４８００は、回転軸部７００に対して、連結軸４９９０を介して、連結される。これにより、操作子４８００は、第１実施形態の場合と同様に、回転軸部７００と一体的に、かかる回転軸部７００の軸心を中心として回転することで、スライド方向（矢印Ｉ及び矢印Ｄ方向、図５（ａ）参照）への変位（スライド操作）が可能とされる一方、第１実施形態の場合とは異なり、水平方向（矢印Ｂ方向）への変位（遊技者側への引き寄せ操作）が可能とされる。
【０２３３】
即ち、図３７（ａ）に示すように、操作子４８００は、通常状態では、跳ね上げ方向付勢ばね８８０の付勢力が、被保持部８３０を回転軸部７００へ近接させる方向（図３７（ａ）左方向）へ向けて付与されており、この付勢力に抗して、被保持部８３０を矢印Ｂ方向へ水平に変位させる（遊技者側へ引き寄せ操作する）ことで、図３７（ｂ）に示す状態となる。この状態から、矢印Ｂ方向への操作力が緩められると、跳ね上げ方向付勢ばね８８０の弾性回復力により、操作子４８００は矢印Ｂ方向と反対方向へ向けて水平に変位され、図３７（ａ）に示す状態に復帰される。
【０２３４】
なお、第１実施形態では、回転軸部７００及び操作子８００が１本の連結軸９９０により連結されたが、第４実施形態の回転軸部７００及び操作子４８００は、２本の連結軸４９９０により連結される。即ち、２本の連結軸４９９０のうちの一方の連結軸４９９０は、一対の脚部８１２の内の一方の脚部８１２と回転軸部７００のうちの一方の挿通孔７２０とを連結し、他方の連結軸４９９０は、一対の脚部８１２の内の他方の脚部８１２と回転軸部７００のうちの他方の挿通孔７２０とを連結する。これにより、２本の連結軸４９９０の間には、カム部材８６０が移動するためのスペースが確保される。
【０２３５】
図３８（ａ）は、操作子４８００の側面図であり、図３８（ｂ）は、図３８（ａ）の矢印ＸＸＸＶＩＩＩｂ方向視における操作子４８００の上面図である。図３９（ａ）は、図３８（ｂ）のＸＸＸＩＸａ−ＸＸＸＩＸａ線における操作子４８００の部分拡大断面図であり、図３９（ｂ）は、図３８（ｂ）のＸＸＸＩＸｂ−ＸＸＸＩＸｂ線における操作子４８００の部分拡大断面図である。
【０２３６】
図３８及び図３９に示すように、第４実施形態における操作子４８００は、本体部８１０の一対の脚部８１２にそれぞれ穿設される挿通孔４８２０が、本体部８１０の長手方向（図３８（ａ）左右方向）を長径方向とする長穴形状に形成される。なお、挿通孔４８２０は、短径寸法（図３８（ａ）上下方向寸法）が連結軸４９９０の直径よりも若干大きくされ、かかる連結軸４９９０が挿通孔４８２０の長径方向に沿って変位可能とされる。また、連結軸４９９０は、回転軸部７００の挿通孔７２０に固着される。
【０２３７】
カム部材４８６０は、押上部材４１０を上方へ向けて押し上げるための部材であり（図３７参照）、一対の脚部８１２の対向間に架設される平板状の架設部４８６１と、その架設部４８６１の長手方向（図３８（ｂ）上下方向）中央から基部８１１側（即ち、回転軸部７００が配設される側、図３８（ｂ）右側）へ向けて延設される押上カム４８６２と備え、これらが一体に形成される。
【０２３８】
押上カム４８６２は、断面視三角形状に形成され、図３９に示すように、三角形状の頂部を上方へ向けた姿勢で配設される。本体部８１０（一対の脚部８１２の対向間）に回転軸部７００が連結軸４９９０を介して連結された状態では、押上カム４８６２は、その三角形状の頂部が、押上部材４１０の回転軸（突起７３１及び凹部４１１、図１１（ｂ）及び図１１（ｃ）参照）の鉛直方向下側となる背面を下方から支持する位置に配設される（図３７（ａ）参照）。
【０２３９】
カム部材４８６０は、操作子４８００が水平方向（矢印Ｂ方向、図３７（ａ）参照）へ変位される際に、押上カム４８６２の三角形状における頂部（図３９（ａ）上側）を押上部材４１０の背面に当接させつつ、水平方向へ変位することで、押上部材４１０を上方へ押し上げる（図３７（ａ）及び図３７（ｂ）参照）。
【０２４０】
このように、押上カム４８６２を断面視三角形状に形成し、その頂部を利用して押上部材４１０を上方へ押し上げる構造とすることで、操作子４８００が水平方向（矢印Ｂ方向）へ変位されていない通常の状態では（図３７（ａ）参照）、押上部材４１０をより下方に配置可能として、全体としての高さ方向（軸方向、図３７（ａ）上下方向）の小型化を図りつつ、操作子４８００を水平方向へ変位させる（手前側へ引き寄せ操作する）際には（図３７（ｂ）参照）、押上部材４１０の上方への押し上げ量を確保できるので、操作子４８００に必要とされる水平方向への変位量を小さくして、その操作性の向上を図ることができると共に、昇降部材４２０（図１９参照）の昇降ストロークを大きくして、連動変位部９００の連動・非連動の切り替えを確実に行うことができる（図４０及び図４１参照）。
【０２４１】
次いで、図４０から図４２を参照して、操作子４８００の水平方向への変位（手前側への引き寄せ操作）により、昇降部材４２０を第１位置（連動位置）又は第２位置（切り離し位置）に切り替える構造について説明する。
【０２４２】
図４０から図４２は、ハンドル装置４０５１の断面図である。なお、図４０は、昇降部材４２０が第１位置（連動位置）に配置された状態に対応し、図４２は、昇降部材４２０が第２位置（連動位置）に配置された状態（非連動状態）に対応する。図４１は、操作子４８００が水平方向（矢印Ｂ方向）へ変位（手前側に引き寄せ操作）され、昇降部材４２０が中間位置に配置された状態に対応する。
【０２４３】
図４０に示すように、昇降部材４２０が第１位置（連動位置）に配置されると、操作子４８００のスライド操作に連動して連動変位部９００が変位可能とされる。この状態から、操作子４８００が水平方向（矢印Ｂ方向）へ変位（手前側へ引き寄せ操作）されると、図４１に示すように、カム部材４８６０の押上カム４８６２が、押上部材４１０を介して、昇降部材４２０を上方へ押し上げ、かかる昇降部材４２０が中間位置に配置される。
【０２４４】
図４１に示す状態から、遊技者が操作力を緩め、操作子４８００の水平方向（矢印Ｂ方向）への変位（手前側への引き寄せ操作）が解除されると、操作子４８００が跳ね上げ方向付勢ばね８８０の付勢力により矢印Ｂ方向と反対方向へ向けて引き戻されると共に、昇降部材４２０が押下方向付勢ばね９７０の付勢力により押し下げられる。その結果、図４２に示すように、昇降部材４２０が第２位置（切り離し位置）に配置される。
【０２４５】
図４２に示す状態では、操作子４８００のスライド操作から連動変位部９００が切り離され、回転軸部７００の段差面７１１ｃから連動変位部９００の段差面９１１ｃが離間され、回転軸部７００と連動変位部９００とが非係合とされるため、操作子４８００がスライド操作されても、連動変位部９００は変位されない。即ち、連動変位部９００は、操作子４８００から切り離され、その切り離された位置に固定（維持）される。
【０２４６】
一方、図４２に示すように、昇降部材４２０が第２位置（切り離し位置）に配置された状態から、操作子４８００が水平方向（矢印Ｂ方向）へ変位（遊技者側に引き寄せ操作）されると、図４１に示すように、カム部材４８６０の押上カム４８６２が、押上部材４１０を介して、昇降部材４２０を上方へ押し上げ、かかる昇降部材４２０が中間位置に配置される。
【０２４７】
この状態（即ち、図４２に示す昇降部材４２０が第２位置（切り離し位置）に配置された状態において、操作子４８００を手前側へ引き寄せ操作して、昇降部材４２０を中間位置に配置した状態）から、遊技者が操作力を緩め、操作子４８００の水平方向（矢印Ｂ方向）への変位（手前側への引き寄せ操作）が解除されると、操作子４８００が跳ね上げ方向付勢ばね８８０の付勢力により矢印Ｂ方向と反対方向へ向けて引き戻されると共に、昇降部材４２０が押下方向付勢ばね９７０の付勢力により押し下げられる。その結果、図４０に示すように、昇降部材４２０が第１位置（連動位置）に配置される。
【０２４８】
このように、第４実施形態では、操作子４８００の水平方向（矢印Ｂ方向）への変位（手前側への引き寄せ操作）により、操作子４８００のスライド変位に対して連動変位部９００を連動させるか否かの切り替えを行うことができる。即ち、遊技球の発射強度を調整するための操作と、連動変位部９００を所定の変位位置に固定する（変位位置を記憶する）ための操作との異なる操作を、被保持部８３０を把持する手指を握り直すことや、逆の手でボタン操作を行うなどを必要とせず、操作子４８００の被保持部８３０を把持した状態を維持したまま、片手で容易に行うことができる。
【０２４９】
次いで、図４３及び図４４を参照して、第５実施形態について説明する。図４３（ａ）は、第５実施形態におけるハンドル装置５０５１の上面図であり、図４３（ｂ）は、図４３（ａ）の矢印ＸＬＩＩＩｂ方向視におけるハンドル装置５０５１の側面図である。図４４は、ハンドル装置５０５１の部分断面側面図である。
【０２５０】
第１実施形態では、スライド変位量の変更により遊技球の発射強度を調整するための操作子８００に棒状の被保持部８３０が形成され、その被操作部８３０を手で把持して操作子８００のスライド操作や押し下げ操作を行う場合を説明したが、第５実施形態における操作子５８００は、載置面５８３１が形成された被保持部５８００を備え、その被保持部５８００の載置面５８３１に手の一部を載置して操作子５８００のスライド操作や押し下げ操作を行う。即ち、手が不自由なために、被操作部８３０の把持が困難な場合であっても、スライド操作や押し下げ操作を可能として、遊技を行うことができるように形成される。
【０２５１】
なお、各実施形態と同一の部分については同一の符号を付して、その説明を省略する。また、第５実施形態におけるハンドル装置５０５１は、操作子５８００の構成が第１実施形態における操作子８００と異なる点を除き、他の構成は第１実施形態におけるハンドル装置５１と同一である。
【０２５２】
図４３及び図４４に示すように、第５実施形態における操作子５８００は、本体部８１０の先端側（図４３（ａ）右側）に被保持部５８３０が配設される。被保持部５８３０は、上面視において楕円形状をその短軸に沿って二分割した形状に形成される載置面５８３１と、その載置面５８３１の上面視円弧状の外縁部分から立設される立設壁５８３２とを備える。
【０２５３】
載置面５８３１は、遊技者が手の一部を載置するための平坦面であり、操作子５８００のスライド平面に平行な平坦面として形成される。その載置面５８３１に載置した手を水平方向へ移動させることで、操作子５８００をスライド操作する際には、立設壁５８３２の内周面が、手の水平方向への移動を受け止める。
【０２５４】
第５実施形態におけるハンドル装置５０５１によれば、操作子５８００の被保持部５８３０には、遊技者が手の一部を載置可能な載置面５８３１が形成されるので、例えば、手指が不自由なために、棒状の被保持部８３０（図５参照）を把持することができない遊技者であっても、被保持部５８３０の載置面５８３１を利用して、操作子５８００の左右方向（矢印Ｉ，Ｄ方向）へのスライド操作および下方（矢印Ｇ方向）への押し下げ操作を行うことができる。
【０２５５】
即ち、回転ハンドルを正面から把持して回転させることで遊技球の発射強度を調整する従来の遊技機では、手指の不自由な遊技者が遊技を行うことは不可能であり、また、第１実施形態のように被保持部８００を棒状に形成する場合であってもその被保持部８３０を把持して遊技を行うことは困難である。本発明では、操作子５８００を左右にスライド操作可能かつ下方に押し下げ操作可能とすることで、手指の不自由な遊技者が、遊技を行うことが初めて可能となった。
【０２５６】
以上、上記実施形態に基づき本発明を説明したが、本発明は上記形態に何ら限定されるものではなく、本発明の趣旨を逸脱しない範囲内で種々の変形改良が可能であることは容易に推察できるものである。
【０２５７】
上記各実施形態のうちの一の実施形態における一部または全部の構成を、他の実施形態における一部または全部の構成と組み合わせて、或いは、置き換えて、パチンコ機１０を構成しても良い。
【０２５８】
本発明を上記各実施形態とは異なるタイプのパチンコ機等に実施してもよい。例えば、一度大当たりすると、それを含めて複数回（例えば２回、３回）大当たり状態が発生するまで、大当たり期待値が高められるようなパチンコ機（通称、２回権利物、３回権利物と称される）として実施してもよい。また、大当たり図柄が表示された後に、所定の領域に球を入賞させることを必要条件として遊技者に所定の遊技価値を付与する特別遊技を発生させるパチンコ機として実施してもよい。また、Ｖゾーン等の特別領域を有する入賞装置を有し、その特別領域に球を入賞させることを必要条件として特別遊技状態となるパチンコ機に実施してもよい。更に、パチンコ機以外にも、アレパチ、雀球、スロットマシン、いわゆるパチンコ機とスロットマシンとが融合した遊技機などの各種遊技機として実施するようにしても良い。
【０２５９】
なお、スロットマシンは、例えばコインを投入して図柄有効ラインを決定させた状態で操作レバーを操作することにより図柄が変動され、ストップボタンを操作することにより図柄が停止されて確定される周知のものである。従って、スロットマシンの基本概念としては、「複数の識別情報からなる識別情報列を変動表示した後に識別情報を確定表示する表示装置を備え、始動用操作手段（例えば操作レバー）の操作に起因して識別情報の変動表示が開始され、停止用操作手段（例えばストップボタン）の操作に起因して、或いは、所定時間経過することにより、識別情報の変動表示が停止して確定表示され、その停止時の識別情報の組合せが特定のものであることを必要条件として、遊技者に所定の遊技価値を付与する特別遊技を発生させるスロットマシン」となり、この場合、遊技媒体はコイン、メダル等が代表例として挙げられる。
【０２６０】
また、パチンコ機とスロットマシンとが融合した遊技機の具体例としては、複数の図柄からなる図柄列を変動表示した後に図柄を確定表示する表示装置を備えており、球打出用のハンドルを備えていないものが挙げられる。この場合、所定の操作（ボタン操作）に基づく所定量の球の投入の後、例えば操作レバーの操作に起因して図柄の変動が開始され、例えばストップボタンの操作に起因して、或いは、所定時間経過することにより、図柄の変動が停止され、その停止時の確定図柄がいわゆる大当たり図柄であることを必要条件として遊技者に所定の遊技価値を付与する特別遊技が発生させられ、遊技者には、下部の受皿に多量の球が払い出されるものである。かかる遊技機をスロットマシンに代えて使用すれば、遊技ホールでは球のみを遊技価値として取り扱うことができるため、パチンコ機とスロットマシンとが混在している現在の遊技ホールにおいてみられる、遊技価値たるメダルと球との別個の取扱による設備上の負担や遊技機設置個所の制約といった問題を解消し得る。
【０２６１】
以下に、本発明の遊技機に加えて上述した実施形態に含まれる各種発明の概念を示す。
【０２６２】
遊技者によって操作される操作装置を備え、その操作装置の操作量に応じて遊技球の発射強度が調整される遊技機であって、前記操作装置は、遊技者により保持される被保持部を一側に有すると共にその被保持部がスライド変位可能となるように他側が支持される操作子を備え、前記被保持部のスライド変位量に応じて遊技球の発射強度が調整されると共に、所定の部材を基準として遊技者が前記被保持部のスライド変位の変位位置を認識可能に形成されることを特徴とする遊技機Ａ１。
【０２６３】
遊技機Ａ１によれば、操作子は、遊技者により保持される被保持部を一側に有すると共にその被保持部がスライド変位可能となるように他側が支持されるので、被保持部の操作性、即ち、遊技球の発射強度を調整する際の操作性の向上を図ることができる。この場合、所定の部材を基準として遊技者に被保持部のスライド変位の変位位置を認識させることができる。よって、遊技球の発射強度が所望の発射強度となる変位位置に操作子が調整された後に、例えば、遊技を中断するために、操作子の被保持部のスライド変位の変位位置が初期位置へ復帰された場合、或いは、例えば、右打ちをするために、操作子の被保持部のスライド変位の変位位置が最大変位位置へ変更された場合であっても、遊技者は、所定の部材を基準とする被保持部のスライド変位の変位位置の認識に基づいて、被保持部のスライド変位の変位位置を元の変位位置（即ち、遊技を中断する前や右打ちする前の変位位置）に調整する（復帰させる）ことができる。よって、操作子の被保持部のスライド変位の変位位置を元の変位位置へ調整する操作を、正確かつ迅速に行うことができる。
【０２６４】
なお、遊技者に保持される被保持部は、遊技者が手指で把持可能な形状に限られず、例えば、遊技者が手の平や手の甲を載置可能な形状が例示される。また、操作子の他側を支持する構造としては、操作子の他側を回転可能に軸支する構造や操作子の他側を案内溝に沿って変位可能に支持する構造などが例示される。軸支する構造においては、一軸のみで回転可能に軸支するものに限られず、遊動可能に軸支するもの（例えば、球体を球面軸受により保持する構造）であっても良い。案内溝に沿って支持する構造においては、案内溝は、直線状であっても良く、曲線状に湾曲されていても良く、或いは、これらの組合せであっても良い。
【０２６５】
遊技機Ａ１において、前記操作装置は、前記操作子の被保持部のスライド変位に連動して変位可能に形成される連動変位部と、その連動変位部が前記操作子の被保持部のスライド変位に連動して変位されることを解除する連動解除手段と、を備えることを特徴とする遊技機Ａ２。
【０２６６】
遊技機Ａ２によれば、遊技機Ａ１の奏する効果に加え、連動変位部が操作子の被保持部のスライド変位に連動して変位されることを連動解除手段により解除することができる。即ち、連動変位部の変位が操作子の被保持部のスライド変位に連動することを連動解除手段により解除することで、連動変位部を、操作子の被保持部のスライド変位から切り離して、その切り離された際の変位位置に留まらせる（固定する）ことができる。これにより、遊技球の発射強度が所望の発射強度となる変位位置に操作子が調整された状態において、連動解除手段による解除を行うことで、連動変位部を所定の変位位置に留まらせて（固定して）おき、操作子を元の変位位置へ調整する（復帰させる）際の基準とすることができる。よって、操作子の被保持部のスライド変位の変位位置を元の変位位置へ調整する際に、その調整操作を正確かつ迅速に行うことができる。
【０２６７】
遊技機Ａ２において、前記操作子は、前記他側が軸支されると共に、その軸支された前記他側を中心として回転されることで、前記一側の被保持遊技者をスライド変位させるものであり、前記連動変位部は、他側が前記操作子と同軸に軸支されると共に、その軸支された前記他側を中心として回転されることで、一側をスライド変位させるものであり、前記連動変位部の前記一側における移動軌跡が、上面視において、前記操作子の移動軌跡に重なることを特徴とする遊技機Ａ３。
【０２６８】
遊技機Ａ３によれば、遊技機Ａ２の奏する効果に加え、操作子と連動変位部とは、それらの前記他側が同軸に軸支され、前記他側を中心として回転されることで、一側をスライド変位させるものであり、かかる一側の移動軌跡が上面視において重なるので、これら操作子と連動変位部との相対的な位置関係を遊技者に容易に把握させることができる。
【０２６９】
遊技機Ａ１からＡ３のいずれかにおいて、前記操作子と連動変位部との間の相対位置を示す目印が、前記操作子または連動変位部の少なくとも一方に配設されることを特徴とする遊技機Ａ４。
【０２７０】
遊技機Ａ４によれば、遊技機Ａ１からＡ３のいずれかの奏する効果に加え、操作子または連動変位部の少なくとも一方には目印が形成されるので、操作子の被保持部のスライド変位の変位位置を元の変位位置へ調整する際には、目印を基準とすることができる。よって、その分、操作子の元の変位位置への調整操作（復帰操作）を正確かつ迅速に行うことができる。
【０２７１】
なお、操作子および連動変位部のそれぞれに目印が形成され、連動変位部が操作子の被保持部のスライド変位に連動して変位する状態では、操作子の目印と、連動変位部の目印との配設位置が一致することが好ましい。この場合には、操作子の被保持部のスライド変位の変位位置を元の変位位置へ調整する（復帰させる）際に、操作子の目印を連動変位部の目印に一致させれば良いので、元の変位位置への調整操作を正確かつ迅速に行うことができる。
【０２７２】
遊技機Ａ２からＡ４のいずれかにおいて、前記操作子または連動変位部の一方は、被係合部を備えると共に、前記操作子または連動変位部の他方は、前記被係合部と係合可能な係合部を備え、前記被係合部と係合部とが係合することで、前記連動変位部が前記操作子の被保持部のスライド変位に連動して変位可能とされると共に、前記被係合部と係合部との係合が前記連動解除手段により解除可能とされることを特徴とする遊技機Ａ５。
【０２７３】
遊技機Ａ５によれば、遊技機Ａ２からＡ４のいずれかの奏する効果に加え、被係合部と係合部とが係合することで、連動変位部が操作子の被保持部のスライド変位に連動して変位可能とされるので、連動変位部が操作子の被保持部のスライド変位に対し、例えば、摩擦力により連動して変位される場合と比較して、滑りによる両者の位置ずれを抑制できる。よって、連動変位部の変位を操作子の被保持部のスライド変位に正確に追従させることができるので、連動変位部を基準として、操作子を元の変位位置へ調整する（復帰させる）際には、より正確な変位位置に調整することができる。
【０２７４】
遊技機Ａ２からＡ４のいずれかにおいて、前記操作子および連動変位部を結合する結合部材を備え、その結合部材が前記操作子および連動変位部を結合することで、前記連動変位部が前記操作子の被保持部のスライド変位に連動して変位可能とされると共に、前記結合部材による前記操作子および連動変位部の結合が前記連動解除手段により解除可能とされることを特徴とする遊技機Ａ６。
【０２７５】
遊技機Ａ６によれば、遊技機Ａ２からＡ４のいずれかの奏する効果に加え、結合部材が操作子および連動変位部を結合することで、連動変位部が操作子の被保持部のスライド変位に連動して変位可能とされるので、連動変位部が操作子の被保持部のスライド変位に対し、例えば、摩擦力により連動して変位される場合と比較して、滑りによる両者の位置ずれを抑制できる。よって、連動変位部の変位を操作子の被保持部のスライド変位に正確に追従させることができるので、連動変位部を基準として、操作子を元の変位位置へ調整する際には、より正確な変位位置に調整することができる。
【０２７６】
遊技機Ａ２からＡ６のいずれかにおいて、前記操作子は、前記遊技球の発射強度を調整するための前記スライド変位の方向とは異なる第２の方向へ前記被保持部が変位可能に形成され、前記連動解除手段は、前記操作子の被保持部が前記第２の方向へ変位されることで、前記連動変位部が前記操作子に連動して変位されることを解除可能に形成されることを特徴とする遊技機Ａ７。
【０２７７】
遊技機Ａ７によれば、遊技機Ａ２からＡ６のいずれかの奏する効果に加え、遊技球の発射強度を調整するためのスライド変位の方向とは異なる第２の方向へ被保持部が変位されることで、連動解除手段による解除が行われるので、かかる解除動作を容易に行うことができる。即ち、遊技者は、操作子の被保持部をスライド変位の方向へ変位させ、遊技球の発射強度を所望の発射強度に調整した後は、その状態から次いで被保持部を第２の方向へ変位させる操作を行えば良く、連動解除手段による解除を行うために、被保持部を持ち替える動作や、被保持部を操作する手とは逆の手で別の操作手段を操作する動作を行う必要がない。その結果、連動解除手段による解除を行うための動作（解除動作）を容易に行うことができる。
【０２７８】
遊技機Ａ７において、前記スライド変位の方向は、前記被保持部を水平方向に沿って変位させる方向であり、前記第２の方向は、前記被保持部を鉛直方向に沿って下降させる方向であることを特徴とする遊技機Ａ８。
【０２７９】
遊技機Ａ８によれば、遊技機Ａ７の奏する効果に加え、操作子の被保持部を変位させる方向は、遊技球の発射強度を調整するためのスライド変位の方向が、被保持部を水平方向に沿って変位させる方向であり、連動解除手段による解除を行うための第２の方向が、被保持部を鉛直方向に沿って下降させる方向であるので、被保持部のスライド変位の方向への操作量を維持しつつ（即ち、スライド変位の方向への操作位置がずれることを抑制しつつ）、連動解除手段による解除を行うための動作（解除動作）を容易に行うことができる。
【０２８０】
即ち、遊技者は、操作子の被保持部をスライド変位の方向へ変位させ、遊技球の発射強度を所望の発射強度に調整した後、被保持部を第２の方向へ変位させる操作を行う場合には、手の重みを被保持部に作用させる、或いは、手首を下方へ返す動作のみで、被保持部を第２の方向へ容易に変位させることができる。その結果、被保持部のスライド変位の方向への操作量を維持しつつ（即ち、スライド変位の方向への操作位置がずれることを抑制しつつ）、連動解除手段による解除を行うための動作（解除動作）を容易に行うことができる。
【０２８１】
なお、スライド変位の方向は、水平方向に平行である必要はない。即ち、スライド変位の方向が水平方向に沿っているとは、水平方向に対して±６０度の傾斜角度の範囲を許容範囲とする趣旨である。即ち、完全に水平である必要はなく、スライド変位の軌跡の一部または全部が下降傾斜または上昇傾斜していても良い。また、スライド変位は、その軌跡が直線状である形態に限られるものではなく、その軌跡の全部または一部が円弧状に湾曲する形態も含む趣旨である。軌跡が円弧状に湾曲する場合は、その接線方向がスライド変位の方向とされる。
【０２８２】
ここで、遊技機Ａ７において、第２の方向を、水平方向に沿う方向であって遊技機の前後方向（即ち、操作子の被保持部が遊技機の前面から遊技者へ向かう方向、又は、遊技者から遊技機の前面へ向かう方向）に沿う方向としても良い。この構成によっても、被保持部のスライド変位の方向への操作量を維持しつつ（即ち、スライド変位の方向への操作位置がずれることを抑制しつつ）、連動解除手段による解除を行うための動作（解除動作）を容易に行うことができる。
【０２８３】
遊技機Ａ８において、前記連動変位部が前記操作子に連動して変位されることの連動解除手段による解除は、前記第２の方向への前記被保持部の変位が複数回行われた場合に行われることを特徴とする遊技機Ａ９。
【０２８４】
遊技機Ａ８において、遊技者により操作可能に形成される第２操作部分を備え、前記連動変位部が前記操作子に連動して変位されることの連動解除手段による解除は、前記第２操作部分を操作した後に又は前記第２操作部分の操作と同時に、前記被保持部が前記第２の方向へ変位されることで、行われることを特徴とする遊技機Ａ１０。
【０２８５】
遊技機Ａ８において、前記保持部は、前記第２の方向とは異なる方向である第３の方向へ変位可能に形成されると共に、前記第３の方向へ変位された後に、前記第２の方向への変位が可能となるように形成されることを特徴とする遊技機Ａ１１。
【０２８６】
遊技機Ａ９からＡ１１のいずれかによれば、遊技機Ａ８の奏する効果に加え、連動変位部が操作子に連動して変位されることの連動解除手段による解除は、第２の方向への被保持部の変位が複数回行われた場合、第２操作部分を操作した後または第２操作部分の操作と同時に被保持部が第２の方向へ変位された場合、或いは、第３の方向へ変位された後に被保持部が第２の方向へ変位された場合に行われるので、操作子の被保持部が第２の方向へ不用意に操作され、遊技者の意図とは異なる発射強度で、連動解除手段による解除が実行されることを抑制できる。即ち、第２の方向は、鉛直方向に沿って下降させる方向であるので、上述したように、手の重みを利用しやすく、故に、かかる第２の方向への被保持部の操作が容易である反面、第２の方向へ被保持部が不用意に操作されるおそれがあるところ、遊技機Ａ９からＡ１１のいずれかのように、第２の方向への被保持部の変位が複数回行われること、第２操作部分を操作した後または第２操作部分の操作と同時に被保持部が第２の方向へ変位されること、或いは、第３の方向へ変位された後に被保持部が第２の方向へ変位されることを条件とすることで、遊技者の意図とは異なる発射強度で、連動解除手段による解除が不用意に実行されることを効果的に抑制することができる。
【０２８７】
遊技機Ａ８からＡ１１のいずれかにおいて、前記操作子の被保持部が前記第２の方向へ変位されることで、前記連動解除手段による解除が行われると共に、前記操作子の保持部が前記スライド変位の方向へ変位することを規制可能に形成されることを特徴とする遊技機Ａ１２。
【０２８８】
遊技機Ａ１２によれば、遊技機Ａ８からＡ１１のいずれかの奏する効果に加え、操作子の被保持部が第２の方向へ変位されることで、連動解除手段による解除が行われると共に、操作子の被保持部がスライド変位の方向に変位することを規制可能に形成されるので、連動解除手段による解除（即ち、連動変位部の所定位置への固定）を行う際に、操作子の被保持部がスライド変位の方向に変位することの規制も併せて行うことができる。よって、操作子の被保持部のスライド変位の変位位置が意図する所定の変位位置からずれることを抑制でき、その結果、連動変位部を所定の変位位置に適正に留まらせる（固定する）ことができる。
【０２８９】
遊技機Ａ２からＡ１２のいずれかにおいて、前記操作子は、前記遊技球の発射強度を調整するための前記スライド変位の方向とは異なる第２の方向へ前記被保持部が変位可能に形成され、前記連動変位部が前記操作子の被保持部のスライド変位に連動して変位されることが前記連動解除手段により解除された状態において、前記操作子の被保持部が前記第２の方向へ変位されることで、前記連動変位部が前記操作子の被保持部のスライド変位に連動して変位されることを特徴とする遊技機Ａ１３。
【０２９０】
遊技機Ａ１３によれば、遊技機Ａ２からＡ１２のいずれかの奏する効果に加え、遊技球の発射強度を調整するためのスライド変位の方向とは異なる第２の方向へ被保持部が変位されることで、連動解除手段による解除からの復帰（操作子の被保持部のスライド変位に対する連動変位の非連動状態から連動状態への復帰）が行われるので、かかる復帰動作を容易に行うことができる。即ち、連動解除手段による解除からの復帰（復帰動作）を行うために、被保持部を持ち替える動作や、被保持部を操作する手とは逆の手で別の操作手段を操作する動作を行う必要がない。その結果、連動解除手段による解除からの復帰を行うための動作（復帰動作）を容易に行うことができる。
【０２９１】
遊技機Ａ１３において、前記スライド変位の方向は、前記被保持部を水平方向に沿って変位させる方向であり、前記第２の方向は、前記被保持部を鉛直方向に沿って下降させる方向であることを特徴とする遊技機Ａ１４。
【０２９２】
遊技機Ａ１４によれば、遊技機Ａ１３の奏する効果に加え、操作子の被保持部を変位させる方向は、遊技球の発射強度を調整するためのスライド変位の方向が、被保持部を水平方向に沿って変位させる方向であり、連動解除手段による解除からの復帰を行うための第２の方向が、被保持部を鉛直方向に沿って下降させる方向であるので、連動解除手段による解除からの復帰を行うための動作（復帰動作）を容易に行うことができる。即ち、被保持部を第２の方向へ変位させる操作は、手の重みを被保持部に作用させる、或いは、手首を下方へ返す動作のみで、容易に行うことができる。
【０２９３】
遊技機Ａ２からＡ１４のいずれかにおいて、前記操作子の被保持部のスライド変位に連動して変位することが前記連動解除手段により解除された前記連動変位部の変位位置に対し、前記操作子の被保持部の変位位置が近接されると、その操作子の被保持部をスライド変位させる際の操作抵抗が変化されることを特徴とする遊技機Ａ１５。
【０２９４】
遊技機Ａ１５によれば、遊技機Ａ２からＡ１４のいずれかの奏する効果に加え、操作子の被保持部のスライド変位に連動して変位することが連動解除手段により解除された連動変位部の変位位置に対し、操作子の被保持部の変位位置が近接されると、その操作子の被保持部をスライド変位させる際の操作抵抗が変化されるので、操作子の被保持部のスライド変位の変位位置を元の変位位置（即ち、連動変位部の変位位置）に調整する際には、連動変位部と操作子の被保持部との相対的な位置関係を視認し続けてなくても、操作子の被保持部が元の変位位置に近づいたことを、そのスライド変位の操作抵抗の変化に基づいて遊技者に認識させることができる。これにより、操作子の被保持部のスライド変位の変位位置を元の変位位置へ調整する際の操作性の向上と手間の軽減とを図ることができる。
【０２９５】
遊技機Ａ２からＡ１５のいずれかにおいて、前記操作子の被保持部のスライド変位に連動して変位することが前記連動解除手段により解除された前記連動変位部の変位位置に対し、その連動変位部の変位位置を前記操作子の被保持部が通過すると、その操作子の被保持部をスライド変位させる際の操作抵抗が変化されることを特徴とする遊技機Ａ１６。
【０２９６】
遊技機Ａ１６によれば、遊技機Ａ２からＡ１５のいずれかの奏する効果に加え、操作子の被保持部のスライド変位に連動して変位することが連動解除手段により解除された連動変位部の変位位置に対し、その連動変位部の変位位置を操作子の被保持部が通過すると、その操作子の被保持部をスライド変位させる際の操作抵抗が変化されるので、操作子の被保持部のスライド変位の変位位置を元の変位位置（即ち、連動変位部の変位位置）に調整する際には、連動変位部と操作子の被保持部との相対的な位置関係を視認し続けてなくても、操作子の被保持部が元の変位位置を通過したことを、そのスライド変位の操作抵抗の変化に基づいて遊技者に認識させることができる。これにより、操作子の被保持部のスライド変位の変位位置を元の変位位置へ調整する際の操作性の向上と手間の軽減とを図ることができる。
【０２９７】
遊技機Ａ１６において、前記操作子の被保持部のスライド変位に連動して変位することが前記連動解除手段により解除された前記連動変位部の変位位置に対し、前記操作子の被保持部の変位位置が近接された場合のその操作子の被保持部をスライド変位させる際の操作抵抗の変化と、前記連動変位部の変位位置を前記操作子の被保持部が通過する場合のその操作子の被保持部をスライド変位させる際の操作抵抗の変化とが異なるものであることを特徴とする遊技機Ａ１７。
【０２９８】
遊技機Ａ１７によれば、操作子の被保持部のスライド変位に連動して変位することが連動解除手段により解除された連動変位部の変位位置に対し、連動変位部の変位位置に操作子の被保持部が近接する際の操作抵抗の変化と、連動変位部の変位位置を操作子の被保持部が通過する際の操作抵抗が変化とが異なるものとされるので、連動変位部と操作子の被保持部との相対的な位置関係を視認し続けてなくても、操作子の被保持部が元の変位位置に近づいたのか、或いは、元の変位位置を通過したのか、を遊技者に認識させることができる。これにより、操作子の被保持部のスライド変位の変位位置を元の変位位置へ調整する際の操作性の向上と手間の軽減とを図ることができる。
【０２９９】
なお、操作感の変化が異なる形態としては、例えば、操作に必要な力の絶対値が異なる形態、操作に必要な力の変化の仕方が異なる形態、これらの形態を組み合わせた形態などが例示される。
【０３００】
ここで、操作感の変化を形成するための構造としては、例えば、操作子側に突起または変形体の一方を設けると共に、操作子の操作に伴い操作子に対して相対変位される部材に突起または変形体の他方を設け、操作子の操作に伴い、変形体に突起を乗り越えさせることで、変形体を弾性的に変形させると共に初期形状に弾性的に復帰させ、その変形体の変形に伴う力の変化を利用して、操作力の変化を形成する構造が例示される。これによれば、構造を簡素化して、製品コストの低減を図ることができる。
【０３０１】
また、所定位置（連動変位部の変位位置）に近接する際の操作力の変化と、所定位置を通過した際の操作力の変化とを異ならせる構造としては、変形体を片持ち支持された棒状体とすると共に、その棒状体の突起を乗り越える位置を異ならせる（即ち、片持ちされた棒状体の根元側が突起を乗り越える形態と、先端側が突起を乗り越える形態とを形成する）ことで、操作力の変化を異ならせる構造が例示される。これによれば、操作力の変化を両者でより大きく異ならせることができると共に、近接時と通過時とで棒状体を兼用できるので、その分、部品点数を削減して、製品コストの低減を図ることができる。
【０３０２】
遊技機Ａ１からＡ１７のいずれかにおいて、前記操作子は、前記遊技球の発射強度を調整するための前記スライド変位の方向とは異なる第２の方向へ前記被保持部が変位可能に形成され、前記操作子の被保持部が前記第２の方向へ変位されることで、所定の動作が行われることを特徴とする遊技機Ａ１８。
【０３０３】
遊技機Ａ１８によれば、遊技機Ａ１からＡ１７のいずれかの奏する効果に加え、所定の動作を行うための操作（操作子の被保持部を第２の方向へ変位させる操作）を、遊技者が姿勢を変化させることを最小に抑制しつつ、容易に行わせることができる。なお、所定の動作としては、例えば、遊技球の発射の停止、遊技球の発射強度の変更（増加または減少）、操作子の初期位置への復帰の規制（被保持部のスライド変位の方向への変位の禁止または変位の抑制）などが例示される。また、遊技機Ａ３のように、連動変位部および連動解除手段を備える遊技機においては、第２の方向への被保持部の変位により、所定の動作と連動解除手段による解除との両者が行われるようにしても良い。この場合には、被保持部を第２の方向へ変位させる一の動作により、所定の動作を行うための操作と、連動解除手段による解除を行うための操作との二種類の操作を同時に行うことができる。
【０３０４】
遊技機Ａ１からＡ１８のいずれかにおいて、前記操作子の被保持部は、遊技者が把持可能な棒状に形成されることを特徴とする遊技機Ａ１９。
【０３０５】
遊技機Ａ１９によれば、遊技機Ａ１からＡ１８の奏する効果に加え、操作子の被保持部は、遊技者が把持可能な棒状に形成されるので、かかる被保持部を保持し易くすることができ、その結果、被保持部を所定の方向（例えば、スライド変位の方向、或いは、第２の方向など）へ操作する際の操作性の向上を図ることができる。
【０３０６】
遊技機Ａ１９において、前記操作子は、前記被保持部が一側に接続されると共に他側がスライド変位可能に支持される本体部を備え、その本体部の一側から前記被保持部が鉛直方向に沿って上方へ向けて立設されると共に、前記遊技球の発射強度を調整するための前記スライド変位の方向とは異なる第２の方向へ前記被保持部が変位可能に形成され、前記スライド変位の方向は、前記被保持部を水平方向に沿って変位させる方向であり、前記第２の方向は、前記被保持部を鉛直方向に沿って下降させる方向であることを特徴とする遊技機Ａ２０。
【０３０７】
遊技機Ａ２０によれば、遊技機Ａ１９の奏する効果に加え、被保持部は、本体部の一側から鉛直方向に沿って上方へ向けて立設されるので、遊技者に自然な姿勢で被保持部を保持（把持）させることができると共に、かかる被保持部を、水平方向となるスライド変位の方向および鉛直方向となる第２の方向へそれぞれ操作し易くすることができる。特に、被保持部は本体部の一側から立設されるので、被保持部を把持する際には、手の平の外縁部分を本体部に載置しておくことができ、疲労の低減を図ることができると共に、第２の方向へ変位（下降）させる際には、本体部に手の重みを作用させることができ、操作の容易化を図ることができる。
【０３０８】
遊技機Ａ１からＡ２０のいずれかにおいて、所定の動作を行うために遊技者により押し込み操作されるボタン部材を備え、そのボタン部材が前記操作子の被保持部に配設されることを特徴とする遊技機Ａ２１。
【０３０９】
遊技機Ａ２１によれば、遊技機Ａ１からＡ２０のいずれかの奏する効果に加え、所定の動作を行うために遊技者により押し込み操作されるボタン部材を備え、そのボタン部材が操作子の被保持部に配設されるので、所定の動作を行うための操作（ボタン部材の押し込み操作）を、遊技者が姿勢を変化させることを最小に抑制しつつ、容易に行わせることができる。なお、所定の動作としては、例えば、遊技球の発射の停止、遊技球の発射強度の変更（増加または減少）、操作子の初期位置への復帰の規制（被保持部のスライド変位の方向への変位の禁止または変位の抑制）などが例示される。
【０３１０】
遊技機Ａ１からＡ２１のいずれかにおいて、前記操作子の被保持部は、遊技者が手の一部を載置可能な形状に形成される載置面を備えることを特徴とする遊技機Ａ２２。
【０３１１】
遊技機Ａ２２によれば、遊技機Ａ１からＡ２１のいずれかの奏する効果に加え、操作子の被保持部は、遊技者が手の一部を載置可能な形状に形成される載置面を備えるので、例えば、操作部分を把持することができない遊技者であっても、被保持部の載置面を利用して、かかる被保持部をスライド変位の方向へ操作することができる。即ち、回転ハンドルを回転させることで遊技球の発射強度を調整する従来の遊技機では、操作部分を把持できない遊技者が遊技を行うことは困難であり、本発明のように、操作子の被保持部をスライド変位可能に形成し、その被保持部のスライド変位量に応じて遊技球の発射強度を調整する構造を採用することで、操作部分を把持できない遊技者にとって、遊技が初めて可能となったものである。
【０３１２】
遊技機Ａ１からＡ２２のいずれかにおいて、前記操作子の被保持部は、初期位置から漸次下降傾斜される方向へスライド変位されることを特徴とする遊技機Ａ２３。
【０３１３】
遊技機Ａ２３によれば、遊技機Ａ１からＡ２２のいずれかの奏する効果に加え、操作子の被保持部は、初期位置から漸次下降傾斜される方向へスライド変位されるので、かかるスライド変位の変位量を増加させる方向への操作（即ち、遊技球の発射強度を増加させる操作）を、手の重みを利用して、容易に行うことができる。また、遊技球の発射強度を一定に維持する際には、手の重みを利用して、操作子の被保持部を初期位置へ復帰させる付勢力に対抗できるので、遊技者の疲労を低減できる。なお、当該構成は、遊技機Ａ２１のように、遊技者が被保持部の載置面を利用してスライド変位を行う必要がある場合（即ち、遊技者が被保持部を把持できない場合）に特に有効となる。
【０３１４】
遊技機Ａ１からＡ２３のいずれかにおいて、前記遊技機はスロットマシンであることを特徴とする遊技機Ｂ１。中でも、スロットマシンの基本構成としては、「複数の識別情報からなる識別情報列を動的表示した後に識別情報を確定表示する可変表示手段を備え、始動用操作手段（例えば操作レバー）の操作に起因して識別情報の動的表示が開始され、停止用操作手段（ストップボタン）の操作に起因して、或いは、所定時間経過することにより、識別情報の動的表示が停止され、その停止時の確定識別情報が特定識別情報であることを必要条件として、遊技者に有利な特別遊技状態を発生させる特別遊技状態発生手段とを備えた遊技機」となる。この場合、遊技媒体はコイン、メダル等が代表例として挙げられる。
【０３１５】
遊技機Ａ１からＡ２３のいずれかにおいて、前記遊技機はパチンコ遊技機であることを特徴とする遊技機Ｂ２。中でも、パチンコ遊技機の基本構成としてはハンドル装置を備え、そのハンドル装置の操作に応じて球を所定の遊技領域へ発射し、球が遊技領域内の所定の位置に配設された作動口に入賞（又は作動口を通過）することを必要条件として、表示手段において動的表示されている識別情報が所定時間後に確定停止されるものが挙げられる。また、特別遊技状態の発生時には、遊技領域内の所定の位置に配設された可変入賞装置（特定入賞口）が所定の態様で開放されて球を入賞可能とし、その入賞個数に応じた有価価値（景品球のみならず、磁気カードへ書き込まれるデータ等も含む）が付与されるものが挙げられる。
【０３１６】
遊技機Ａ１からＡ２３のいずれかにおいて、前記遊技機はパチンコ遊技機とスロットマシンとを融合させたものであることを特徴とする遊技機Ｂ３。中でも、融合させた遊技機の基本構成としては、「複数の識別情報からなる識別情報列を動的表示した後に識別情報を確定表示する可変表示手段を備え、始動用操作手段（例えば操作レバー）の操作に起因して識別情報の変動が開始され、停止用操作手段（例えばストップボタン）の操作に起因して、或いは、所定時間経過することにより、識別情報の動的表示が停止され、その停止時の確定識別情報が特定識別情報であることを必要条件として、遊技者に有利な特別遊技状態を発生させる特別遊技状態発生手段とを備え、遊技媒体として球を使用すると共に、前記識別情報の動的表示の開始に際しては所定数の球を必要とし、特別遊技状態の発生に際しては多くの球が払い出されるように構成されている遊技機」となる。
【符号の説明】
【０３１７】
１０                                  パチンコ機（遊技機）
５１、２０５１，３０５１，４０５１，５０５１  ハンドル装置（操作装置）
７００                                回転軸部（操作子の一部）
７１１ｃ                              段差面（係合部または被係合部、結合部材）
８００，２８００，３８００，４８００，５８００  操作子
８１０                                本体部
８３０，５８３０                      被保持部
５８３１                              載置面
８９４                                目印
９００                                連動変位部
９１１ｃ                              段差面（被係合部または係合部、結合部材）
【図１】
2020018910.tif 000003
【図２】
2020018910.tif 000004
【図３】
2020018910.tif 000005
【図４】
2020018910.tif 000006
【図５】
2020018910.tif 000007
【図６】
2020018910.tif 000008
【図７】
2020018910.tif 000009
【図８】
2020018910.tif 000010
【図９】
2020018910.tif 000011
【図１０】
2020018910.tif 000012
【図１１】
2020018910.tif 000013
【図１２】
2020018910.tif 000014
【図１３】
2020018910.tif 000015
【図１４】
2020018910.tif 000016
【図１５】
2020018910.tif 000017
【図１６】
2020018910.tif 000018
【図１７】
2020018910.tif 000019
【図１８】
2020018910.tif 000020
【図１９】
2020018910.tif 000021
【図２０】
2020018910.tif 000022
【図２１】
2020018910.tif 000023
【図２２】
2020018910.tif 000024
【図２３】
2020018910.tif 000025
【図２４】
2020018910.tif 000026
【図２５】
2020018910.tif 000027
【図２６】
2020018910.tif 000028
【図２７】
2020018910.tif 000029
【図２８】
2020018910.tif 000030
【図２９】
2020018910.tif 000031
【図３０】
2020018910.tif 000032
【図３１】
2020018910.tif 000033
【図３２】
2020018910.tif 000034
【図３３】
2020018910.tif 000035
【図３４】
2020018910.tif 000036
【図３５】
2020018910.tif 000037
【図３６】
2020018910.tif 000038
【図３７】
2020018910.tif 000039
【図３８】
2020018910.tif 000040
【図３９】
2020018910.tif 000041
【図４０】
2020018910.tif 000042
【図４１】
2020018910.tif 000043
【図４２】
2020018910.tif 000044
【図４３】
2020018910.tif 000045
【図４４】
2020018910.tif 000046
【手続補正書】
【提出日】令和1年11月7日(2019.11.7)
【手続補正１】
【補正対象書類名】特許請求の範囲
【補正対象項目名】全文
【補正方法】変更
【補正の内容】
【特許請求の範囲】
【請求項１】
遊技者によって操作される操作装置を備え、その操作装置の操作量に応じて遊技球の発射強度が調整される遊技機において、
前記操作装置は、
遊技者の操作により変位される操作子と、
前記操作子の変位に連動して変位可能に形成される連動変位部と、
その連動変位部が前記操作子の変位に連動して変位されることを解除する連動解除手段と、
その連動解除手段により前記操作子との連動を解除された前記連動変位部の変位位置に向かって初期位置から変位される前記操作子の変位領域の一部で前記操作子の操作抵抗を大きくする第１抵抗手段と、
前記初期位置から変位され、前記連動変位部の変位位置を越えて変位される前記操作子の操作抵抗を大きくする第２抵抗手段と、を備え、前記操作子の変位量に応じて遊技球の発射強度が調整され、前記連動変位部を基準として遊技者が前記操作子の変位位置を認識可能に形成され、
前記第１抵抗手段は、前記操作子の変位に連動して変位することが解除された前記連動変位部の変位位置に向かって前記初期位置から変位される前記操作子に対して、前記連動変位部の変位位置と前記操作子の前記初期位置との間の第１位置から前記連動変位部の変位位置までの領域を変位させる際の前記操作子の操作抵抗を大きくし、
前記第２抵抗手段により大きくされる前記操作子の操作抵抗の大きさは、前記第１抵抗手段により大きくされる前記操作子の操作抵抗の大きさと異なることを特徴とする遊技機。
【手続補正２】
【補正対象書類名】明細書
【補正対象項目名】全文
【補正方法】変更
【補正の内容】
【発明の詳細な説明】
【技術分野】
【０００１】
本発明は、パチンコ機などの遊技機に関するものである。
【背景技術】
【０００２】
パチンコ機等の遊技機において、ハンドルベースにハンドル回動部が回動可能に取り付けられ、そのハンドル回動部の回動操作量に応じて、球の発射強度を調整するものがある。また、ハンドル回動部の回動操作により、所望の発射強度が得られた場合には、その発射強度を維持して、遊技者の疲れを軽減するべく、ハンドル回動部の回動を固定する構造のものがある。
【先行技術文献】
【特許文献】
【０００３】
【特許文献１】特開２０１２−００５７５９号公報
【発明の概要】
【発明が解決しようとする課題】
【０００４】
操作子（ハンドル回動部）には、付勢ばねによる付勢力が付与されており、遊技者が手を離すと、操作子の操作位置が初期位置へ復帰される。そのため、例えば、遊技を中断した場合には、操作子の操作位置を遊技を中断する前の元の操作位置に調整することが困難である。
【０００５】
本発明は、上記例示した問題点を解決するためになされたものであり、操作子の操作位置を元の操作位置に調整しやすくできる遊技機を提供することを目的とする。
【課題を解決するための手段】
【０００６】
この目的を達成するために請求項１記載の遊技機は、遊技者によって操作される操作装置を備え、その操作装置の操作量に応じて遊技球の発射強度が調整されるものであり、前記操作装置は、遊技者の操作により変位される操作子と、前記操作子の変位に連動して変位可能に形成される連動変位部と、その連動変位部が前記操作子の変位に連動して変位されることを解除する連動解除手段と、その連動解除手段により前記操作子との連動を解除された前記連動変位部の変位位置に向かって初期位置から変位される前記操作子の変位領域の一部で前記操作子の操作抵抗を大きくする第１抵抗手段と、前記初期位置から変位され、前記連動変位部の変位位置を越えて変位される前記操作子の操作抵抗を大きくする第２抵抗手段と、を備え、前記操作子の変位量に応じて遊技球の発射強度が調整され、前記連動変位部を基準として遊技者が前記操作子の変位位置を認識可能に形成され、前記第１抵抗手段は、前記操作子の変位に連動して変位することが解除された前記連動変位部の変位位置に向かって前記初期位置から変位される前記操作子に対して、前記連動変位部の変位位置と前記操作子の前記初期位置との間の第１位置から前記連動変位部の変位位置までの領域を変位させる際の前記操作子の操作抵抗を大きくし、前記第２抵抗手段により大きくされる前記操作子の操作抵抗の大きさは、前記第１抵抗手段により大きくされる前記操作子の操作抵抗の大きさと異なる。
【０００７】
【０００８】
【発明の効果】
【０００９】
請求項１記載の遊技機によれば、操作子の被保持部のスライド変位の変位位置を元の変位位置へ調整する操作を、正確かつ迅速に行うことができる。
【００１０】
【００１１】
【００１２】
【００１３】
【図面の簡単な説明】
【００１４】
【図１】第１実施形態におけるパチンコ機の正面図である。
【図２】パチンコ機の遊技盤の正面図である。
【図３】パチンコ機の背面図である。
【図４】パチンコ機の電気的構成を示すブロック図である。
【図５】（ａ）は、ハンドル装置の上面図であり、（ｂ）は、図５（ａ）の矢印Ｖｂ方向視におけるハンドル装置の側面図である。
【図６】図５（ａ）のＶＩ−ＶＩ線におけるハンドル装置の断面図である。
【図７】（ａ）は、下側ベースの側面図であり、（ｂ）は、図７（ａ）の矢印ＶＩＩｂ方向視における下側ベースの上面図であり、（ｃ）は、図７（ｂ）のＶＩＩｃ−ＶＩＩｃ線における下側ベースの断面図である。
【図８】（ａ）は、中間ベースの側面図であり、（ｂ）は、図８（ａ）の矢印ＶＩＩＩｂ方向視における中間ベースの上面図であり、（ｃ）は、図８（ｂ）のＶＩＩＩｃ−ＶＩＩＩｃ線における中間ベースの断面図である。
【図９】（ａ）は、上側ベースの側面図であり、（ｂ）は、図９（ａ）の矢印ＩＸｂ方向視における上側ベースの下面図であり、（ｃ）は、図９（ｂ）のＩＸｃ−ＩＸｃ線における上側ベースの断面図である。
【図１０】（ａ）及び（ｂ）は、回転軸部および操作子の部分断面側面図であり。
【図１１】（ａ）は、回転軸部の側面図であり、（ｂ）は、図１１（ａ）の矢印ＸＩｂ方向視における回転軸部の背面図であり、（ｃ）は、押上部材の部分断面背面図である。
【図１２】（ａ）は、図１１（ａ）の矢印ＸＩＩａ方向視における回転軸部の上面図であり、（ｂ）は、図１２（ａ）のＸＩＩｂ−ＸＩＩｂ線における回転軸部の断面図である。
【図１３】（ａ）は、操作子の側面図であり、（ｂ）は、図１３（ａ）の矢印ＸＩＩＩｂ方向視における操作子の上面図である。
【図１４】（ａ）は、図１３（ｂ）のＸＩＶａ−ＸＩＶａ線における操作子の部分拡大断面図であり、（ｂ）は、図１３（ｂ）のＸＩＶｂ−ＸＩＶｂ線における操作子の部分拡大断面図である。
【図１５】上側ベースに取り付けられた状態における連動変位部および押下部材の断面図である。
【図１６】（ａ）は、連動変位部の側面図であり、（ｂ）は、図１６（ａ）の矢印ＸＶＩｂ方向視における連動変位部の下面図である。
【図１７】（ａ）は、図１６（ａ）の矢印ＸＶＩＩａ方向視における連動変位部の上面図であり、（ｂ）は、図１７（ａ）のＸＶＩＩｂ−ＸＶＩＩｂ線における連動変位部の断面図である。
【図１８】（ａ）は、押下部材の側面図であり、（ｂ）は、図１８（ａ）の矢印ＸＶＩＩＩｂ方向視における押下部材の上面図である。
【図１９】（ａ）は、昇降部材の側面図であり、（ｂ）は、図１９（ａ）の矢印ＸＩＸｂ方向視における昇降部材の上面図である。
【図２０】回転軸部の円筒部分の内周面を平面に展開して図示した平面展開図である。
【図２１】図２０（ａ）における範囲ＸＸｂを部分的に拡大して図示した部分拡大展開図である。
【図２２】ハンドル装置の断面図である。
【図２３】ハンドル装置の断面図である。
【図２４】ハンドル装置の断面図である。
【図２５】ハンドル装置の断面図である。
【図２６】ハンドル装置の断面図である。
【図２７】（ａ）から（ｄ）は、ハンドル装置の上面模式図である。
【図２８】（ａ）から（ｄ）は、回転軸部および連動変位部の斜視模式図である。
【図２９】（ａ）は、第２実施形態における操作子の側面図であり、（ｂ）は、図２９（ａ）の矢印ＸＸＩＸｂ方向視における操作子の上面図である。
【図３０】（ａ）は、図２９（ｂ）のＸＸＸａ−ＸＸＸａ線における操作子の部分拡大断面図であり、（ｂ）は、図２９（ｂ）のＸＸＸｂ−ＸＸＸｂ線における操作子の部分拡大断面図である。
【図３１】第２実施形態におけるハンドル装置の断面図である。
【図３２】ハンドル装置の断面図である。
【図３３】ハンドル装置の断面図である。
【図３４】（ａ）から（ｃ）は、回転軸部および操作子の側面図である。
【図３５】回転軸部および第３実施形態における操作子の側面図である。
【図３６】回転軸部および操作子の側面図である。
【図３７】（ａ）及び（ｂ）は、第４実施形態における操作子および回転軸部の部分断面側面図である。
【図３８】（ａ）は、操作子の側面図であり、（ｂ）は、図３８（ａ）の矢印ＸＸＸＶＩＩＩｂ方向視における操作子の上面図である。
【図３９】（ａ）は、図３８（ｂ）のＸＸＸＩＸａ−ＸＸＸＩＸａ線における操作子の部分拡大断面図であり、（ｂ）は、図３８（ｂ）のＸＸＸＩＸｂ−ＸＸＸＩＸｂ線における操作子の部分拡大断面図である。
【図４０】ハンドル装置の断面図である。
【図４１】ハンドル装置の断面図である。
【図４２】ハンドル装置の断面図である。
【図４３】（ａ）は、第５実施形態におけるハンドル装置の上面図であり、（ｂ）は、図４３（ａ）の矢印ＸＬＩＩＩｂ方向視におけるハンドル装置の側面図である。
【図４４】ハンドル装置の部分断面側面図である。
【発明を実施するための形態】
【００１５】
以下、本発明の実施形態について、添付図面を参照して説明する。まず、図１から図を参照し、第１実施形態として、本発明をパチンコ遊技機（以下、単に「パチンコ機」という）１０に適用した場合の一実施形態について説明する。図１は、第１実施形態におけるパチンコ機１０の正面図であり、図２はパチンコ機１０の遊技盤１３の正面図であり、図３はパチンコ機１０の背面図である。
【００１６】
図１に示すように、パチンコ機１０は、略矩形状に組み合わせた木枠により外殻が形成される外枠１１と、その外枠１１と略同一の外形形状に形成され外枠１１に対して開閉可能に支持された内枠１２とを備えている。外枠１１には、内枠１２を支持するために正面視（図１参照）左側の上下２カ所に金属製のヒンジ１８が取り付けられ、そのヒンジ１８が設けられた側を開閉の軸として内枠１２が正面手前側へ開閉可能に支持されている。
【００１７】
内枠１２には、多数の釘や入賞口６３，６４等を有する遊技盤１３（図２参照）が裏面側から着脱可能に装着される。この遊技盤１３の前面を球（遊技球）が流下することにより弾球遊技が行われる。なお、内枠１２には、球を遊技盤１３の前面領域に発射する球発射ユニット１１２ａ（図４参照）やその球発射ユニット１１２ａから発射された球を遊技盤１３の前面領域まで誘導する発射レール（図示せず）等が取り付けられている。
【００１８】
内枠１２の前面側には、その前面上側を覆う前面枠１４と、その下側を覆う下皿ユニット１５とが設けられている。前面枠１４及び下皿ユニット１５を支持するために正面視（図１参照）左側の上下２カ所に金属製のヒンジ１９が取り付けられ、そのヒンジ１９が設けられた側を開閉の軸として前面枠１４及び下皿ユニット１５が正面手前側へ開閉可能に支持されている。なお、内枠１２の施錠と前面枠１４の施錠とは、シリンダ錠２０の鍵穴２１に専用の鍵を差し込んで所定の操作を行うことでそれぞれ解除される。
【００１９】
前面枠１４は、装飾用の樹脂部品や電気部品等を組み付けたものであり、その略中央部には略楕円形状に開口形成された窓部１４ｃが設けられている。前面枠１４の裏面側には２枚の板ガラスを有するガラスユニット１６が配設され、そのガラスユニット１６を介して遊技盤１３の前面がパチンコ機１０の正面側に視認可能となっている。
【００２０】
前面枠１４には、球を貯留する上皿１７が前方へ張り出して上面を開放した略箱状に形成されており、この上皿１７に賞球や貸出球などが排出される。上皿１７の底面は正面視（図１参照）右側に下降傾斜して形成され、その傾斜により上皿１７に投入された球が球発射ユニット１１２ａへと案内される。また、上皿１７の上面には、枠ボタン２２が設けられている。この枠ボタン２２は、例えば、第３図柄表示装置８１（図２参照）で表示される演出のステージを変更したり、スーパーリーチの演出内容を変更したりする場合などに、遊技者により操作される。
【００２１】
前面枠１４には、その周囲（例えばコーナー部分）に各種ランプ等の発光手段が設けられている。これら発光手段は、大当たり時や所定のリーチ時等における遊技状態の変化に応じて、点灯又は点滅することにより発光態様が変更制御され、遊技中の演出効果を高める役割を果たす。窓部１４ｃの周縁には、ＬＥＤ等の発光手段を内蔵した電飾部２９〜３３が設けられている。パチンコ機１０においては、これら電飾部２９〜３３が大当たりランプ等の演出ランプとして機能し、大当たり時やリーチ演出時等には内蔵するＬＥＤの点灯や点滅によって各電飾部２９〜３３が点灯または点滅して、大当たり中である旨、或いは大当たり一歩手前のリーチ中である旨が報知される。また、前面枠１４の正面視（図１参照）左上部には、ＬＥＤ等の発光手段が内蔵され賞球の払い出し中とエラー発生時とを表示可能な表示ランプ３４が設けられている。
【００２２】
また、右側の電飾部３２下側には、前面枠１４の裏面側を視認できるように裏面側より透明樹脂を取り付けて小窓３５が形成され、遊技盤１３前面の貼着スペースＫ１（図２参照）に貼付される証紙等はパチンコ機１０の前面から視認可能とされている。また、パチンコ機１０においては、より煌びやかさを醸し出すために、電飾部２９〜３３の周りの領域にクロムメッキを施したＡＢＳ樹脂製のメッキ部材３６が取り付けられている。
【００２３】
窓部１４ｃの下方には、貸球操作部４０が配設されている。貸球操作部４０には、度数表示部４１と、球貸しボタン４２と、返却ボタン４３とが設けられている。パチンコ機１０の側方に配置されるカードユニット（球貸しユニット）（図示せず）に紙幣やカード等を投入した状態で貸球操作部４０が操作されると、その操作に応じて球の貸出が行われる。具体的には、度数表示部４１はカード等の残額情報が表示される領域であり、内蔵されたＬＥＤが点灯して残額情報として残額が数字で表示される。球貸しボタン４２は、カード等（記録媒体）に記録された情報に基づいて貸出球を得るために操作されるものであり、カード等に残額が存在する限りにおいて貸出球が上皿１７に供給される。返却ボタン４３は、カードユニットに挿入されたカード等の返却を求める際に操作される。なお、カードユニットを介さずに球貸し装置等から上皿１７に球が直接貸し出されるパチンコ機、いわゆる現金機では貸球操作部４０が不要となるが、この場合には、貸球操作部４０の設置部分に飾りシール等を付加して部品構成は共通のものとしても良い。カードユニットを用いたパチンコ機と現金機との共通化を図ることができる。
【００２４】
上皿１７の下側に位置する下皿ユニット１５には、その中央部に上皿１７に貯留しきれなかった球を貯留するための下皿５０が上面を開放した略箱状に形成されている。下皿５０の右側には、球を遊技盤１３の前面へ打ち込むために遊技者によって操作されるハンドル装置５１が配設される。
【００２５】
ハンドル装置５１には、球発射ユニット１１２ａの駆動を許可するためのタッチセンサと、押下操作している期間中には球の発射を停止する発射停止スイッチ８９１と、押下操作している期間中には球の発射強度を最大とする右打ちスイッチ８９２と、ハンドル装置５１（操作子８００）のスライド操作量（スライド方向での変位位置）を電気抵抗の変化により検出する可変抵抗器（図示せず）などが配設される。
【００２６】
ハンドル装置５１の操作子８００が遊技者によって右方向（矢印Ｉ方向、図５（ａ）参照）にスライド変位（スライド操作）されると、タッチセンサがオンされると共に可変抵抗器の抵抗値がスライド操作量に対応して変化し、その可変抵抗器の抵抗値に対応した強さ（発射強度）で球が発射され、これにより遊技者の操作に対応した飛び量で遊技盤１３の前面へ球が打ち込まれる。また、ハンドル装置５１が遊技者により操作されていない状態においては、タッチセンサ、発射停止スイッチ８９１及び右打ちスイッチ８９２がオフとなっている。
【００２７】
下皿５０の正面下方部には、下皿５０に貯留された球を下方へ排出する際に操作するための球抜きレバー５２が設けられている。この球抜きレバー５２は、常時、右方向に付勢されており、その付勢に抗して左方向へスライドさせることにより、下皿５０の底面に形成された底面口が開口して、その底面口から球が自然落下して排出される。この球抜きレバー５２の操作は、通常、下皿５０の下方に下皿５０から排出された球を受け取る箱（一般に「千両箱」と称される）を置いた状態で行われる。下皿５０の右方には、上述したようにハンドル装置５１が配設され、下皿５０の左方には灰皿５３が取り付けられている。
【００２８】
図２に示すように、遊技盤１３は、正面視略正方形状に切削加工した木製のベース板６０に、球案内用の多数の釘（図示せず）や風車の他、レール６１，６２、一般入賞口６３、第１入球口６４、第２入球口６４０、第１可変入賞装置６５、第２可変入賞装置６５０、第１スルーゲート６７、第２スルーゲート６７０、可変表示装置ユニット８０等を組み付けて構成され、その周縁部が内枠１２（図１参照）の裏面側に取り付けられる。一般入賞口６３、第１入球口６４、第２入球口６４０、第１可変入賞装置６５、第２可変入賞装置６５０、可変表示装置ユニット８０は、ルータ加工によってベース板６０に形成された貫通穴に配設され、遊技盤１３の前面側から木ネジ等により固定されている。
【００２９】
遊技盤１３の前面中央部分は、前面枠１４の窓部１４ｃ（図１参照）を通じて内枠１２の前面側から視認することができる。以下に、主に図２を参照して、遊技盤１３の構成について説明する。
【００３０】
遊技盤１３の前面には、帯状の金属板を略円弧状に屈曲加工して形成した外レール６２が植立され、その外レール６２の内側位置には外レール６２と同様に帯状の金属板で形成した円弧状の内レール６１が植立される。この内レール６１と外レール６２とにより遊技盤１３の前面外周が囲まれ、遊技盤１３とガラスユニット１６（図１参照）とにより前後が囲まれることにより、遊技盤１３の前面には、球の挙動により遊技が行われる遊技領域が形成される。遊技領域は、遊技盤１３の前面であって２本のレール６１，６２と円弧部材７０とにより区画して形成される略円形状の領域（入賞口等が配設され、発射された球が流下する領域）である。
【００３１】
２本のレール６１，６２は、球発射ユニット１１２ａ（図４参照）から発射された球を遊技盤１３上部へ案内するために設けられたものである。内レール６１の先端部分（図２の左上部）には戻り球防止部材６８が取り付けられ、一旦、遊技盤１３の上部へ案内された球が再度球案内通路内に戻ってしまうといった事態が防止される。外レール６２の先端部（図２の右上部）には、球の最大飛翔部分に対応する位置に返しゴム６９が取り付けられ、所定以上の勢いで発射された球は、返しゴム６９に当たって、勢いが減衰されつつ中央部側へ跳ね返される。また、内レール６１の右下側の先端部と外レール６２の右上側の先端部との間には、レール間を繋ぐ円弧を内面側に設けて形成された樹脂製の円弧部材７０がベース板６０に打ち込んで固定されている。
【００３２】
遊技領域の正面視右側上部（図２の右側上部）には、２つの第１図柄表示装置３７Ａ，３７Ｂが配設されている。第１図柄表示装置３７Ａには、発光手段である複数のＬＥＤ３７Ａａと７セグメント表示器３７Ａｂとが設けられている。他方の第１図柄表示装置３７Ｂもまた同様に、発光手段である複数のＬＥＤ３７Ｂａと７セグメント表示器３７Ｂｂとが設けられている。
【００３３】
第１図柄表示装置３７Ａ，３７Ｂは、主制御装置１１０で行われる各制御に応じた表示がなされるものであり、主にパチンコ機１０の遊技状態の表示が行われる。本実施形態では、これらの第１図柄表示装置３７Ａ，３７Ｂは、球が、第１入球口６４へ入賞したか、第２入球口６４０へ入賞したかに応じて使い分けられるように構成されている。具体的には、球が、第１入球口６４へ入賞した場合には、第１図柄表示装置３７Ａが作動し、一方で、球が、第２入球口６４０へ入賞した場合には、第１図柄表示装置３７Ｂが作動するように構成されている。
【００３４】
複数のＬＥＤ３７Ａａ，３７Ｂａは、いずれも、パチンコ機１０が確変中か時短中か通常中であるかを点灯状態により示したり、変動中であるか否かを点灯状態により示したり、停止図柄が確変大当たりに対応した図柄か普通大当たりに対応した図柄か外れ図柄であるかを点灯状態により示したり、保留球数を点灯状態により示すものである。７セグメント表示装置３７Ａｂ，３７Ｂｂは、いずれも、大当たり中のラウンド数やエラー表示を行うものである。なお、ＬＥＤ３７Ａａ，３７Ｂａは、それぞれのＬＥＤの発光色（例えば、赤、緑、青）が異なるよう構成され、その発光色の組み合わせにより、少ないＬＥＤでパチンコ機１０の各種遊技状態を示唆することができる。
【００３５】
尚、本パチンコ機１０では、第１入球口６４及び第２入球口６４０へ入球があったことを契機として抽選が行われる。パチンコ機１０は、その抽選において、大当たりか否かの当否判定（大当たり抽選）を行うと共に、大当たりと判定した場合はその大当たり種別の判定も行う。ここで判定される大当たり種別としては、１５Ｒ確変大当たり、４Ｒ確変大当たり、１５Ｒ通常大当たりが用意されている。ＬＥＤ３７Ａａ，３７Ｂａには、変動終了後の停止図柄として抽選の結果が大当たりであるか否かが示されるだけでなく、大当たりである場合はその大当たり種別に応じた図柄が示される。
【００３６】
ここで、「１５Ｒ確変大当たり」とは、最大ラウンド数が１５ラウンドの大当たりの後に高確率状態へ移行する確変大当たりのことであり、「４Ｒ確変大当たり」とは、最大ラウンド数が４ラウンドの大当たりの後に高確率状態へ移行する確変大当たりのことである。また、「１５Ｒ通常大当たり」は、最大ラウンド数が１５ラウンドの大当たりの後に、低確率状態へ移行すると共に、所定の変動回数の間（例えば、１００変動回数）は時短状態となる大当たりのことである。
【００３７】
また、「高確率状態」とは、大当たり終了後に付加価値としてその後の大当たり確率がアップした状態、いわゆる確率変動中（確変中）の時をいい、換言すれば、特別遊技状態へ移行し易い遊技の状態のことである。本実施形態における高確率状態（確変中）は、後述する第２図柄の当たり確率がアップして第２入球口６４０へ球が入球し易い遊技の状態を含む。「低確率状態」とは、確変中でない時をいい、大当たり確率が通常の状態、即ち、確変の時より大当たり確率が低い状態をいう。また、「低確率状態」のうちの時短状態（時短中）とは、大当たり確率が通常の状態であると共に、大当たり確率がそのままで第２図柄の当たり確率のみがアップして第２入球口６４０へ球が入球し易い遊技の状態のことをいう。一方、パチンコ機１０が通常中とは、確変中でも時短中でもない遊技の状態（大当たり確率も第２図柄の当たり確率もアップしていない状態）である。
【００３８】
確変中や時短中は、第２図柄の当たり確率がアップするだけではなく、第２入球口６４０に付随する電動役物６４０ａが開放される時間も変更され、通常中と比して長い時間が設定される。電動役物６４０ａが開放された状態（開放状態）にある場合は、その電動役物６４０ａが閉鎖された状態（閉鎖状態）にある場合と比して、第２入球口６４０へ球が入球しやすい状態となる。よって、確変中や時短中は、第２入球口６４０へ球が入球し易い状態となり、大当たり抽選が行われる回数を増やすことができる。
【００３９】
なお、確変中や時短中において、第２入球口６４０に付随する電動役物６４０ａの開放時間を変更するのではなく、または、その開放時間を変更することに加えて、１回の当たりで電動役物６４０ａが開放する回数を通常中よりも増やす変更を行うものとしてもよい。また、確変中や時短中において、第２図柄の当たり確率は変更せず、第２入球口６４０に付随する電動役物６４０ａが開放される時間および１回の当たりで電動役物６４０ａが開放する回数の少なくとも一方を変更するものとしてもよい。また、確変中や時短中において、第２入球口６４０に付随する電動役物６４０ａが開放される時間や、１回の当たりで電動役物６４０ａを開放する回数はせず、第２図柄の当たり確率だけを、通常中と比してアップするよう変更するものであってもよい。
【００４０】
遊技領域には、球が入賞することにより５個から１５個の球が賞球として払い出される複数の一般入賞口６３が配設されている。また、遊技領域の中央部分には、可変表示装置ユニット８０が配設されている。可変表示装置ユニット８０には、第１入球口６４及び第２入球口６４０への入球（始動入賞）をトリガとして、第１図柄表示装置３７Ａ，３７Ｂにおける変動表示と同期させながら、第３図柄の変動表示を行う液晶ディスプレイ（以下単に「表示装置」と略す）で構成された第３図柄表示装置８１と、第１スルーゲート６７及び第２スルーゲート６７０の球の通過をトリガとして第２図柄を変動表示するＬＥＤで構成される第２図柄表示装置８３とが設けられている。また、可変表示装置ユニット８０には、第３図柄表示装置８１の外周を囲むようにして、センターフレーム８６が配設されている。
【００４１】
第３図柄表示装置８１は８インチサイズの大型の液晶ディスプレイで構成されるものであり、表示制御装置１１４（図４参照）によって表示内容が制御されることにより、例えば上、中及び下の３つの図柄列が表示される。各図柄列は複数の図柄（第３図柄）によって構成され、これらの第３図柄が図柄列毎に横スクロールして第３図柄表示装置８１の表示画面上にて第３図柄が可変表示されるようになっている。本実施形態の第３図柄表示装置８１は、主制御装置１１０（図４参照）の制御に伴った遊技状態の表示が第１図柄表示装置３７で行われるのに対して、その第１図柄表示装置３７の表示に応じた装飾的な表示を行うものである。なお、表示装置に代えて、例えばリール等を用いて第３図柄表示装置８１を構成するようにしても良い。
【００４２】
第２図柄表示装置８３は、球が第１スルーゲート６７及び第２スルーゲート６７０を通過する毎に表示図柄（第２図柄）としての「○」の図柄と「×」の図柄とを所定時間交互に点灯させる変動表示を行うものである。パチンコ機１０では、球が第１スルーゲート６７又は第２スルーゲート６７０を通過したことが検出されと、当たり抽選が行われる。その当たり抽選の結果、当たりであれば、第２図柄表示装置８３において、第２図柄の変動表示後に「○」の図柄が停止表示される。また、当たり抽選の結果、外れであれば、第２図柄表示装置８３において、第３図柄の変動表示後に「×」の図柄が停止表示される。
【００４３】
パチンコ機１０は、第２図柄表示装置８３における変動表示が所定図柄（本実施形態においては「○」の図柄）で停止した場合に、第２入球口６４０に付随された電動役物６４０ａが所定時間だけ作動状態となる（開放される）よう構成されている。
【００４４】
第２図柄の変動表示にかかる時間は、遊技状態が通常中の場合よりも、確変中または時短中の方が短くなるように設定される。これにより、確変中および時短中は、第２図柄の変動表示が短い時間で行われるので、当たり抽選を通常中よりも多く行うことができる。よって、当たり抽選において当たりとなる機会が増えるので、第２入球口６４０の電動役物６４０ａが開放状態となる機会を遊技者に多く与えることができる。よって、確変中および時短中は、第２入球口６４０へ球が入球しやすい状態とすることができる。
【００４５】
なお、確変中または時短中において、当たり確率を高める、１回に当たりに対する電動役物６４０ａの開放時間や開放回数を増やすなど、その他の方法によっても、確変中または時短中に第２入球口６４０へ球が入球しやすい状態としている場合は、第２図柄の変動表示にかかる時間を遊技状態にかかわらず一定としてもよい。一方、第２図柄の変動表示にかかる時間を、確変中または時短中において通常中よりも短く設定する場合は、当たり確率を遊技状態にかかわらず一定にしてもよいし、また、１回の当たりに対する電動役物６４０ａの開放時間や開放回数を遊技状態にかかわらず一定にしてもよい。
【００４６】
第１スルーゲート６７は、可変表示装置ユニット８０の左方において遊技盤に組み付けられ、遊技盤に発射された球のうち、遊技盤の左方を流下する球の一部が通過可能に構成されている。また、第２スルーゲート６７０は、可変表示装置ユニット８０の右方において遊技盤に組み付けられ、遊技盤に発射された球のうち、遊技盤の右方を流下する球の一部が通過可能に構成されている。第１スルーゲート６７又は第２スルーゲート６７０を球が通過すると、第２図柄の当たり抽選が行われる。当たり抽選の後、第２図柄表示装置８３にて変動表示を行い、当たり抽選の結果が当たりであれば、変動表示の停止図柄として「○」の図柄を表示し、当たり抽選の結果が外れであれば、変動表示の停止図柄として「×」の図柄を表示する。
【００４７】
球の第１スルーゲート６７及び第２スルーゲート６７０の通過回数は、合計で最大４回まで保留され、その保留球数が上述した第１図柄表示装置３７により表示されると共に第２図柄保留ランプ８４においても点灯表示される。第２図柄保留ランプ８４は、最大保留数分の４つ設けられ、第３図柄表示装置８１の下方に左右対称に配設されている。
【００４８】
なお、第２図柄の変動表示は、本実施形態のように、第２図柄表示装置８３において複数のランプの点灯と非点灯を切り換えることにより行うものの他、第１図柄表示装置３７及び第３図柄表示装置８１の一部を使用して行うようにしても良い。同様に、第２図柄保留ランプ８４の点灯を第３図柄表示装置８１の一部で行うようにしても良い。また、第１スルーゲート６７及び第２スルーゲート６７０の球の通過に対する最大保留球数は４回に限定されるものでなく、３回以下、又は、５回以上の回数（例えば、８回）に設定しても良い。また、第１図柄表示装置３７により保留球数が示されるので、第２図柄保留ランプ８４により点灯表示を行わないものとしてもよい。
【００４９】
可変表示装置ユニット８０の下方には、球が入球し得る第１入球口６４が配設されている。この第１入球口６４へ球が入球すると遊技盤１３の裏面側に設けられる第１入球口スイッチ（図示せず）がオンとなり、その第１入球口スイッチのオンに起因して主制御装置１１０（図４参照）で大当たりの抽選がなされ、その抽選結果に応じた表示が第１図柄表示装置３７ＡのＬＥＤ３７Ａａで示される。
【００５０】
一方、可変表示装置ユニット８０の正面視右方には、球が入球し得る第２入球口６４０が配設されている。この第２入球口６４０へ球が入球すると遊技盤１３の裏面側に設けられる第２入球口スイッチ（図示せず）がオンとなり、その第２入球口スイッチのオンに起因して主制御装置１１０（図４参照）で大当たりの抽選がなされ、その抽選結果に応じた表示が第１図柄表示装置３７ＢのＬＥＤ３７Ｂａで示される。
【００５１】
また、第１入球口６４および第２入球口６４０は、それぞれ、球が入球すると５個の球が賞球として払い出される入賞口の１つにもなっている。なお、本実施形態においては、第１入球口６４へ球が入球した場合に払い出される賞球数と第２入球口６４０へ球が入球した場合に払い出される賞球数とを同じに構成したが、第１入球口６４へ球が入球した場合に払い出される賞球数と第２入球口６４０へ球が入球した場合に払い出される賞球数とを異なる数、例えば、第１入球口６４へ球が入球した場合に払い出される賞球数を３個とし、第２入球口６４０へ球が入球した場合に払い出される賞球数を５個として構成してもよい。
【００５２】
第２入球口６４０には電動役物６４０ａが付随されている。この電動役物６４０ａは開閉可能に構成されており、通常は電動役物６４０ａが閉鎖状態（縮小状態）となって、球が第２入球口６４０へ入球しにくい状態となっている。一方、第１スルーゲート６７及び第２スルーゲート６７０への球の通過を契機として行われる第２図柄の変動表示の結果、「○」の図柄が第２図柄表示装置８３に表示された場合、電動役物６４０ａが開放状態（拡大状態）となり、球が第２入球口６４０へ入球しやすい状態となる。
【００５３】
上述した通り、確変中および時短中は、通常中と比して第２図柄の当たり確率が高く、また、第２図柄の変動表示にかかる時間も短いので、第２図柄の変動表示において「○」の図柄が表示され易くなって、電動役物６４０ａが開放状態（拡大状態）となる回数が増える。更に、確変中および時短中は、電動役物６４０ａが開放される時間も、通常中より長くなる。よって、確変中および時短中は、通常時と比して、第２入球口６４０へ球が入球しやすい状態を作ることができる。
【００５４】
ここで、第１入球口６４に球が入球した場合と第２入球口６４０へ球が入球した場合とで、大当たりとなる確率は、低確率状態であっても高確率状態でも同一である。しかしながら、大当たりとなった場合に選定される大当たりの種別として１５Ｒ確変大当たりとなる確率は、第２入球口６４０へ球が入球した場合のほうが第１入球口６４へ球が入球した場合よりも高く設定されている。一方、第１入球口６４は、第２入球口６４０にあるような電動役物は有しておらず、球が常時入球可能な状態となっている。
【００５５】
よって、通常中においては、第２入球口６４０に付随する電動役物が閉鎖状態にある場合が多く、第２入球口６４０に入球しづらいので、電動役物のない第１入球口６４へ向けて、可変表示装置ユニット８０の左方を球が通過するように球を発射し（所謂「左打ち」）、第１入球口６４への入球によって大当たり抽選の機会を多く得て、大当たりとなることを狙った方が、遊技者にとって有利となる。
【００５６】
一方、確変中や時短中は、第２入球口６４０に付随する電動役物が開放状態となりやすく、第２入球口６４０に入球しやすい状態であるので、第２入球口６４０へ向けて、可変表示装置８０の右方を球が通過するように球を発射し（所謂「右打ち」）、第２入球口６４０への入球によって１５Ｒ確変大当たりとなることを狙った方が、遊技者にとって有利となる。
【００５７】
このように、本実施形態のパチンコ機１０は、パチンコ機１０の遊技状態（確変中であるか、時短中であるか、通常中であるか）に応じて、遊技者に対し、球の発射の仕方を「左打ち」と「右打ち」とに変えさせることができる。よって、遊技者に対して、球の打ち方に変化をもたらすことができるので、遊技を楽しませることができる。
【００５８】
第１入球口６４の下方には第１可変入賞装置６５が配設されており、その略中央部分に横長矩形状の特定入賞口（大開放口）６５ａが設けられている。パチンコ機１０においては、第１入球口６４への入球に起因して行われた大当たり抽選が大当たりとなると、所定時間（変動時間）が経過した後に、大当たりの停止図柄となるよう第１図柄表示装置３７ＡのＬＥＤ３７Ａａを点灯させると共に、その大当たりに対応した停止図柄を第３図柄表示装置８１に表示させて、大当たりの発生が示される。その後、球が入賞し易い特別遊技状態（大当たり）に遊技状態が遷移する。この特別遊技状態として、通常時には閉鎖されている特定入賞口６５ａが、所定時間（例えば、３０秒経過するまで、或いは、球が１０個入賞するまで）開放される。
【００５９】
また、第２入球口６４０の下方には第２可変入賞装置６５０が配設されており、その略中央部分に横長矩形状の特定入賞口（大開放口）６５０ａが設けられている。パチンコ機１０においては、第２入球口６４０への入球に起因して行われた大当たり抽選が大当たりとなると、所定時間（変動時間）が経過した後に、大当たりの停止図柄となるよう第１図柄表示装置３７ＢのＬＥＤ３７Ｂａを点灯させると共に、その大当たりに対応した停止図柄を第３図柄表示装置８１に表示させて、大当たりの発生が示される。その後、球が入賞し易い特別遊技状態（大当たり）に遊技状態が遷移する。この特別遊技状態として、通常時には閉鎖されている特定入賞口６５０ａが、所定時間（例えば、３０秒経過するまで、或いは、球が１０個入賞するまで）開放される。
【００６０】
この特定入賞口６５ａ，６５０ａは、いずれも所定時間が経過すると閉鎖され、その閉鎖後、再度、その特定入賞口６５ａ，６５０ａが所定時間開放される。この特定入賞口６５ａ，６５０ａの開閉動作は、最高で例えば１５回（１５ラウンド）繰り返し可能にされている。この開閉動作が行われている状態が、遊技者にとって有利な特別遊技状態の一形態であり、遊技者には、遊技上の価値（遊技価値）の付与として通常時より多量の賞球の払い出しが行われる。
【００６１】
第１可変入賞装置６５及び第２可変入賞装置６５０は、具体的には、特定入賞口６５ａ又は特定入賞口６５０ａを覆う横長矩形状の開閉板と、その開閉板の下辺を軸として前方側に開閉駆動するための大開放口ソレノイド（図示せず）とをいずれも備えている。特定入賞口６５ａ，６５０ａは、通常時は、球が入賞できないか又は入賞し難い閉状態になっている。大当たりの際には大開放口ソレノイドを駆動して開閉板を前面下側に傾倒し、球が特定入賞口６５ａに入賞しやすい開状態を一時的に形成し、その開状態と通常時の閉状態との状態を交互に繰り返すように作動する。
【００６２】
なお、上記した形態に特別遊技状態は限定されるものではない。特定入賞口６５ａ，６５０ａとは別に開閉される大開放口を遊技領域に設け、第１図柄表示装置３７Ａ，３７Ｂにおいて大当たりに対応したＬＥＤ３７Ａａ，ＬＥＤ３７Ｂａが点灯した場合に、特定入賞口６５ａ，６５０ａが所定時間開放され、その特定入賞口６５ａ，６５０ａの開放中に、球が特定入賞口６５ａ，６５０ａ内へ入賞することを契機として特定入賞口６５ａ，６５０ａとは別に設けられた大開放口が所定時間、所定回数開放される遊技状態を特別遊技状態として形成するようにしても良い。
【００６３】
遊技盤１３の下側における左右の隅部には、証紙や識別ラベル等を貼着するための貼着スペースＫ１，Ｋ２が設けられ、貼着スペースＫ１に貼られた証紙等は、前面枠１４の小窓３５（図１参照）を通じて視認することができる。
【００６４】
更に、遊技盤１３には、アウト口６６が設けられている。いずれの入賞口６３，６４，６５ａ，６４０，６５０ａにも入球しなかった球はアウト口６６を通って図示しない球排出路へと案内される。遊技盤１３には、球の落下方向を適宜分散、調整等するために多数の釘が植設されているとともに、風車等の各種部材（役物）が配設されている。
【００６５】
図３に示すように、パチンコ機１０の背面側には、制御基板ユニット９０，９１と、裏パックユニット９４とが主に備えられている。制御基板ユニット９０は、主基板（主制御装置１１０）と音声ランプ制御基板（音声ランプ制御装置１１３）と表示制御基板（表示制御装置１１４）とが搭載されてユニット化されている。制御基板ユニット９１は、払出制御基板（払出制御装置１１１）と発射制御基板（発射制御装置１１２）と電源基板（電源装置１１５）とカードユニット接続基板１１６とが搭載されてユニット化されている。
【００６６】
裏パックユニット９４は、保護カバー部を形成する裏パック９２と払出ユニット９３とがユニット化されている。また、各制御基板には、各制御を司る１チップマイコンとしてのＭＰＵ、各種機器との連絡をとるポート、各種抽選の際に用いられる乱数発生器、時間計数や同期を図る場合などに使用されるクロックパルス発生回路等が、必要に応じて搭載されている。
【００６７】
なお、主制御装置１１０、音声ランプ制御装置１１３及び表示制御装置１１４、払出制御装置１１１及び発射制御装置１１２、電源装置１１５、カードユニット接続基板１１６は、それぞれ基板ボックス１００〜１０４に収納されている。基板ボックス１００〜１０４は、ボックスベースと該ボックスベースの開口部を覆うボックスカバーとを備えており、そのボックスベースとボックスカバーとが互いに連結されて、各制御装置や各基板が収納される。
【００６８】
また、基板ボックス１００（主制御装置１１０）及び基板ボックス１０２（払出制御装置１１１及び発射制御装置１１２）は、ボックスベースとボックスカバーとを封印ユニット（図示せず）によって開封不能に連結（かしめ構造による連結）している。また、ボックスベースとボックスカバーとの連結部には、ボックスベースとボックスカバーとに亘って封印シール（図示せず）が貼着されている。この封印シールは、脆性な素材で構成されており、基板ボックス１００，１０２を開封するために封印シールを剥がそうとしたり、基板ボックス１００，１０２を無理に開封しようとすると、ボックスベース側とボックスカバー側とに切断される。よって、封印ユニット又は封印シールを確認することで、基板ボックス１００，１０２が開封されたかどうかを知ることができる。
【００６９】
払出ユニット９３は、裏パックユニット９４の最上部に位置して上方に開口したタンク１３０と、タンク１３０の下方に連結され下流側に向けて緩やかに傾斜するタンクレール１３１と、タンクレール１３１の下流側に縦向きに連結されるケースレール１３２と、ケースレール１３２の最下流部に設けられ、払出モータ２１６（図４参照）の所定の電気的構成により球の払出を行う払出装置１３３とを備えている。タンク１３０には、遊技ホールの島設備から供給される球が逐次補給され、払出装置１３３により必要個数の球の払い出しが適宜行われる。タンクレール１３１には、当該タンクレール１３１に振動を付加するためのバイブレータ１３４が取り付けられている。
【００７０】
また、払出制御装置１１１には状態復帰スイッチ１２０が設けられ、発射制御装置１１２には可変抵抗器の操作つまみ１２１が設けられ、電源装置１１５にはＲＡＭ消去スイッチ１２２が設けられている。状態復帰スイッチ１２０は、例えば、払出モータ２１６（図４参照）部の球詰まり等、払出エラーの発生時に球詰まりを解消（正常状態への復帰）するために操作される。操作つまみ１２１は、発射ソレノイドの発射力を調整するために操作される。ＲＡＭ消去スイッチ１２２は、パチンコ機１０を初期状態に戻したい場合に電源投入時に操作される。
【００７１】
次に、図４を参照して、本パチンコ機１０の電気的構成について説明する。図４は、パチンコ機１０の電気的構成を示すブロック図である。
【００７２】
主制御装置１１０には、演算装置である１チップマイコンとしてのＭＰＵ２０１が搭載されている。ＭＰＵ２０１には、該ＭＰＵ２０１により実行される各種の制御プログラムや固定値データを記憶したＲＯＭ２０２と、そのＲＯＭ２０２内に記憶される制御プログラムの実行に際して各種のデータ等を一時的に記憶するためのメモリであるＲＡＭ２０３と、そのほか、割込回路やタイマ回路、データ送受信回路などの各種回路が内蔵されている。主制御装置１１０では、ＭＰＵ２０１によって、大当たり抽選や第１図柄表示装置３７および第３図柄表示装置８１における表示の設定、第２図柄表示装置８３における表示結果の抽選といったパチンコ機１０の主要な処理を実行する。
【００７３】
なお、払出制御装置１１１や音声ランプ制御装置１１３などのサブ制御装置に対して動作を指示するために、主制御装置１１０から該サブ制御装置へ各種のコマンドがデータ送受信回路によって送信されるが、かかるコマンドは、主制御装置１１０からサブ制御装置へ一方向にのみ送信される。
【００７４】
ＲＡＭ２０３は、各種エリア、カウンタ、フラグのほか、ＭＰＵ２０１の内部レジスタの内容やＭＰＵ２０１により実行される制御プログラムの戻り先番地などが記憶されるスタックエリアと、各種のフラグおよびカウンタ、Ｉ／Ｏ等の値が記憶される作業エリア（作業領域）とを有している。なお、ＲＡＭ２０３は、パチンコ機１０の電源の遮断後においても電源装置１１５からバックアップ電圧が供給されてデータを保持（バックアップ）できる構成となっており、ＲＡＭ２０３に記憶されるデータは、すべてバックアップされる。
【００７５】
停電などの発生により電源が遮断されると、その電源遮断時（停電発生時を含む。以下同様）のスタックポインタや、各レジスタの値がＲＡＭ２０３に記憶される。一方、電源投入時（停電解消による電源投入を含む。以下同様）には、ＲＡＭ２０３に記憶される情報に基づいて、パチンコ機１０の状態が電源遮断前の状態に復帰される。ＲＡＭ２０３への書き込みはメイン処理（図示せず）によって電源遮断時に実行され、ＲＡＭ２０３に書き込まれた各値の復帰は電源投入時の立ち上げ処理（図示せず）において実行される。なお、ＭＰＵ２０１のＮＭＩ端子（ノンマスカブル割込端子）には、停電等の発生による電源遮断時に、停電監視回路２５２からの停電信号ＳＧ１が入力されるように構成されており、その停電信号ＳＧ１がＭＰＵ２０１へ入力されると、停電時処理としてのＮＭＩ割込処理（図示せず）が即座に実行される。
【００７６】
主制御装置１１０のＭＰＵ２０１には、アドレスバス及びデータバスで構成されるバスライン２０４を介して入出力ポート２０５が接続されている。入出力ポート２０５には、払出制御装置１１１、音声ランプ制御装置１１３、第１図柄表示装置３７、第２図柄表示装置８３、第２図柄保留ランプ８４、特定入賞口６５ａ，６５０ａの開閉板の下辺を軸として前方側に開閉駆動するための大開放口ソレノイドや電動役物を駆動するためのソレノイドなどからなるソレノイド２０９が接続され、ＭＰＵ２０１は、入出力ポート２０５を介してこれらに対し各種コマンドや制御信号を送信する。
【００７７】
また、入出力ポート２０５には、図示しないスイッチ群やセンサ群などからなる各種スイッチ２０８や、電源装置１１５に設けられた後述のＲＡＭ消去スイッチ回路２５３が接続され、ＭＰＵ２０１は各種スイッチ２０８から出力される信号や、ＲＡＭ消去スイッチ回路２５３より出力されるＲＡＭ消去信号ＳＧ２に基づいて各種処理を実行する。
【００７８】
払出制御装置１１１は、払出モータ２１６を駆動させて賞球や貸出球の払出制御を行うものである。演算装置であるＭＰＵ２１１は、そのＭＰＵ２１１により実行される制御プログラムや固定値データ等を記憶したＲＯＭ２１２と、ワークメモリ等として使用されるＲＡＭ２１３とを有している。
【００７９】
払出制御装置１１１のＲＡＭ２１３は、主制御装置１１０のＲＡＭ２０３と同様に、ＭＰＵ２１１の内部レジスタの内容やＭＰＵ２１１により実行される制御プログラムの戻り先番地などが記憶されるスタックエリアと、各種のフラグおよびカウンタ、Ｉ／Ｏ等の値が記憶される作業エリア（作業領域）とを有している。ＲＡＭ２１３は、パチンコ機１０の電源の遮断後においても電源装置１１５からバックアップ電圧が供給されてデータを保持（バックアップ）できる構成となっており、ＲＡＭ２１３に記憶されるデータは、すべてバックアップされる。なお、主制御装置１１０のＭＰＵ２０１と同様、ＭＰＵ２１１のＮＭＩ端子にも、停電等の発生による電源遮断時に停電監視回路２５２から停電信号ＳＧ１が入力されるように構成されており、その停電信号ＳＧ１がＭＰＵ２１１へ入力されると、停電時処理としてのＮＭＩ割込処理（図示せず）が即座に実行される。
【００８０】
払出制御装置１１１のＭＰＵ２１１には、アドレスバス及びデータバスで構成されるバスライン２１４を介して入出力ポート２１５が接続されている。入出力ポート２１５には、主制御装置１１０や払出モータ２１６、発射制御装置１１２などがそれぞれ接続されている。また、図示はしないが、払出制御装置１１１には、払い出された賞球を検出するための賞球検出スイッチが接続されている。なお、該賞球検出スイッチは、払出制御装置１１１に接続されるが、主制御装置１１０には接続されていない。
【００８１】
発射制御装置１１２は、主制御装置１１０により球の発射の指示がなされた場合に、ハンドル装置５１のスライド操作量に応じた球の打ち出し強さとなるよう球発射ユニット１１２ａを制御するものである。球発射ユニット１１２ａは、図示しない発射ソレノイドおよび電磁石を備えており、その発射ソレノイドおよび電磁石は、所定条件が整っている場合に駆動が許可される。具体的には、遊技者がハンドル装置５１に触れていることをタッチセンサにより検出し、球の発射を停止させるための発射停止スイッチ８９１及び球の発射強度を最大とする右打ちスイッチ８９２がオフ（操作されていないこと）を条件に、ハンドル装置５１のスライド操作量（スライド方向での変位位置）に対応して発射ソレノイドが励磁され、ハンドル装置５１の操作量に応じた強さで球が発射される。
【００８２】
音声ランプ制御装置１１３は、音声出力装置（図示しないスピーカなど）２２６における音声の出力、ランプ表示装置（電飾部２９〜３３、表示ランプ３４など）２２７における点灯および消灯の出力、変動演出（変動表示）や予告演出といった表示制御装置１１４で行われる第３図柄表示装置８１の表示態様の設定などを制御するものである。演算装置であるＭＰＵ２２１は、そのＭＰＵ２２１により実行される制御プログラムや固定値データ等を記憶したＲＯＭ２２２と、ワークメモリ等として使用されるＲＡＭ２２３とを有している。
【００８３】
音声ランプ制御装置１１３のＭＰＵ２２１には、アドレスバス及びデータバスで構成されるバスライン２２４を介して入出力ポート２２５が接続されている。入出力ポート２２５には、主制御装置１１０、表示制御装置１１４、音声出力装置２２６、ランプ表示装置２２７、枠ボタン２２などがそれぞれ接続されている。
【００８４】
音声ランプ制御装置１１３は、主制御装置１１０から受信した各種のコマンド（変動パターンコマンド、停止種別コマンド等）に基づいて、第３図柄表示装置８１の表示態様を決定し、決定した表示態様をコマンド（表示用変動パターンコマンド、表示用停止種別コマンド等）によって表示制御装置１１４へ通知する。また、音声ランプ制御装置１１３は、枠ボタン２２からの入力を監視し、遊技者によって枠ボタン２２が操作された場合は、第３図柄表示装置８１で表示されるステージを変更したり、スーパーリーチ時の演出内容を変更したりするように、表示制御装置１１４へ指示する。ステージが変更される場合は、変更後のステージに応じた背面画像を第３図柄表示装置８１に表示させるべく、変更後のステージに関する情報を含めた背面画像変更コマンドを表示制御装置１１４へ送信する。ここで、背面画像とは、第３図柄表示装置８１に表示させる主要な画像である第３図柄の背面側に表示される画像のことである。表示制御装置１１４は、この音声ランプ制御装置１１３から送信されるコマンドに従って、第３図柄表示装置８１に各種の画像を表示する。
【００８５】
また、音声ランプ制御装置１１３は、表示制御装置１１４から第３図柄表示装置８１の表示内容を表すコマンド（表示コマンド）を受信する。音声ランプ制御装置１１３では、表示制御装置１１４から受信した表示コマンドに基づき、第３図柄表示装置８１の表示内容に合わせて、その表示内容に対応する音声を音声出力装置２２６から出力し、また、その表示内容に対応させてランプ表示装置２２７の点灯および消灯を制御する。
【００８６】
表示制御装置１１４は、音声ランプ制御装置１１３及び第３図柄表示装置８１が接続され、音声ランプ制御装置１１３より受信したコマンドに基づいて、第３図柄表示装置８１における第３図柄の変動演出などの表示を制御するものである。また、表示制御装置１１４は、第３図柄表示装置８１の表示内容を通知する表示コマンドを適宜音声ランプ制御装置１１３へ送信する。音声ランプ制御装置１１３は、この表示コマンドによって示される表示内容にあわせて音声出力装置２２６から音声を出力することで、第３図柄表示装置８１の表示と音声出力装置２２６からの音声出力とをあわせることができる。
【００８７】
電源装置１１５は、パチンコ機１０の各部に電源を供給するための電源部２５１と、停電等による電源遮断を監視する停電監視回路２５２と、ＲＡＭ消去スイッチ１２２（図３参照）が設けられたＲＡＭ消去スイッチ回路２５３とを有している。電源部２５１は、図示しない電源経路を通じて、各制御装置１１０〜１１４等に対して各々に必要な動作電圧を供給する装置である。その概要としては、電源部２５１は、外部より供給される交流２４ボルトの電圧を取り込み、各種スイッチ２０８などの各種スイッチや、ソレノイド２０９などのソレノイド、モータ等を駆動するための１２ボルトの電圧、ロジック用の５ボルトの電圧、ＲＡＭバックアップ用のバックアップ電圧などを生成し、これら１２ボルトの電圧、５ボルトの電圧及びバックアップ電圧を各制御装置１１０〜１１４等に対して必要な電圧を供給する。
【００８８】
停電監視回路２５２は、停電等の発生による電源遮断時に、主制御装置１１０のＭＰＵ２０１及び払出制御装置１１１のＭＰＵ２１１の各ＮＭＩ端子へ停電信号ＳＧ１を出力するための回路である。停電監視回路２５２は、電源部２５１から出力される最大電圧である直流安定２４ボルトの電圧を監視し、この電圧が２２ボルト未満になった場合に停電（電源断、電源遮断）の発生と判断して、停電信号ＳＧ１を主制御装置１１０及び払出制御装置１１１へ出力する。停電信号ＳＧ１の出力によって、主制御装置１１０及び払出制御装置１１１は、停電の発生を認識し、ＮＭＩ割込処理を実行する。なお、電源部２５１は、直流安定２４ボルトの電圧が２２ボルト未満になった後においても、ＮＭＩ割込処理の実行に充分な時間の間、制御系の駆動電圧である５ボルトの電圧の出力を正常値に維持するように構成されている。よって、主制御装置１１０及び払出制御装置１１１は、ＮＭＩ割込処理（図示せず）を正常に実行し完了することができる。
【００８９】
ＲＡＭ消去スイッチ回路２５３は、ＲＡＭ消去スイッチ１２２（図３参照）が押下された場合に、主制御装置１１０へ、バックアップデータをクリアさせるためのＲＡＭ消去信号ＳＧ２を出力するための回路である。主制御装置１１０は、パチンコ機１０の電源投入時に、ＲＡＭ消去信号ＳＧ２を入力した場合に、バックアップデータをクリアすると共に、払出制御装置１１１においてバックアップデータをクリアさせるための払出初期化コマンドを払出制御装置１１１に対して送信する。
【００９０】
次いで、図５から図２８を参照して、ハンドル装置５１の詳細構成について説明する。
【００９１】
図５（ａ）は、ハンドル装置５１の上面図であり、図５（ｂ）は、図５（ａ）の矢印Ｖｂ方向視におけるハンドル装置５１の側面図である。図６は、図５（ａ）のＶＩ−ＶＩ線におけるハンドル装置５１の断面図である。
【００９２】
なお、図５（ａ）及び図５（ｂ）では、下皿ユニット１５の前面（即ち、ハンドル装置５１の取付面）が二点鎖線により模式的に図示されると共に、操作子８００が可動範囲における略中央までスライド変位された状態が便宜的に図示される。また、図６では、ハンドル取付台６００のみを断面視し、他の各構成の断面視を省略する。
【００９３】
図５及び図６に示すように、ハンドル装置５１は、ハンドル取付台６００と、そのハンドル取付台６００に回転可能に軸支される回転軸部７００と、その回転軸部７００に連結される操作子８００と、その操作子８００に連動して変位可能に形成される連動変位部９００と、を備えて構成され、パチンコ機１０（図１参照）の前面へ操作子８００の本体部８１０が水平に突出された姿勢で配設される。
【００９４】
ハンドル取付台６００は、下側ベース６１０と、中間ベース６２０と、上側ベース６３０とを備え、中間ベース６２０が下側ベース６１０及び上側ベース６３０の間に介設された状態で重ね合わされることで、上下両端（図５（ｂ）上側および下側）が閉封されると共に側面（図５（ｂ）右側面）に開口が形成された円筒状に形成される。なお、ハンドル取付台６００（下側ベース６１０）の下面には、収納部６４０が配設される。収納部６４０には、回転軸部７００の回転量（回転位置）を電気抵抗の変化により検出する可変抵抗器（図示せず）が収納される。
【００９５】
回転軸部７００は、その軸心方向を鉛直方向（図６上下方向）に沿わせた縦姿勢で、ハンドル取付台６００の内部に回転可能に配設される。回転軸部７００の下側端面からは、連結片７８０が突設され、その連結片７８０は、収納部６４０に収納される可変抵抗器に連結される。よって、回転軸部７００が回転されると、その回転軸部７００の回転量（回転位置）に対応して可変抵抗器の抵抗値が変化し、その可変抵抗器の抵抗値に対応した強さ（発射強度）で球が発射される。
【００９６】
操作子８００は、ハンドル取付台６００に対して、回転軸部７００を介して、スライド変位可能に取り付けられる。即ち、操作子８００は、回転軸部７００の軸心を回転中心として回転される（回転軸部７００の軸心に垂直な仮想平面内を変位する）ことで、図５（ａ）に示すように、初期位置Ｐｍｉｎから最大可動位置Ｐｍａｘまでの範囲内を、矢印Ｉ，Ｄ方向へ向けてスライド変位可能とされる。
【００９７】
操作子８００が遊技者により矢印Ｉ方向または矢印Ｄ方向へスライド変位（スライド操作）されると、回転軸部７００が軸回りに回転され、その回転量（回転位置）に応じて、可変抵抗器の抵抗値が変化されることで、遊技球の発射強度が増大または減少される。また、遊技者によるスライド操作が解除されると、操作子８００は、スライド方向付勢ばね６８１の付勢力により、矢印Ｄ方向へスライド変位され、初期位置Ｐｍｉｎへ復帰される。なお、本実施形態では、操作子８００（本体部８１０）のスライド変位が、水平面（重力方向に垂直な平面）に沿って行われる。
【００９８】
操作子８００は、回転軸部７００に軸支された部分（連結軸９９０）を中心として、ハンドル取付台６００に対して上下方向（図６上下方向）に変位可能とされる。即ち、操作子８００は、連結軸９９０を回転中心として、被保持部８３０を下方（図５（ｂ）の矢印Ｇ方向）へ押し下げ操作可能に形成とされる（図２２参照）。なお、本実施形態では、操作子８００（被保持部８３０）の押し下げ操作が、重力方向下方へ向けて行われる。よって、操作子８００（被保持部８３０）の押し下げ操作は、遊技者の手の重みを操作子８００の被保持部８３０に作用させる、或いは、被保持部８３０を把持する手首を下方へ返す動作のみで、容易に行うことができる。
【００９９】
ここで、本実施形態では、操作子８００の被保持部８３０の押し下げ操作（下方（矢印Ｇ方向）へ向けて押し下げると共に、その後、押し下げ前の位置まで上昇復帰させる操作。以下において同じ。）を行うことで（図２５及び図２６参照）、操作子８００のスライド操作に対して連動変位部９００を連動させるか否かの切り替えを行うことができる。かかる操作子８００を押し下げ操作に伴う連動変位部９００の連動状態の切り替え構造については、後述する。
【０１００】
操作子８００の上面には、図５（ａ）に示すように、目印８９４が表示される。かかる目印８９４により、操作子８００と連動変位部９００との間の相対位置を遊技者に認識させやすくすることができる。特に、本実施形態では、操作子８００（本体部８１０）と連動変位部９００とが高さ方向（図５（ｂ）上下方向）に離間されているため、目印８９４を利用して、両者の相対位置が把握可能となることが有効となる。
【０１０１】
連動変位部９００は、操作子８００のスライド方向での変位位置（スライド操作位置）を記憶するための部材であり、ハンドル取付台６００の外周面から先端を外方（即ち、操作子８００と同方向）へ突出させた状態で配設される。連動変位部９００は、通常の状態では、操作子８００のスライド変位に連動してスライド変位される一方、操作子８００の被保持部８３０が下方（矢印Ｇ方向）へ押し下げ操作されると、操作子８００から切り離され、その変位位置が固定される。即ち、操作子８００の被保持部８３０の押し下げ操作を行った時点での操作子８００のスライド操作位置が、連動変位部９００の固定位置として記憶される。
【０１０２】
よって、遊技者は、遊技球の発射強度が所望の発射強度となる位置（例えば、第１入球口６４へ遊技球を入球させるのに適した発射強度が得られる位置）に操作子８００のスライド操作位置を調整できた場合には、操作子８００の被保持部８３０を下方へ押し下げ操作して、連動変位部９００の変位位置を固定しておくことで、例えば、休憩を取るために、操作子８００のスライド操作位置を初期位置Ｐｍｉｎへ復帰させて遊技を中断した後や、右打ちをするために、操作子８００のスライド操作位置を最大可動位置Ｐｍａｘまでスライド変位させた後に、操作子８００のスライド操作位置を元の操作位置（即ち、遊技を中断する前や右打ちをする前の操作位置であって、上述した第１入球口６４への入球に適した操作位置）に調整する場合には、連動変位部９００が固定されている変位位置を基準（目標位置）として、操作子８００をスライド操作する（即ち、操作子８００の目印８９４を連動変位部９００の配設位置に一致させる）ことで、操作子８００のスライド操作位置を元の操作位置に正確かつ迅速に調整する（即ち、元の変位位置を正確かつ迅速に再現する）ことができる。
【０１０３】
このように、遊技者は、被保持部８３０を手で把持し、操作子８００をスライド操作することで、遊技球の発射強度を所望の発射強度に調整した際に、連動変位部９００の変位位置を固定する場合には、手で把持している被保持部８３０をその状態のままで下方へ押し下げ操作すれば良く、被保持部８３０を持ち替える動作や、被保持部８３０を操作する手とは逆の手で別の操作手段を操作するなどの動作を行う必要がない。よって、連動変位部９００の変位位置を固定するための操作を容易に行うことができる。
【０１０４】
なお、操作子８００の被保持部８３０が下方（矢印Ｇ方向）へ押し下げられると、跳ね上げ方向付勢ばね８８０が弾性的に伸長変形され、遊技者による押し下げ力が緩められると、跳ね上げ方向付勢ばね８８０の弾性回復力により、操作子８００の被保持部８３０が上方（矢印Ｇの反対方向）へ変位され、図５（ｂ）に示す初期位置（本体部８１０が水平姿勢となる位置）へ復帰される。
【０１０５】
操作子８００には、発射停止スイッチ８９１及び右打ちスイッチ８９２が配設される。遊技者は、操作子８００のスライド操作位置（操作量）とは無関係に、発射停止スイッチ８９１を押下することで、遊技球の発射を停止することができると共に、右打ちスイッチ８９２を押下することで、遊技球を最大の発射強度で発射することができる。
【０１０６】
次いで、図７から図９を参照して、ハンドル取付台６００について説明する。図７（ａ）は、下側ベース６１０の側面図であり、図７（ｂ）は、図７（ａ）の矢印ＶＩＩｂ方向視における下側ベース６１０の上面図であり、図７（ｃ）は、図７（ｂ）のＶＩＩｃ−ＶＩＩｃ線における下側ベース６１０の断面図である。
【０１０７】
図７に示すように、下側ベース６１０は、円筒状に形成される胴部６１１と、その胴部６１１の下側開口を閉封する底面壁６１２と、胴部６１１の外周面から外方へ張り出す締結フランジ６１３及び締結座部６１４と、底面壁６１２から上方へ向けて立設される軸受部６１５と、その軸受部６１５の側方において上方へ向けて立設される支持軸部６１６とを備えて形成される。
【０１０８】
胴部６１１には、その一部が切り欠かれることで、開口６１１ａが形成される。開口６１１ａは、操作子８００のスライド方向（矢印Ｉ，Ｄ方向）及び押し下げ方向（矢印Ｇ方向）への変位空間を確保するための切り欠き部分であり（図５及び図６参照）、図７（ｂ）に示す上面視において、中心角略１７０度の範囲にわたって形成される。なお、下側ベース６１０は、開口６１１ａが胴部６１１の上側（図７（ｃ）上側）開口に連なる開口として形成される（即ち、胴部６１１の側面の開口６１１ａと胴部６１１の上側の開口とが連通される）ので、全体としての開口面積を確保できる。その結果、回転軸部７００や操作子８００、或いは、回転軸部連結ギヤ６７１やスライド方向付勢ばね６８１などを下側ベース６１０内に装着して組み立てる際の作業性の向上を図ることができる。
【０１０９】
締結フランジ６１３は、胴部６１１の上側（図７（ａ）上側）端部においてその胴部６１１の外周面から外方へ張り出す板状体であり、位相を１８０度異ならせて一対が配設されると共に、一対の締結フランジ６１３には、それぞれ挿通孔６１３ａが穿設される。中間ベース６２０及び上側ベース６３０にも同様の締結フランジ６２３，６３３が配設されており、これら各締結フランジ６１３，６２３，６３３どうしが重ね合わされ、それらの挿通孔６１３ａ，６２３ａ，６３３ａに挿通された締結ボルトＢにより締結固定されることで、各ベース６１０，６２０，６３０が連結固定され、ハンドル取付台６００が形成される（図５参照）。
【０１１０】
締結座部６１４は、胴部６１１の下側（図７（ａ）下側）端部においてその胴部６１１の外周面から外方へ張り出す部位であり、開口６１１ａに対して位相を１８０度異ならせた位置に配設される。締結座部６１４の外側面（図７（ａ）及び図７（ｂ）の左側の面）は、胴部６１１の軸心に平行な平坦面（以下「座面６１４ａ」と称す）として形成され、かかる座面６１４ａが、ハンドル装置５１を下皿ユニット１５（図５参照）の前面に締結固定する際の取付面（座面）となる。
【０１１１】
底面壁６１２の中央部には、正面視円形の挿通孔６１２ａが穿設される。この挿通孔６１２ａを介して、回転軸部７００の連結片７８０が収容部６４０内の可変抵抗器に連結される（図６参照）。軸受部６１５は、底面壁６１２の挿通孔６１２ａと同心の円筒形状に形成され、その軸受部６１５の内周面により回転軸部７００の下端側が回転可能に軸支される（図６参照）。
【０１１２】
支持軸部６１６は、平歯車として形成される回転軸部連結ギヤ６７１を回転可能に軸支するための部位であり（図６参照）、断面円形の軸状に形成される。具体的には、支持軸部６１６は、先端側に位置する小径部と、その小径部よりも大径に形成される大径部とを備え、小径部に回転軸部連結ギヤ６７１が回転可能に軸支される。回転軸部連結ギヤ６７１は、支持軸部６１６の小径部および大径部の間の段差面と、支持軸部６１６の小径部の先端に嵌め込まれるＥリングなどの止め輪（図示せず）との間に配置されることで、軸方向への移動が規制（抜き取り不能に保持）される。
【０１１３】
なお、回転軸部連結ギヤ６７１の下面側には、ねじりばねとして形成されるスライド方向付勢ばね６８１が支持軸部６１６に保持されており（図６参照）、そのスライド方向付勢ばね６８１からの付勢力が回転軸部連結ギヤ６７１に付与されている。回転軸部連結ギヤ６７１は、スライド方向付勢ばね６８１から付与される付勢力により、回転軸部７００（連結ギヤ部７７０）を介して、操作子８００を初期位置Ｐｍｉｎに復帰させる。
【０１１４】
図８（ａ）は、中間ベース６２０の側面図であり、図８（ｂ）は、図８（ａ）の矢印ＶＩＩＩｂ方向視における中間ベース６２０の上面図であり、図８（ｃ）は、図８（ｂ）のＶＩＩＩｃ−ＶＩＩＩｃ線における中間ベース６２０の断面図である。
【０１１５】
図８に示すように、中間ベース６２０は、円板状に形成される円板部６２１と、その円板部６２１の下面における外縁に沿って配設される外壁部６２２と、円板部６２１の外周面から外方へ張り出す締結フランジ６２３と、円板部６２１の中央に穿設される挿通孔６２４とを備えて構成される。
【０１１６】
円板部６２１の外径は、下側ベース６１０の胴部６１１及び上側ベース６３０の胴部６３１の外径と同一とされ、ハンドル取付台６００の組立状態では、中間ベース６２０の円板部６２１が、下側ベース６１０の胴部６１１及び上側ベース６３０の胴部６３１の軸方向端面の間に挟持される（図５及び図６参照）。
【０１１７】
外壁部６２２は、下側ベース６１０の内部空間を外部から遮蔽するための部位であり（図５（ｂ）及び図６参照）、円板部６２１と同心の円筒状体を中心角略１７０度で分断した形状に形成され、下側ベース６１０の胴部６１１における開口６１１ａに嵌り込む。これにより、ハンドル取付台６００全体としての剛性を高めることができる。
【０１１８】
また、外壁部６２２に相当する部位を、下側ベース６１０に形成するのではなく、中間ベース６２０に形成することで、ハンドル取付台６００全体としての剛性を確保しつつ、上述したように、下側ベース６１０全体としての開口面積を確保することができるので、その分、回転軸部７００や操作子８００、或いは、回転軸部連結ギヤ６７１やスライド方向付勢ばね６８１を下側ベース６１０内に装着して組み立てる際の作業性の向上を図ることができる。
【０１１９】
締結フランジ６２３は、円板部６２１の外周面から外方へ張り出すと共に円板部６２１と同一の板厚寸法に設定される板状体であり、位相を１８０度異ならせて一対が配設され、これら一対の締結フランジ６２３には、挿通孔６２３ａがそれぞれ穿設される。上述したように、締結フランジ６２３は、下側ベース６１０及び上側ベース６３０の締結フランジ６１３，６３３に重ね合わされて締結ボルトＢにより締結固定される（図５参照）。
【０１２０】
挿通孔６２４は、その内周面により回転軸部７００を回転可能に軸支する（図６参照）。なお、円板部６２１の下面には、挿通孔６２４と同心となる位置に円筒形状の軸受部６２１ａが配設され、軸受部６２１ａの内周面によっても回転軸部７００が回転可能に軸支される。この軸受部６２１ａの分、軸受面積を確保できるので、回転軸部７００の軸受精度の向上と耐久性の向上とを図ることができる。
【０１２１】
図９（ａ）は、上側ベース６３０の側面図であり、図９（ｂ）は、図９（ａ）の矢印ＩＸｂ方向視における上側ベース６３０の下面図であり、図９（ｃ）は、図９（ｂ）のＩＸｃ−ＩＸｃ線における上側ベース６３０の断面図である。
【０１２２】
図９に示すように、上側ベース６３０は、円筒状に形成される胴部６３１と、その胴部６３１の上側開口を閉封する上面壁６３２と、胴部６３１の外周面から外方へ張り出す締結フランジ６３３及び締結座部６３４と、上面壁６３２から下方へ向けて立設される摺動保持部６３５と、その摺動保持部６３５の側方において下方へ向けて立設される支持軸部６３６とを備えて形成される。
【０１２３】
胴部６３１には、その一部が切り欠かれることで、開口６３１ａが形成される。開口６３１ａは、連動変位部９００のスライド方向および上下方向への変位空間を確保するための切り欠き部分であり（図５及び図６参照）、図９（ｂ）に示す下面視において、中心角略１７０度の範囲にわたって形成される。なお、上側ベース６３０は、開口６３１ａが、胴部６３１の下側（図９（ｃ）下側）開口に連なる（連続する）開口として形成されるので、全体としての開口面積を確保できる。その結果、連動変位部９００や押下部材９５０、或いは、連動変位部連結ギヤ６７２や連動変位部付勢ばね６８２などを上側ベース６３０内に装着して組み立てる際の作業性の向上を図ることができる。
【０１２４】
締結フランジ６３３は、胴部６３１の下側（図９（ａ）下側）端部においてその胴部６３１の外周面から外方へ張り出す板状体であり、位相を１８０度異ならせて一対が配設され、これら一対の締結フランジ６３３には、それぞれ挿通孔６３３ａが穿設される。上述したように、締結フランジ６３３は、下側ベース６１０の締結フランジ６１３との間に中間ベース６２０の締結フランジ６２３を重ね合わせ、締結ボルトＢにより締結固定される（図５参照）。
【０１２５】
締結座部６３４は、胴部６３１の上側（図９（ａ）上側）端部においてその胴部６３１の外周面から外方へ張り出す部位であり、開口６３１ａに対して位相を１８０度異ならせた位置に配設される。締結座部６３４の外側面（図９（ａ）及び図９（ｂ）の左側の面）は、胴部６３１の軸心に平行な平坦面（以下「座面６３４ａ」と称す）として形成され、かかる座面６３４ａが、ハンドル装置５１を下皿ユニット１５（図５参照）の前面に締結固定する際の取付面（座面）となる。
【０１２６】
摺動保持部６３５は、胴部６３１と同心の円筒形状に形成され、その外周面により連動変位部９００（図６参照）を軸方向に摺動可能かつ周方向に回転可能に保持する。一方、摺動保持部６３５は、その内周面により押下部材９５０（図１５参照）を、軸方向には摺動可能に保持するが、周方向には回転不能に保持する。詳細には、摺動保持部６３５の内周面には、軸方向に沿って断面矩形状のキー溝６３５ａが刻設されており、かかるキー溝６３５ａに押下部材９５０の突起部９５３（図１５参照）が係合されることで、押下部材９５０の周方向への回転を規制する。後述するように、押下部材９５０の周方向への回転が規制できることで、押下部材９５０からの回転力を連動変位部９００へ作用させることなく、かかる連動変位部９００の固定動作を行うことができ、その結果、連動変位部９００を所望の固定位置に精度良く固定することができる。
【０１２７】
支持軸部６３６は、平歯車として形成される連動変位部連結ギヤ６７２を回転可能に軸支するための部位であり（図６参照）、断面円形の軸状に形成される。具体的には、支持軸部６３６は、先端側に位置する小径部と、その小径部よりも大径に形成される大径部とを備え、小径部に連動変位部連結ギヤ６７２が回転可能に軸支される。連動変位部連結ギヤ６７２は、支持軸部６３６の小径部および大径部の間の段差面と、支持軸部６３６の小径部の先端に嵌め込まれるＥリングなどの止め輪（図示せず）との間に配置されることで、軸方向への移動が規制（抜き取り不能に保持）される。
【０１２８】
なお、連動変位部連結ギヤ６７２の上面側には、ねじりばねとして形成される連動変位部付勢ばね６８２が支持軸部６３６に保持されており（図６参照）、その連動変位部付勢ばね６８２からの付勢力が連動変位部連結ギヤ６７２に付与されている。連動変位部連結ギヤ６７２は、連動変位部付勢ばね６８２から付与される付勢力により、連動変位部９００の連結ギヤ部９２０を介して、連動変位部９００を初期位置へ復帰させる。
【０１２９】
次いで、図１０から図１４を参照して、回転軸部７００及び操作子８００について説明する。図１０（ａ）及び図１０（ｂ）は、回転軸部７００及び操作子８００の部分断面側面図であり、図１０（ａ）は、操作子８００が初期位置にある状態に、図１０（ｂ）は、操作子８００が下方へ押し下げ操作された状態に、それぞれ対応する。
【０１３０】
図１０（ａ）及び図１０（ｂ）に示すように、操作子８００と回転軸部７００とは、連結軸９９０を介して、連結される。これにより、操作子８００を２方向へ変位させる（操作する）ことができる。即ち、第１に、操作子８００を、連結軸９９０を回転中心として、回転させ、その被保持部８３０を下方（矢印Ｇ方向、図５（ｂ）参照）へ変位させる（押し下げ操作を行う）ことが可能とされる。第２に、操作子８００を、回転軸部７００と一体的に、かかる回転軸部７００の軸心を中心として回転させて、その被保持部８３０をスライド方向（矢印Ｉ及び矢印Ｄ方向、図５（ａ）参照）へ変位させる（スライド操作を行う）ことが可能とされる。
【０１３１】
図１１（ａ）は、回転軸部７００の側面図であり、図１１（ｂ）は、図１１（ａ）の矢印ＸＩｂ方向視における回転軸部７００の背面図であり、図１１（ｃ）は、押上部材４１０の部分断面背面図である。図１２（ａ）は、図１１（ａ）の矢印ＸＩＩａ方向視における回転軸部７００の上面図であり、図１２（ｂ）は、図１２（ａ）のＸＩＩｂ−ＸＩＩｂ線における回転軸部７００の断面図である。なお、図１１（ｂ）及び図１１（ｃ）では、理解を容易とするために、押上部材４１０が取り外された状態が図示される。
【０１３２】
図１１及び図１２に示すように、回転軸部７００は、棒状の軸本体部７１０と、その軸本体部７１０に穿設される挿通孔７２０と、軸本体部７２０の背面側に開口形成される開口７３０と、軸本体部７１０の外周面に配設されるフック部７４０、操作子規制部７５０、案内軸７６０及び連結ギヤ部７７０と、軸本体部７１０の下端面から突設される連結片７８０と、軸本体部７１０の上端側へ突出される弾性片７９０とを備えて構成される。
【０１３３】
軸本体部７１０は、円筒形状に形成される円筒部分７１１と、その円筒部分７１１の下端（図１２（ｂ）下側）に同軸に接続され断面円形の中実の棒状体として形成される中実部分７１２とを備え、これらが樹脂材料から一体に形成される。
【０１３４】
円筒部分７１１の上端面（図１２（ｂ）上側面）には、基準面７１１ａと、その基準面７１１ａよりも軸本体部７１０の軸方向（図１２（ｂ）上下方向）における高さ位置が上方へ向けて嵩上げされた嵩上げ面７１１ｂとが形成され、これにより、円筒部材７１１の上端側には、基準面７１１ａと嵩上げ面７１１ｂとを接続する一対の段差面７１１ｃが形成される。後述するように、回転軸部７００は、段差面７１１ｃを連動変位部９００の段差面９１１ｃに係合させることで、回転軸部７００の回転に連動して連動変位部９００を回転させることができる（図６及び図２４参照）。
【０１３５】
このように、回転軸部７００と連動変位部９００は、互いの段差面７１１ｃ，９１１ｃどうしが係合することで、連動して変位されるので、例えば、摩擦力により連動して変位される場合と比較して、滑りによる両者の位置ずれを抑制できる。
【０１３６】
なお、基準面７１１ａ及び嵩上げ面７１１ｂは、軸本体部７１０の軸方向に垂直な平坦面とされ、一対の段差面７１１ｃは、互いに平行であって、かつ、軸本体部７１０の軸方向に平行な平坦面とされる。また、一対の段差面７１１ｃは、位相を１８０度異ならせて配置される。即ち、一対の段差面７１１ｃにより形成される仮想平面は、軸本体部７１０の軸心を含む平面となる。
【０１３７】
円筒部分７１１の内周面には、案内溝７１５が凹設される。案内溝７１５は、昇降部材４２０（図１９参照）を第１位置（連動位置）又は第２位置（切り離し位置）の２位置で保持するための溝である。なお、案内溝７１５の詳細構成については、図２０及び図２１を参照して、後述する。
【０１３８】
挿通孔７２０は、連結軸９９０が挿通される断面円形の孔であり、軸本体部７１０の円筒部分７１１に一対が穿設される。なお、連結軸９９０は、真鋳製から断面円形の軸形状に形成される。開口７３０は、押上部材４１０の配設空間を確保するための開口であり、図１１（ｂ）に示すように、軸本体部７１０の円筒部分７１１に背面視矩形の開口として形成される。開口７３０の対向する一対の内側面には、押上部材４１０を回転可能に軸支するための突起７３１がそれぞれ突設される。
【０１３９】
ここで、押上部材４１０は、図１１（ｃ）に示すように、背面視矩形に形成されると共に、図１２（ｂ）に示すように、下端側が屈曲された断面Ｌ字状の板状体であり、対向する一対の外側面の上端側に、凹部４１１がそれぞれ凹設される。かかる凹部４１１に開口７３０の突起７３１が内嵌されることで、これら突起７３１及び凹部４１１を回転軸として、押上部材４１０が開口７３０内で回転可能に軸支される（図１０参照）。なお、押上部材４１０は、下端側の屈曲部分を軸本体部７１０の円筒部分７１１の軸心側へ向けた姿勢で配設される。
【０１４０】
フック部材７４０は、コイルスプリングとして形成される跳ね上げ方向付勢ばね８８０の一端を係合保持するための部位であり（図１０参照）、上方へ向けて屈曲される断面Ｌ字形状の部位が所定間隔を隔てて一対配設される。操作子規制部７５０は、連結軸９９０を回転中心とする操作子８００の変位を規制するための棒状の部位であり、軸本体部７１０の背面側であって開口７３０の下方に配設される。
【０１４１】
即ち、跳ね上げ方向付勢ばね８８０は、弾性的に伸張された状態で配設されており、遊技者により操作子８００の被保持部８３０が下方（矢印Ｇ方向、図５（ｂ）参照）へ押し下げられた後（図１０（ｂ）参照）、その押し下げ操作が解除されると、操作子８００は、跳ね上げ方向付勢ばね８８０の付勢力（弾性回復力）により、被保持部８３０側が上方（矢印Ｇと反対方向、図５（ｂ）参照）へ跳ね上げられる。この場合、操作子規制部７５０が操作子８００の本体部８１０の下面を受け止めることで、操作子８００の変位が規制される。これにより、操作子８００が、押し下げ操作における初期位置に保持される（図１０（ａ）参照）。
【０１４２】
なお、このように、操作子規制部７５０は、跳ね上げ方向付勢ばね８８０の付勢力により跳ね上げられた操作子８００（本体部８１０の下面）を受け止める部位であるため、大きな荷重が作用されるところ、本実施形態では、かかる操作子規制部７５０が、薄肉の円筒部分７１１ではなく、中実の中実部分７１２に配設される。これにより、その剛性を確保して、跳ね上げられた操作子８００（本体部８１０の下面）を強固に受け止めることができる。その結果、耐久性の向上を図ることができる。
【０１４３】
案内軸７６０は、操作子８００の変位方向を案内して、被保持部８３０を押し下げ操作する際の変位を円滑にするための部位であり、操作子規制部７５０に対し中実部分７１２を挟んで反対側となる中実部分７１２の正面側に配設される。操作子８００の被保持部８３０が押し下げ操作される際には、案内軸７６０が操作子８００の案内溝８７０内を移動することで（図１０（ｂ）参照）、操作子８００の変位を案内溝８７０に沿って案内することができる。その結果、操作子８００の被保持部８３０を押し下げ操作する際の動作を安定化することができる。
【０１４４】
連結ギヤ部７７０は、平歯車として形成される部位であり、回転軸部連結ギヤ６７１に歯合されている（図６参照）。上述したように、スライド方向付勢ばね６８１からの付勢力が、回転軸部連結ギヤ６７１から連結ギヤ部７７０へ伝達されることで、回転軸部７００が回転され、操作子８００が初期位置Ｐｍｉｎに復帰される（図５（ａ）参照）。
【０１４５】
連結片７８０は、軸本体部７１０の下端面に固設される軸状体である。上述したように、下側ベース６１０の挿通孔６１２ａを介して、連結片７８０が可変抵抗器（図示せず）に連結される。
【０１４６】
弾性片７９０は、断面矩形の棒状体であり、軸本体部７１０（筒状部分７１１）の上端側であって、段差面７１１ｃ近傍の外周面に配設されると共に、嵩上げ面７１１ｂよりも上方に突出される。弾性片７９０は、操作子８００のスライド操作時に、その操作感を変化させるための部位である。即ち、後述するように、連動変位部９００を所定位置に固定し、その連動変位部９００を目標位置として、操作子８００をスライド操作する際に、そのスライド操作が目標位置（連動変位部９００）に近づくと、弾性片７９０が第１突起９１３を乗り換える（即ち、弾性変形される）ことで、スライド操作の操作感を変化させる（図２８参照）。これにより、遊技者は、操作子８００と連動変位部９００との位置関係を目視により追跡し続けなくても、スライド操作の操作位置が目標位置へ近づいたことを認識することができ、その操作性の向上を図ることができる。
【０１４７】
図１３（ａ）は、操作子８００の側面図であり、図１３（ｂ）は、図１３（ａ）の矢印ＸＩＩＩｂ方向視における操作子８００の上面図である。図１４（ａ）は、図１３（ｂ）のＸＩＶａ−ＸＩＶａ線における操作子８００の部分拡大断面図であり、図１４（ｂ）は、図１３（ｂ）のＸＩＶｂ−ＸＩＶｂ線における操作子８００の部分拡大断面図である。
【０１４８】
図１３及び図１４に示すように、操作子８００は、基部８１１及び脚部８１２からなる本体部８１０と、その本体部８１０の脚部８１２に穿設される挿通孔８２０と、本体部８１０の基部８１１から立設される被保持部８３０と、本体部８１０の基部８１１の外側面に配設されるフック部８４０及び支持壁８５０と、本体部８１０の脚部８１２に架設されるカム部材８６０と、本体部８１０の脚部８１２の内側面に配設される案内溝８７０と、を備えて構成される。
【０１４９】
本体部８１０は、長尺箱状の基部８１１と、その基部８１１の基部側（図１３左側）から長手方向に沿って延設される一対の脚部８１２とを備える。基部８１１の先端側（図１３右側）には、被保持部８３０が略垂直に立設される。一対の脚部８１２は、互いに所定間隔を隔ててつつ略平行に対向配置され、それら一対の脚部８１２の対向間に回転軸部７００が配設される。
【０１５０】
また、一対の脚部８１２には、その対向方向（図１３（ｂ）上下方向）に沿って挿通孔８２０がそれぞれ穿設される。一対の脚部８１２の対向間に回転軸部７００を配設し、一対の脚部８１２のうちの一方の挿通孔８２０から挿入した連結軸９９０を、回転軸部７００の挿通孔７２０を通過させると共に、一対の脚部８１２のうちの他方の挿通孔８２０まで挿通させることで、操作子８００が回転軸部７００に対して連結軸９９０を介して連結され、被保持部８３０の下方（矢印Ｇ方向、図５（ｂ）参照）への押し下げ操作が可能とされる（図１０参照）。
【０１５１】
一対の脚部８１２の延設先端側（図１３（ａ）左側）は、図１３（ａ）に示す側面視において、円弧状に湾曲して形成され、その円弧状に湾曲する部分の外周面には、弾性膜部材８９３がそれぞれ貼着される。弾性膜部材８９３は、ゴム素材などの弾性材料から膜状に形成される部材である。操作子８００の被保持部８３０が押し下げ操作された際には、連結軸９９０が回転中心となることで、上方へ押し上げられた脚部８１２が弾性膜部材８９３を中間ベース６２０における円板部６２１の下面に密着させる（図２５参照）。これにより、弾性膜部材８９３の密着力（摩擦力）を利用して、操作子８００のスライド操作方向への変位を規制できる。即ち、被保持部８３０が下方に押し下げられた状態において、操作子８００がスライド方向へ位置ずれすることを抑制できる。
【０１５２】
被保持部８３０は、操作子８００をスライド操作または押し下げ操作する際に、遊技者の手指や手の平で把持される部位であり、角部が円弧状に面取りされた断面略矩形の棒状体として形成される。このように、被保持部８３０が棒状体として形成されることで、かかる被保持部８３０を保持（把持）しやすくすることができ、その結果、操作子８００をスライド操作および押し下げ操作する際の操作性の向上を図ることができる。
【０１５３】
また、被保持部８３０は、本体部８１０から鉛直方向に沿って立設されるので、かかる被保持部８３０を遊技者に自然な姿勢で保持（把持）させることができる。特に、被保持部８３０は本体部８１０から上方へ向けて立設されるので、被保持部８３０を把持する際には、手の平の外縁部分を本体部８１０の上面に載置しておくことができる。これにより、遊技者の疲労の低減を図ることができると共に、操作子８００を下方へ押し下げ操作する際には、本体部８１０の上面にも手の重みを作用させることができ、押し下げ操作を容易に行うことができる。
【０１５４】
上述した発射停止スイッチ８９１及び右打ちスイッチ８９２は、被保持部８３０の立設先端および被保持部８３０の背面側（連結軸９９０（図１０参照）に対面する側）にそれぞれ配設される。これにより、遊技者は、被保持部８３０を自然に把持した状態で、発射停止スイッチ８９１を親指または人差し指により、右打ちスイッチ８９２を人差し指または中指により、それぞれ容易に操作することができる。
【０１５５】
フック部材８４０は、回転軸部７００のフック部７４０（図１１参照）に一端が係合保持された跳ね上げ方向付勢ばね８８０の他端を係合保持するための部位であり（図１０参照）、下方へ向けて屈曲される断面Ｌ字形状に形成される。
【０１５６】
支持壁８５０は、跳ね上げ方向付勢ばね８８０を下方から支えるための壁部であり、図１３（ａ）に示す側面視において、上方へ向けて凸の円弧状に湾曲して形成される。このように、支持壁８５０を円弧状に湾曲させることで、跳ね上げ方向付勢ばね８８０の配設スペース（両フック７４０，８４０間の距離）をより長くすることができるので（図１０（ａ）参照）、限られたスペースの中で、全長がより長い跳ね上げ方向付勢ばね８８０を使用することができる。その結果、付勢力を確保できると共に、跳ね上げ方向付勢ばね８８０の耐久性を確保できる。
【０１５７】
カム部材８６０は、回転軸部７００に変位可能に配設される押上部材４１０を上方へ向けて押し上げるための部材であり、一対の脚部８１２の対向間に架設される棒状の架設部８６１と、その架設部８６１の長手方向（図１３（ｂ）上下方向）中央から基部８１１側（即ち、回転軸部７００が配設される側、図１３（ｂ）右側）へ向けて延設される押上カム８６２と備え、これらが一体に形成される。なお、カム部材８６０は、本体部８１０とは別体に形成され、架設部８６１の両端が本体部８１０の脚部８１２に締結ボルト（図示せず）により締結固定される。
【０１５８】
押上カム８６２は、断面視三角形状に形成され、図１４に示すように、三角形状の頂部を上方へ向けた姿勢で配設される。本体部８１０（一対の脚部８１２の対向間）に回転軸部７００が連結軸９９０を介して連結された状態では、押上カム８６２は、その三角形状の頂部が押上部材４１０の回転軸（突起７３１及び凹部４１１、図１１（ｂ）及び図１１（ｃ）参照）の鉛直方向下方となる位置に配設されると共に、三角形状の一側（図１４（ａ）右側）の斜面が押上部材４１０の下端を支持する位置に配設される（図１０（ａ）参照）。
【０１５９】
カム部材８６０は、操作子８００が下方（矢印Ｇ方向、図５（ｂ）参照）へ押し下げ操作される際に、押上カム８６２の三角形状における一側（図１４（ａ）右側）の斜面および頂部（図１４（ａ）上側）を利用して、回転軸部７００に配設された押上部材４１０を上方へ押し上げる（図１０（ａ）及び図１０（ｂ）参照）。
【０１６０】
このように、押上カム８６２を断面視三角形状に形成し、その斜面および頂部を利用して押上部材４１０を上方へ押し上げる構造とすることで、操作子８００が押し下げ操作されていない通常の状態では（図１０（ａ）参照）、押上部材４１０をより下方に配置可能として、全体としての高さ方向（軸方向、図１０（ａ）上下方向）の小型化を図りつつ、操作子８００を押し下げ操作する際には（図１０（ｂ）参照）、押上部材４１０の上方への押し上げ量を確保できるので、操作子８００の押し下げ操作に必要なストローク量を小さくして、その操作性の向上を図ることができると共に、昇降部材４２０（図１９参照）の昇降ストロークを大きくして、連動変位部９００の連動・非連動の切り替えを確実に行うことができる（図２４及び図２５参照）。
【０１６１】
案内溝８７０は、回転軸部７００の案内軸７６０（図１１参照）を案内するための凹溝であり、一対の脚部８１２の対向面にそれぞれ断面矩形の溝として凹設され、挿通孔８２０を中心とする円弧状に湾曲して延設される。よって、操作子８００が下方（矢印Ｇ方向、図５（ｂ）参照）へ押し下げ操作される際には（図１０（ａ）及び図１０（ｂ）参照）、回転軸部７００の案内軸７６０が、案内溝８７０に沿って移動して案内されることで、連結軸９９０を中心とする変位である操作子８００の押し下げ操作を円滑に行わせることができる。
【０１６２】
なお、本体部８１０及び被保持部８３０は、幅方向（図１３（ｂ）上下方向）中央を分割面（合わせ面）とする２分割構造とされる。即ち、本体部８１０及び被保持部８３０は、本体部８１０及び被保持部８３０の片側をなす第１の部品とその第１の部品に対して分割面を対称面として面対称に形成され本体部８１０及び被保持部８３０の片側をなす第２の部品とからなり、これら第１の部品と第２の部品とを互いの分割面どうしで接合することで、その内部に発射停止スイッチ８９１等の電気的接続線を配線するための空間を有する中空形状に形成される。
【０１６３】
次いで、図１５から図１７を参照して、連動変位部９００及び押下部材９５０について説明する。図１５は、上側ベース６３０に取り付けられた状態における連動変位部９００及び押下部材９５０の断面図である。
【０１６４】
図１５に示すように、上側ベース６３０の上面壁６３２には、その下面側に摺動保持部６３５が設けられ、その摺動保持部６３５の外周側および内周側に連動変位部９００及び押下部材９５０がそれぞれ配設される。上述したように、連動変位部９００は、その挿通孔９２５に摺動保持部６３５が挿通されることで、軸方向（図１５上下方向）に摺動可能かつ周方向に回転可能とされる一方、押下部材９５０は、その突起部９５３が摺動保持部６３５のキー溝６３５ａに嵌合されることで、軸方向（図１５上下方向）に摺動可能であるが、周方向には回転不能とされる。
【０１６５】
上側ベース６３０の上面壁６３２の下面側には、コイルスプリングとして形成される押下方向付勢ばね９７０が配設され、かかる押下方向付勢ばね９７０は、上面壁６３２と連動変位部９００との間で弾性的に圧縮変形された状態で配設されている。そのため、押下方向付勢ばね９７０からの付勢力（弾性回復力）が、連動変位部９００を介して、押下部材９５０へ付与されており、これにより、昇降部材４２０は、第１位置（連動位置）又は第２位置（切り離し位置）のいずれの位置に配置される場合であっても（図２４及び図２６参照）、押下部材９５０によって常に下方（図１５下方）へ押し下げられた状態とされる。
【０１６６】
また、押下方向付勢ばね９７０から付与される付勢力により、連動変位部９００が押下部材９５０に押し付けられる一方、昇降部材４２０が第１位置（連動位置）又は第２位置（切り離し位置）に保持されているので、連動変位部９００は、押下方向付勢ばね９７０と昇降部材４２０との間に挟み込まれた状態（挟圧保持された状態）とされる。よって、連動変位部９００は、回転軸部７００から切り離された場合には、その切り離された位置で保持される。
【０１６７】
図１６（ａ）は、連動変位部９００の側面図であり、図１６（ｂ）は、図１６（ａ）の矢印ＸＶＩｂ方向視における連動変位部９００の下面図である。また、図１７（ａ）は、図１６（ａ）の矢印ＸＶＩＩａ方向視における連動変位部９００の上面図であり、図１７（ｂ）は、図１７（ａ）のＸＶＩＩｂ−ＸＶＩＩｂ線における連動変位部９００の断面図である。
【０１６８】
図１６及び図１７に示すように、連動変位部９００は、円筒形状に形成される連動本体部９１０と、その連動本体部９１０の上端側に同軸状に配設される連結ギヤ部９２０と、その連結ギヤ部９２０の上面側に突設される付勢ばね保持部９３０と、連動本体部９１０の下端側の外周面から径方向外方へ向けて延設される指示片９４０と、連動本体部９１０の下端側の外周面から突設される第１突起部９１３及び第２突起部９１４とを備えて形成される。
【０１６９】
連動本体部９１０の下端面（図１６（ａ）及び図１７（ｂ）下側面）には、基準面９１１ａと、その基準面９１１ａよりも連動本体部９１０の軸方向（図１６（ａ）及び図１７（ｂ）上下方向）における高さ位置が下方へ向けて嵩上げされた嵩上げ面９１１ｂとが形成され、これにより、連動本体部９１１の下端側には、基準面９１１ａと嵩上げ面９１１ｂとを接続する一対の段差面９１１ｃが形成される。
【０１７０】
連動変位部９００は、上述したように、その連動変位部９００の段差面９１１ｃが回転軸部７００の段差面７１１ｃに係合されることで、操作子８００のスライド操作に伴う回転軸部７００の回転が連動変位部９００に伝達可能とされ、連動変位部９００が回転軸部７００の回転（操作子８００のスライド操作）に連動して回転（変位）される一方（図６及び図２４参照）、その連動変位部９００の段差面９１１ｃが回転軸部７００の段差面７１１ｃと非係合とされることで、操作子８００のスライド操作に伴う回転軸部７００の回転が連動変位部９００へ伝達されず、操作子８００のスライド操作時には、回転軸部７００のみが回転され、連動変位部９００は所定位置に固定される（図２３及び図２６参照）。
【０１７１】
なお、基準面９１１ａ及び嵩上げ面９１１ｂは、連動本体部９１０の軸方向に垂直な平坦面とされ、一対の段差面９１１ｃは、互いに平行であって、かつ、連動本体部９１０の軸方向に平行な平坦面とされる。また、一対の段差面９１１ｃは、位相を１８０度異ならせて配置される。即ち、一対の段差面９１１ｃにより形成される仮想平面は、軸本体部９１０の軸心を含む平面となる。
【０１７２】
第１突起９１３及び第２突起９１４は、操作子８００をスライド操作する際の操作感に変化を与えるための部位であり、連動本体部９１０の外周面から突出する半球状の突起として形成される。即ち、第１突起９１３及び第２突起９１４は、操作子８００のスライド操作に伴い回転軸部７００が回転される際の弾性片７９０の移動軌跡上に配設されており、かかる弾性片７９０が第１突起９１３や第２突起９１４を通過する（乗り越える）ことで、操作抵抗を発生させ、操作感に変化を与える。
【０１７３】
連結ギヤ部９２０は、平歯車として形成される部位であり、連動変位部連結ギヤ６７２に歯合されている（図６参照）。上述したように、連動変位部付勢ばね６８２からの付勢力が、連動変位部連結ギヤ６７２から連結ギヤ部９２０へ伝達されることで、連動変位部９００が回転され、初期位置Ｐｍｉｎに復帰される（図５（ａ）参照）。
【０１７４】
付勢ばね保持部９３０は、押下方向付勢ばね９７０の内周側に内嵌されることで、押下方向付勢ばね９７０を保持するための部位であり、押下方向付勢ばね９７０の内径に対応する外径を有して形成される。
【０１７５】
付勢ばね保持部９３０及び連結ギヤ部９２０には、それらの軸心に沿って挿通孔９２５が穿設される。挿通孔９２５は、上側ベース６３０の摺動保持部６３５が挿通される断面円形の孔である（図１５参照）。挿通孔９２５の内径は、摺動保持部６３５の外径と同等または若干大きくされ、これにより、連動変位部９００は、摺動保持部６３５に対し、軸方向に摺動可能かつ周方向に回転可能とされる。
【０１７６】
指示片９４０は、操作子８００の変位位置（目標位置）を指し示すための平板形状の部位であり、連動本体部９１０の外周面であって、嵩上げ面９１１ｂ側（基準面９１１ａに対し軸心を挟んで反対側）となる外周面に配設される。即ち、連動変位部９００の段差面９１１ｃが、回転軸部７００の段差面７１１ｃに係合された状態では（図６及び図２４参照）、指示片９４０と操作子８００との位相（スライド変位方向における変位位置）が一致される（上面視において両者が重なる。図２７（ａ）及び図２７（ｂ）参照）。
【０１７７】
図１８（ａ）は、押下部材９５０の側面図であり、図１８（ｂ）は、図１８（ａ）の矢印ＸＶＩＩＩｂ方向視における押下部材９５０の上面図である。
【０１７８】
図１８に示すように、押下部材９５０は、円板形状に形成される円板部９５１と、その円板部９５１の上面から立設される軸部９５２と、その軸部９５２の外周面から突設される突起部９５３とを備えて形成される。
【０１７９】
円板部９５１は、その下面で昇降部材４２０の上面を押し下げるための部位であり、連動変位部９００の連動本体部９１０の内周側に配置可能な外径に形成される（図１５参照）。軸部９５２は、上側ベース６３０の摺動保持部６３５の内周に挿通される断面円形の軸であり、突起部９５３は、摺動保持部６３５の内周に刻設されるキー溝６３５ａに係合される突起である。よって、押下部材９５０は、摺動保持部６３５に対し、軸方向に摺動可能であるが、周方向の回転は規制された状態で保持される。
【０１８０】
図１０から図１２に戻って説明する。回転軸部７００の軸本体部７１０には、その円筒部分７１１の内周面に案内溝７１５が凹設される。案内溝７１５は、上述したように、昇降部材４２０（図１９参照）を第１位置（連動位置）又は第２位置（切り離し位置）の２位置で保持するための溝である。ここで、昇降部材４２０及び案内溝７１５について、図１９及び図２０を参照して説明する。
【０１８１】
図１９（ａ）は、昇降部材４２０の側面図であり、図１９（ｂ）は、図１９（ａ）の矢印ＸＩＸｂ方向視における昇降部材４２０の上面図である。
【０１８２】
図１９に示すように、昇降部材４２０は、回転軸部７００の円筒部分７１１（図１５参照）の内周側に配設される部材であり、断面円形の円柱状に形成される。かかる円柱状体の外周面には、その複数箇所（本実施形態では３箇所）から案内突起４２１が突設される。各案内突起４２１は、回転軸部７００の案内溝７１５（図２１参照）に沿って移動するための部位であり、それぞれ同形状に形成されると共に、図１９（ｂ）に示すように、周方向等間隔（本実施形態では１２０度間隔）に配置される。
【０１８３】
なお、昇降部材４２０の下端は、円柱状の部分と同軸の円錐形状に形成される。これにより、回転軸部７００の円筒部分７１１の内周側において、昇降部材４２０を押上部材４１０へより近接させることができるので（図２４参照）、円筒部分７１１の内周側における限られたスペースを有効に活用することができ、全体としての小型化を図ることができる。
【０１８４】
図２０は、回転軸部７００の円筒部分７１１の内周面を平面に展開して図示した平面展開図である。なお、図２０では、図面を簡素化して、理解を容易とするために、案内溝７１５の各部位への符号の図示を省略している。
【０１８５】
図２０に示すように、案内溝７１５は、円筒部分７１１の周方向（図２０左右方向）に沿って周期性を有して形成される。具体的には、案内溝７１５は、中心角１２０度の範囲に対応する範囲ＸＸｂを周方向に繰り返す形状（範囲ＸＸｂの形状を周方向に３つ並べた形状）とされる。よって、昇降部材４２０の３つの案内突起４２１は、それぞれ別の範囲ＸＸｂにおける案内溝７１５によって案内される。
【０１８６】
次いで、図２１を参照して、昇降部材４２０の案内突起４２１が案内溝７１５に案内されることで、昇降部材４２０が第１位置（連動位置）又は第２位置（切り離し位置）に保持される構造について説明する。なお、この説明においては、図６及び図２２から図２６の各図を適宜参照する。
【０１８７】
図２１は、図２０（ａ）における範囲ＸＸｂを部分的に拡大して図示した部分拡大展開図である。図２２から図２６は、ハンドル装置５１の断面図である。なお、図２２及び図２３では、図６と同様に、回転軸部７００、操作子８００及び連動変位部９００の断面視が省略される一方、図２４から図２６では、回転軸部７００、操作子８００及び連動変位部９００が断面視される。
【０１８８】
また、図６及び図２４は、昇降部材４２０が第１位置（連動位置）に配置され、操作子８００のスライド操作に連動変位部９００が連動して変位可能な状態に対応し、図２３及び図２６は、昇降部材４２０が第２位置（連動位置）に配置され、操作子８００のスライド操作から連動変位部９００が切り離された状態（非連動状態）に対応する。図２２及び図２５は、操作子８００が下方へ押し下げ操作され、昇降部材４２０が中間位置に配置された状態に対応する。
【０１８９】
図２１に示すように、案内突起４２１が位置Ｐ１に位置する状態では、昇降部材４２０が第１位置（連動位置）に配置される。この状態では、図２４に示すように、案内突起４２１は、押下方向付勢ばね９７０の付勢力により、案内溝７１５の第１壁部７１５ａに押し付けられ、位置Ｐ１に維持される。また、この状態では、図６に示すように、回転軸部７００の段差面７１１ｃと連動変位部９００の段差面９１１ｃとが係合されるため、操作子８００がスライド操作されると、そのスライド操作に連動して連動変位部９００が変位される。
【０１９０】
昇降部材４２０が第１位置（連動位置）に配置された状態（図６及び図２４参照）から、操作子８００が下方（矢印Ｇ方向、図５（ｂ）参照）へ押し下げ操作されると、押上部材４１０により昇降部材４２０が上方へ押し上げられる。その結果、案内突起４２１が案内溝７１５の形状に沿って案内され（経路Ｌ１）、上昇傾斜壁部７１５ｂに突き当たる。操作子８００が下方へ更に押し下げ操作され、昇降部材４２０が上方へ押し上げられると、案内突起４２１が上昇傾斜壁部７１５ｂに沿って案内され（経路Ｌ２）、位置Ｐａにおいて案内規制壁部７１５ｃに突き当たる。
【０１９１】
これにより、図２２及び図２５に示すように、操作子８００の下方への押下操作が不能となる。この場合、操作子８００の脚部８１２が上方へ押し上げられ、弾性膜部材８９３を中間ベース６２０における円板部６２１の下面に密着させることで、弾性膜部材８９３の密着力（摩擦力）を利用して、操作子８００がスライド変位されることを規制できる。即ち、押し下げ操作された操作子８００がスライド方向へ位置ずれすることを抑制できる。その結果、連動変位部９００の固定位置が遊技者の意図した変位位置に精度良く固定することができる。
【０１９２】
また、このように、操作子８００を下方へ押し下げる動作は、遊技者にとって、操作子８００がどのようなスライド位置にあったとしても、被保持部８３０を把持する手指の一部を離すことなく、行うことができる。これにより、操作性の向上を図ることができる。また、操作子８００の押下操作を行った後は、その操作状態（操作子８００のスライド操作量が所望のスライド操作量に固定された状態）を維持することも容易となる。よって、遊技球の発射強度を所望の発射強度に精度良く固定することができる。
【０１９３】
また、このように、操作子８００を下方へ押し下げる構造であれば、上述したように、遊技者は、手の重みを作用させる動作のみで、下方へ変位させることができる。即ち、遊技者は、手の重みを作用させるという簡易な動作を行うのみで、その押下操作を維持することができるので、遊技者の疲労を軽減しつつ、球の発射強度を所望の発射強度に固定することができる。
【０１９４】
また、中間ベース６２０における円板部６２１の下面が平滑面として形成されるので、操作子８００のスライド操作の操作量（スライド位置）を、任意のスライド位置で固定可能とすることができる。即ち、鋸歯状の部材どうしを係合させる構造であっても同様にスライド操作の位置を強固に固定できるが、その鋸歯のピッチより細かな調整ができない。これに対し、本実施形態のように、平滑面に弾性膜部材８９３を密着させる構造とすることで、任意のスライド位置に調整可能としつつ、そのスライド位置に強固に固定することができる。
【０１９５】
案内突起４２１が位置Ｐａにおいて、案内規制壁部７１５ｃに突き当たった後（図２２及び図２５参照）、遊技者が操作力を緩めることで、操作子８００の下方への押し下げ操作が解除され、押上部材４１０が下降されると（図２６参照）、昇降部材４２０が押下方向付勢ばね９７０の付勢力により押し下げられる。その結果、案内突起４２１が下降され（経路Ｌ３）、下降傾斜壁部７１５ｄに突き当たると共に、その下降傾斜壁部７１５ｄに沿って案内され、位置Ｐ２に到達する（経路Ｌ４）。
【０１９６】
案内突起４２１が位置Ｐ２に位置する状態では、昇降部材４２０が第２位置（切り離し位置）に配置される。この状態では、図２６に示すように、案内突起４２１は、押下方向付勢ばね９７０の付勢力により、第２壁部７１５ｅに押し付けられ、位置Ｐ２に維持される。また、この状態では、図２３に示すように、回転軸部７００の段差面７１１ｃから連動変位部９００の段差面９１１ｃが離間され、回転軸部７００と連動変位部９００とが非係合とされるため、操作子８００がスライド操作されても、連動変位部９００は変位されない。即ち、連動変位部９００は、操作子８００から切り離され、その切り離された位置に固定（維持）される。
【０１９７】
昇降部材４２０が第２位置（切り離し位置）に配置された状態（図２３及び図２６参照）から、操作子８００が下方（矢印Ｇ方向、図５（ｂ）参照）へ押し下げ操作されると、押上部材４１０により昇降部材４２０が上方へ押し上げられる。その結果、案内突起４２１が上昇され（経路Ｌ５）、上昇傾斜壁部７１５ｆに突き当たる。操作子８００が下方へ更に押し下げ操作され、昇降部材４２０が上方へ押し上げられると、案内突起４２１が上昇傾斜壁部７１５ｂに沿って案内され（経路Ｌ６）、位置Ｐｂにおいて案内規制壁部７１５ｇに突き当たる。
【０１９８】
これにより、図２２及び図２５に示すように、操作子８００の下方への押下操作が不能となる。遊技者が操作力を緩め、操作子８００の下方への押し下げ操作が解除されることで、押上部材４１０が下降されると（図２４参照）、昇降部材４２０が押下方向付勢ばね９７０の付勢力により押し下げられる。その結果、案内突起４２１が下降され（経路Ｌ７）、下降傾斜壁部７１５ｈに突き当たると共に、その下降傾斜壁部７１５ｈに沿って案内され、位置Ｐ１に到達する（経路Ｌ８）。
【０１９９】
次いで、図２７及び図２８を参照して、連動変位部９００を利用して操作子８００のスライド位置を記憶させると共に、その連動変位部９００を基準として操作子８００のスライド位置を調整する（元のスライド位置へ復帰させる）調整方法について説明する。
【０２００】
図２７（ａ）から図２７（ｄ）は、ハンドル装置５１の上面模式図である。図２８（ａ）から図２８（ｄ）は、回転軸部７００及び連動変位部９００の斜視模式図である。
【０２０１】
なお、図２７（ａ）は、操作子８００及び連動変位部９００が初期位置Ｐｍｉｎにある状態に対応し、図２７（ｂ）は、操作子８００のスライド操作に連動して連動変位部９００が変位された状態に対応し、図２７（ｃ）は、連動変位部９００が所定の変位位置に固定され、操作子８００のみが初期位置Ｐｍｉｎに復帰された状態に対応し、図２７（ｄ）は、連動変位部９００の固定位置へ向けて操作子８００がスライド操作されている状態に対応する。
【０２０２】
また、図２８（ａ）は、図２７（ａ）及び図２７（ｂ）の状態（即ち、操作子８００のスライド操作に連動して連動変位部９００が変位さる状態）に対応し、図２８（ｂ）は、図２７（ｃ）の状態（即ち、連動変位部９００が所定の変位位置に固定され、操作子８００のみが初期位置Ｐｍｉｎに復帰された状態）に対応し、図２８（ｃ）は、図２７（ｄ）の状態（即ち、連動変位部９００の固定位置へ向けて操作子８００がスライド操作されている状態）に対応し、図２８（ｄ）は、操作子８００が目標位置（連動変位部９００の固定位置）を通り越してスライド操作される状態に対応する。
【０２０３】
図２７（ａ）に示すように、昇降部材４２０が第１位置（連動位置）にあり（図６及び図２４参照）、操作子８００及び連動変位部９００の回動位置が初期位置Ｐｍｉｎに配置された状態から、遊技者による操作子８００の矢印Ｉ方向（図５（ａ）参照）へのスライド操作が行われると、図２７（ｂ）に示すように、連動変位部９００が、操作子８００のスライド操作に連動して変位される。
【０２０４】
なお、この場合には、回転軸部７００及び連動変位部９００は、それらの段差面７１１ｃ，９１１ｃどうしが係合されており、図２８（ａ）に示すように、一体となって回転される。よって、回転軸部７００の弾性片７９０と連動変位部９００の第１突起９１３等との間の相対位置に変化は生じない。
【０２０５】
遊技状態に応じて、操作子８００のスライド操作量を調整した結果、遊技球の発射強度が所望の発射強度に調整された場合には、操作子８００の下方（矢印Ｇ方向、図５（ｂ）参照）への押し下げ操作により、昇降部材４２０を第２位置（切り離し位置）に設定する（図２３及び図２６参照）。これにより、連動変位部９００が操作子８００から切り離されるので、連動変位部９００の変位位置を所定の変位位置（位置Ｐθ）に固定できると共に、その連動変位部９００とは独立して操作子８００のみをスライド操作することができる。
【０２０６】
即ち、例えば、図２７（ｂ）に示す状態において、操作子８００の下方への押し下げ操作を行っていれば、例えば、休憩を取るために、操作子８００の回動位置を初期位置へ復帰させ、遊技を中断したとしても、図２７（ｃ）に示すように、連動変位部９００の変位位置を元の変位位置（すなわち、遊技機を中断する前の変位位置（位置Ｐθ））に保持（固定）できる。同様に、例えば、右打ちをするために、操作子８００の変位位置を最大可動位置Ｐｍａｘまでスライド操作したとしても、連動変位部９００の変位位置は元の変位位置（位置Ｐθ）に保持（固定）できる。
【０２０７】
よって、操作子８００の変位位置を元の変位位置（即ち、遊技を中断する前や右打ちする前の変位位置（位置Ｐθ））に調整する場合には、連動変位部９００が固定されている変位位置を基準（目標位置）として、例えば、図２７（ｄ）に示すように、操作子８００を連動変位部９００へ向けて矢印Ｉ方向へスライド操作して、操作子８００の目印８９４を連動変位部９００に一致させることで、操作子８００の変位位置を元の変位位置（位置Ｐθ）に正確かつ迅速に調整する（元の変位位置を正確かつ迅速に再現する）ことができる。
【０２０８】
なお、このように、連動変位部９００が所定の変位位置（位置Ｐθ）に保持（固定）されると共に、操作子８００のスライド位置が初期位置Ｐｍｉｎに復帰された状態では（図２７（ｃ）参照）、図２８（ｂ）に示すように、回転軸部７００の弾性片７９０が連動変位部９００の第１突起９１３から周方向に離間される。
【０２０９】
上述したように、第１突起９１３は、弾性片７９０の移動軌跡上に配置されているので、操作子８００が連動変位部９００へ向けて矢印Ｉ方向へスライド操作され（図２７（ｄ）参照）、かかる操作子８００のスライド位置が連動変位部９００の変位位置（位置Ｐθ）に近接されると、図２８（ｃ）に示すように、弾性片７９０に第１突起９１３を乗り越えさせることができる。
【０２１０】
即ち、弾性片７９０の弾性変形抵抗を利用して、スライド操作の操作感を変化させることができる。その結果、遊技者は、スライド操作子８００の目印８９４と連動変位部９００との位置関係を目視により追跡し続けなくても、操作感の変化により、スライド操作子８００が目標位置（連動変位部９００）へ近づいたことを認識することができ、そのスライド操作の操作性の向上を図ることができる。
【０２１１】
ここで、例えば、遊技者の不注意により、スライド操作子８００が目標位置（連動変位部９００）を通り越して矢印Ｉ方向へスライド操作される場合には、図２８（ｄ）に示すように、弾性片７９０に第２突起９１４を乗り越えさせることができる。即ち、弾性片７９０の弾性変形抵抗を利用して、スライド操作の操作感を変化させることができる。よって、遊技者は、スライド操作子８００の目印８９４と連動変位部９００との位置関係を目視により追跡し続けなくても、操作感の変化により、スライド操作子８００が目標位置（連動変位部９００）を通り越したことを認識することができ、そのスライド操作の操作性の向上を図ることができる。
【０２１２】
特に、この場合には、第１突起９１３及び第２突起９１４の配設位置が回転軸部７００の軸方向に異なるように設定されているので、弾性片７９０が第１突起９１３を乗り越える際と第２突起９１４を乗り越える際とで、かかる弾性片７９０の弾性変形の形態（弾性変形抵抗）を異ならせることができる。その結果、スライド操作の操作感を異ならせることができるので、遊技者は、例えば、スライド操作子８００と連動変位部９００との位置関係を目視により把握しなくても、操作感の変化が、目標位置に近づいたことを知らせるものであるのか、或いは、目標位置を通り越したことを知らせるものであるのかを、区別することができる。
【０２１３】
次いで、図２９から図３４を参照して、第２実施形態におけるハンドル装置２０５１について説明する。第１実施形態では、操作子８００の押し下げ操作を任意に行うことができる場合を説明したが、第２実施形態におけるハンドル装置２０５１は、所定の操作を実行した後でなければ、操作子２８００の押し下げ操作が実行できないように形成される。なお、第１実施形態と同一の部分については同一の符号を付して、その説明を省略する。
【０２１４】
図２９（ａ）は、第２実施形態における操作子２８００の側面図であり、図２９（ｂ）は、図２９（ａ）の矢印ＸＸＩＸｂ方向視における操作子２８００の上面図である。図３０（ａ）は、図２９（ｂ）のＸＸＸａ−ＸＸＸａ線における操作子２８００の部分拡大断面図であり、図３０（ｂ）は、図２９（ｂ）のＸＸＸｂ−ＸＸＸｂ線における操作子２８００の部分拡大断面図である。
【０２１５】
図２９及び図３０に示すように、第２実施形態における操作子２８００は、本体部８１０の一対の脚部８１２にそれぞれ穿設される挿通孔２８２０が、本体部８１０の長手方向（図２９（ａ）左右方向）を長径方向とする長穴形状に形成される。具体的には、第１実施形態における挿通孔８２０を基部８１１側へ向けて延長して形成される。
【０２１６】
なお、挿通孔２８２０は、短径寸法（図２９（ａ）上下方向寸法）が連結軸９９０の直径よりも若干大きくされ、かかる連結軸９９０が挿通孔２８２０の長径方向に沿って変位可能とされる。また、連結軸９９０は、回転軸部７００の挿通孔７２０に固着される。
【０２１７】
図３１から図３３は、第２実施形態におけるハンドル装置２０５１の断面図である。また、図３４（ａ）から図３４（ｃ）は、回転軸部７００及び操作子２８００の側面図である。なお、図３４（ａ）、図３４（ｂ）及び図３４（ｃ）は、それぞれ図３１、図３２及び図３３における回転軸部７００及び操作子２８００の部分拡大図に対応する。
【０２１８】
図３１及び図３４（ａ）に示すように、操作子２８００は、通常状態では、跳ね上げ方向付勢ばね８８０の付勢力が、被保持部８３０を回転軸部７００へ近接させる方向（図３１左方向）へ向けて付与されているので、連結軸９９０が、挿通孔２８２０における被保持部８３０側（図３１右側）の端部に位置される。そのため、かかる通常状態では、操作子２８００の案内溝８７０の入り口に対して、回転軸部７００の案内軸７６０の位置がずれており（図３４（ａ）参照）、操作子２８００を下方（矢印Ｇ方向、図５（ｂ）参照）へ押し下げ操作することができない。
【０２１９】
この場合には、操作子２８００を回転軸部７００から離間する方向（図３２右方向）へ向けて水平（矢印Ｂ方向）に変位させる。即ち、遊技者は、被保持部８３０を手前（遊技者側）へ水平に引き寄せる。これにより、図３２及び図３４（ｂ）に示すように、連結軸９９０が、挿通孔２８２０における被保持部８３０と反対側（図３２左側）の端部に位置され、操作子２８００の案内溝８７０の入口の直下に、回転軸部７００の案内軸７６０を配置することができる（図３４（ｂ）参照）。その結果、図３３及び図３４（ｃ）に示すように、操作子２８００を下方（矢印Ｇ方向、図５（ｂ）参照）へ押し下げ操作することができる。
【０２２０】
このように、第２実施形態におけるハンドル装置２０５１によれば、操作子２８００を水平方向へ変位させた（即ち、被保持部８３０を手前側に引き寄せる操作を行った）場合に、操作子２８００の下方への押し下げ操作を行うことが可能となる。これにより、操作子２８００が下方へ不用意に押し下げ操作されることを抑制できる。
【０２２１】
即ち、操作子２８００の押し下げ操作は、被保持部８３０を鉛直方向に沿って下降させる方向であるので、手の重みを利用しやすく、故に、上述したように、その押し下げ操作が容易である反面、意図せずに不用意に押し下げ操作が実行されるおそれがある。これに対し、第２実施形態では、操作子２８００の押し下げ操作は、操作子２８００が水平方向（矢印Ｂ方向）へ変位されていることが必要とされるので、その押し下げ操作が遊技者の意図とは異なるタイミングで不用意に実行されることを確実に抑制することができる。
【０２２２】
次いで、図３５及び図３６を参照して、第３実施形態におけるハンドル装置３０５１について説明する。第２実施形態では、操作子２８００の押し下げ操作を可能とするために、所定の操作を実行することが条件とされる場合を説明したが、第３実施形態のハンドル装置３０５１は、操作子３８００の押し下げ操作を可能とするための条件が、所定の操作の複数回の実行とされる。なお、上記各実施形態と同一の部分については同一の符号を付して、その説明を省略する。
【０２２３】
図３５及び図３６は、回転軸部７００及び第３実施形態における操作子３８００の側面図である。なお、図３５（ｃ）及び図３６（ａ）では、同一の状態が図示される。
【０２２４】
図３５及び図３６に示すように、第３実施形態における操作子３８００は、案内溝３８７０が側面視Ｚ字状に形成される。即ち、案内溝３８７０は、図３５（ａ）に示す側面視において、本体部８１０の下面側の入口から、本体部８１０の上面側へ向けて延設された後、下面側へ向けて折り返されると共に、再度、上面側へ向けて折り返されて形成される。
【０２２５】
図３５（ａ）に示すように、操作子３８００は、第２実施形態の場合と同様に、通常状態では、跳ね上げ方向付勢ばね８８０の付勢力が、被保持部８３０を回転軸部７００へ近接させる方向（図３５（ａ）左方向）へ向けて付与されているので、連結軸９９０が、挿通孔２８２０における被保持部８３０側（図３５（ａ）右側）の端部に位置される。そのため、かかる通常状態では、操作子３８００の案内溝３８７０の入り口に対して、回転軸部７００の案内軸７６０の位置がずれており、操作子３８００を下方（矢印Ｇ方向、図５（ｂ）参照）へ押し下げ操作することができない。
【０２２６】
第３実施形態では、操作子３８００を、下方へ押し下げつつ、回転軸部７００から離間する方向（図３５（ｂ）右方向）へ向けて水平（矢印Ｂ方向）に変位させる。即ち、遊技者は、被保持部８３０を、下方に押し下げつつ、手前（遊技者側）へ水平に引き寄せる。これにより、図３５（ｂ）に示すように、操作子３８００の案内溝３８７０の入口の直下に、回転軸部７００の案内軸７６０が配置された際に、案内溝３８７０内に案内軸７６０が入り込み、図３５（ｃ）及び図３６（ａ）に示すように、案内軸７６０が案内溝３８７０の第１の折り返し部分に到達する位置まで、操作子３８００が下方（押し下げ操作の方向）へ変位される。
【０２２７】
図３５（ｃ）及び図３６（ａ）に示す状態を形成した後は、操作子３８００を回転軸部７００から離間する方向（図３６（ａ）右方向）へ向けて水平（矢印Ｂ方向）に更に変位させる。即ち、遊技者は、被保持部８３０を手前（遊技者側）へ水平に更に引き寄せる。これにより、図３６（ｂ）に示すように、案内軸７６０を、案内溝３８７０の第２の降り返し部分に配置することができるので、図３６（ｃ）に示すように、操作子３８００を下方（矢印Ｇ方向、図５（ｂ）参照）へ押し下げ操作することができる。
【０２２８】
このように、第３実施形態におけるハンドル装置３０５１によれば、操作子３８００の水平方向への変位を複数回（具体的には２回）行った（即ち、被保持部８３０の手前側への引き寄せる操作を複数回行った）場合に、操作子３８００の規定位置までの押し下げ操作を行うことが可能となる。これにより、操作子３８００が下方へ不用意に押し下げ操作されることをより確実に抑制できる。
【０２２９】
即ち、操作子３８００の水平方向（矢印Ｂ方向）への変位（手前側への引き寄せ操作）自体が遊技者の意図しない不用意な操作であった場合でも、その一度の操作だけでは、操作子３８００の規定位置までの押し下げ操作が完了されることはなく、更に、その状態から、操作子３８００の水平方向への変位（手前側への引き寄せ操作）が再度行われる必要がある。よって、２度目の水平方向への変位が遊技者により意識的に行われる必要があるので、遊技者の意図しない押し下げ操作が不用意に実行されることを確実に抑制することができる。
【０２３０】
次いで、図３７から図４２を参照して、第４実施形態について説明する。第１実施形態では、操作子８００のスライド変位に対して連動変位部９００を連動させるか否かの切り替えが、操作子８００の下方への押し下げ操作により行われる場合を説明したが、第４実施形態では、上記切り替えが、操作子４８００の水平方向（矢印Ｂ方向）への変位（遊技者側への引き寄せ操作）により行われる。なお、上記各実施形態と同一の部分については同一の符号を付して、その説明を省略する。
【０２３１】
図３７（ａ）及び図３７（ｂ）は、第４実施形態における操作子４８００及び回転軸部７００の部分断面側面図であり、図３７（ａ）は、操作子４８００が初期位置にある状態に、図３７（ｂ）は、操作子４８００が水平方向へ変位（遊技者側へ引き寄せ操作）された状態に、それぞれ対応する。
【０２３２】
図３７（ａ）及び図３７（ｂ）に示すように、第４実施形態における操作子４８００は、回転軸部７００に対して、連結軸４９９０を介して、連結される。これにより、操作子４８００は、第１実施形態の場合と同様に、回転軸部７００と一体的に、かかる回転軸部７００の軸心を中心として回転することで、スライド方向（矢印Ｉ及び矢印Ｄ方向、図５（ａ）参照）への変位（スライド操作）が可能とされる一方、第１実施形態の場合とは異なり、水平方向（矢印Ｂ方向）への変位（遊技者側への引き寄せ操作）が可能とされる。
【０２３３】
即ち、図３７（ａ）に示すように、操作子４８００は、通常状態では、跳ね上げ方向付勢ばね８８０の付勢力が、被保持部８３０を回転軸部７００へ近接させる方向（図３７（ａ）左方向）へ向けて付与されており、この付勢力に抗して、被保持部８３０を矢印Ｂ方向へ水平に変位させる（遊技者側へ引き寄せ操作する）ことで、図３７（ｂ）に示す状態となる。この状態から、矢印Ｂ方向への操作力が緩められると、跳ね上げ方向付勢ばね８８０の弾性回復力により、操作子４８００は矢印Ｂ方向と反対方向へ向けて水平に変位され、図３７（ａ）に示す状態に復帰される。
【０２３４】
なお、第１実施形態では、回転軸部７００及び操作子８００が１本の連結軸９９０により連結されたが、第４実施形態の回転軸部７００及び操作子４８００は、２本の連結軸４９９０により連結される。即ち、２本の連結軸４９９０のうちの一方の連結軸４９９０は、一対の脚部８１２の内の一方の脚部８１２と回転軸部７００のうちの一方の挿通孔７２０とを連結し、他方の連結軸４９９０は、一対の脚部８１２の内の他方の脚部８１２と回転軸部７００のうちの他方の挿通孔７２０とを連結する。これにより、２本の連結軸４９９０の間には、カム部材８６０が移動するためのスペースが確保される。
【０２３５】
図３８（ａ）は、操作子４８００の側面図であり、図３８（ｂ）は、図３８（ａ）の矢印ＸＸＸＶＩＩＩｂ方向視における操作子４８００の上面図である。図３９（ａ）は、図３８（ｂ）のＸＸＸＩＸａ−ＸＸＸＩＸａ線における操作子４８００の部分拡大断面図であり、図３９（ｂ）は、図３８（ｂ）のＸＸＸＩＸｂ−ＸＸＸＩＸｂ線における操作子４８００の部分拡大断面図である。
【０２３６】
図３８及び図３９に示すように、第４実施形態における操作子４８００は、本体部８１０の一対の脚部８１２にそれぞれ穿設される挿通孔４８２０が、本体部８１０の長手方向（図３８（ａ）左右方向）を長径方向とする長穴形状に形成される。なお、挿通孔４８２０は、短径寸法（図３８（ａ）上下方向寸法）が連結軸４９９０の直径よりも若干大きくされ、かかる連結軸４９９０が挿通孔４８２０の長径方向に沿って変位可能とされる。また、連結軸４９９０は、回転軸部７００の挿通孔７２０に固着される。
【０２３７】
カム部材４８６０は、押上部材４１０を上方へ向けて押し上げるための部材であり（図３７参照）、一対の脚部８１２の対向間に架設される平板状の架設部４８６１と、その架設部４８６１の長手方向（図３８（ｂ）上下方向）中央から基部８１１側（即ち、回転軸部７００が配設される側、図３８（ｂ）右側）へ向けて延設される押上カム４８６２と備え、これらが一体に形成される。
【０２３８】
押上カム４８６２は、断面視三角形状に形成され、図３９に示すように、三角形状の頂部を上方へ向けた姿勢で配設される。本体部８１０（一対の脚部８１２の対向間）に回転軸部７００が連結軸４９９０を介して連結された状態では、押上カム４８６２は、その三角形状の頂部が、押上部材４１０の回転軸（突起７３１及び凹部４１１、図１１（ｂ）及び図１１（ｃ）参照）の鉛直方向下側となる背面を下方から支持する位置に配設される（図３７（ａ）参照）。
【０２３９】
カム部材４８６０は、操作子４８００が水平方向（矢印Ｂ方向、図３７（ａ）参照）へ変位される際に、押上カム４８６２の三角形状における頂部（図３９（ａ）上側）を押上部材４１０の背面に当接させつつ、水平方向へ変位することで、押上部材４１０を上方へ押し上げる（図３７（ａ）及び図３７（ｂ）参照）。
【０２４０】
このように、押上カム４８６２を断面視三角形状に形成し、その頂部を利用して押上部材４１０を上方へ押し上げる構造とすることで、操作子４８００が水平方向（矢印Ｂ方向）へ変位されていない通常の状態では（図３７（ａ）参照）、押上部材４１０をより下方に配置可能として、全体としての高さ方向（軸方向、図３７（ａ）上下方向）の小型化を図りつつ、操作子４８００を水平方向へ変位させる（手前側へ引き寄せ操作する）際には（図３７（ｂ）参照）、押上部材４１０の上方への押し上げ量を確保できるので、操作子４８００に必要とされる水平方向への変位量を小さくして、その操作性の向上を図ることができると共に、昇降部材４２０（図１９参照）の昇降ストロークを大きくして、連動変位部９００の連動・非連動の切り替えを確実に行うことができる（図４０及び図４１参照）。
【０２４１】
次いで、図４０から図４２を参照して、操作子４８００の水平方向への変位（手前側への引き寄せ操作）により、昇降部材４２０を第１位置（連動位置）又は第２位置（切り離し位置）に切り替える構造について説明する。
【０２４２】
図４０から図４２は、ハンドル装置４０５１の断面図である。なお、図４０は、昇降部材４２０が第１位置（連動位置）に配置された状態に対応し、図４２は、昇降部材４２０が第２位置（連動位置）に配置された状態（非連動状態）に対応する。図４１は、操作子４８００が水平方向（矢印Ｂ方向）へ変位（手前側に引き寄せ操作）され、昇降部材４２０が中間位置に配置された状態に対応する。
【０２４３】
図４０に示すように、昇降部材４２０が第１位置（連動位置）に配置されると、操作子４８００のスライド操作に連動して連動変位部９００が変位可能とされる。この状態から、操作子４８００が水平方向（矢印Ｂ方向）へ変位（手前側へ引き寄せ操作）されると、図４１に示すように、カム部材４８６０の押上カム４８６２が、押上部材４１０を介して、昇降部材４２０を上方へ押し上げ、かかる昇降部材４２０が中間位置に配置される。
【０２４４】
図４１に示す状態から、遊技者が操作力を緩め、操作子４８００の水平方向（矢印Ｂ方向）への変位（手前側への引き寄せ操作）が解除されると、操作子４８００が跳ね上げ方向付勢ばね８８０の付勢力により矢印Ｂ方向と反対方向へ向けて引き戻されると共に、昇降部材４２０が押下方向付勢ばね９７０の付勢力により押し下げられる。その結果、図４２に示すように、昇降部材４２０が第２位置（切り離し位置）に配置される。
【０２４５】
図４２に示す状態では、操作子４８００のスライド操作から連動変位部９００が切り離され、回転軸部７００の段差面７１１ｃから連動変位部９００の段差面９１１ｃが離間され、回転軸部７００と連動変位部９００とが非係合とされるため、操作子４８００がスライド操作されても、連動変位部９００は変位されない。即ち、連動変位部９００は、操作子４８００から切り離され、その切り離された位置に固定（維持）される。
【０２４６】
一方、図４２に示すように、昇降部材４２０が第２位置（切り離し位置）に配置された状態から、操作子４８００が水平方向（矢印Ｂ方向）へ変位（遊技者側に引き寄せ操作）されると、図４１に示すように、カム部材４８６０の押上カム４８６２が、押上部材４１０を介して、昇降部材４２０を上方へ押し上げ、かかる昇降部材４２０が中間位置に配置される。
【０２４７】
この状態（即ち、図４２に示す昇降部材４２０が第２位置（切り離し位置）に配置された状態において、操作子４８００を手前側へ引き寄せ操作して、昇降部材４２０を中間位置に配置した状態）から、遊技者が操作力を緩め、操作子４８００の水平方向（矢印Ｂ方向）への変位（手前側への引き寄せ操作）が解除されると、操作子４８００が跳ね上げ方向付勢ばね８８０の付勢力により矢印Ｂ方向と反対方向へ向けて引き戻されると共に、昇降部材４２０が押下方向付勢ばね９７０の付勢力により押し下げられる。その結果、図４０に示すように、昇降部材４２０が第１位置（連動位置）に配置される。
【０２４８】
このように、第４実施形態では、操作子４８００の水平方向（矢印Ｂ方向）への変位（手前側への引き寄せ操作）により、操作子４８００のスライド変位に対して連動変位部９００を連動させるか否かの切り替えを行うことができる。即ち、遊技球の発射強度を調整するための操作と、連動変位部９００を所定の変位位置に固定する（変位位置を記憶する）ための操作との異なる操作を、被保持部８３０を把持する手指を握り直すことや、逆の手でボタン操作を行うなどを必要とせず、操作子４８００の被保持部８３０を把持した状態を維持したまま、片手で容易に行うことができる。
【０２４９】
次いで、図４３及び図４４を参照して、第５実施形態について説明する。図４３（ａ）は、第５実施形態におけるハンドル装置５０５１の上面図であり、図４３（ｂ）は、図４３（ａ）の矢印ＸＬＩＩＩｂ方向視におけるハンドル装置５０５１の側面図である。図４４は、ハンドル装置５０５１の部分断面側面図である。
【０２５０】
第１実施形態では、スライド変位量の変更により遊技球の発射強度を調整するための操作子８００に棒状の被保持部８３０が形成され、その被操作部８３０を手で把持して操作子８００のスライド操作や押し下げ操作を行う場合を説明したが、第５実施形態における操作子５８００は、載置面５８３１が形成された被保持部５８００を備え、その被保持部５８００の載置面５８３１に手の一部を載置して操作子５８００のスライド操作や押し下げ操作を行う。即ち、手が不自由なために、被操作部８３０の把持が困難な場合であっても、スライド操作や押し下げ操作を可能として、遊技を行うことができるように形成される。
【０２５１】
なお、各実施形態と同一の部分については同一の符号を付して、その説明を省略する。また、第５実施形態におけるハンドル装置５０５１は、操作子５８００の構成が第１実施形態における操作子８００と異なる点を除き、他の構成は第１実施形態におけるハンドル装置５１と同一である。
【０２５２】
図４３及び図４４に示すように、第５実施形態における操作子５８００は、本体部８１０の先端側（図４３（ａ）右側）に被保持部５８３０が配設される。被保持部５８３０は、上面視において楕円形状をその短軸に沿って二分割した形状に形成される載置面５８３１と、その載置面５８３１の上面視円弧状の外縁部分から立設される立設壁５８３２とを備える。
【０２５３】
載置面５８３１は、遊技者が手の一部を載置するための平坦面であり、操作子５８００のスライド平面に平行な平坦面として形成される。その載置面５８３１に載置した手を水平方向へ移動させることで、操作子５８００をスライド操作する際には、立設壁５８３２の内周面が、手の水平方向への移動を受け止める。
【０２５４】
第５実施形態におけるハンドル装置５０５１によれば、操作子５８００の被保持部５８３０には、遊技者が手の一部を載置可能な載置面５８３１が形成されるので、例えば、手指が不自由なために、棒状の被保持部８３０（図５参照）を把持することができない遊技者であっても、被保持部５８３０の載置面５８３１を利用して、操作子５８００の左右方向（矢印Ｉ，Ｄ方向）へのスライド操作および下方（矢印Ｇ方向）への押し下げ操作を行うことができる。
【０２５５】
即ち、回転ハンドルを正面から把持して回転させることで遊技球の発射強度を調整する従来の遊技機では、手指の不自由な遊技者が遊技を行うことは不可能であり、また、第１実施形態のように被保持部８００を棒状に形成する場合であってもその被保持部８３０を把持して遊技を行うことは困難である。本発明では、操作子５８００を左右にスライド操作可能かつ下方に押し下げ操作可能とすることで、手指の不自由な遊技者が、遊技を行うことが初めて可能となった。
【０２５６】
以上、上記実施形態に基づき本発明を説明したが、本発明は上記形態に何ら限定されるものではなく、本発明の趣旨を逸脱しない範囲内で種々の変形改良が可能であることは容易に推察できるものである。
【０２５７】
上記各実施形態のうちの一の実施形態における一部または全部の構成を、他の実施形態における一部または全部の構成と組み合わせて、或いは、置き換えて、パチンコ機１０を構成しても良い。
【０２５８】
本発明を上記各実施形態とは異なるタイプのパチンコ機等に実施してもよい。例えば、一度大当たりすると、それを含めて複数回（例えば２回、３回）大当たり状態が発生するまで、大当たり期待値が高められるようなパチンコ機（通称、２回権利物、３回権利物と称される）として実施してもよい。また、大当たり図柄が表示された後に、所定の領域に球を入賞させることを必要条件として遊技者に所定の遊技価値を付与する特別遊技を発生させるパチンコ機として実施してもよい。また、Ｖゾーン等の特別領域を有する入賞装置を有し、その特別領域に球を入賞させることを必要条件として特別遊技状態となるパチンコ機に実施してもよい。更に、パチンコ機以外にも、アレパチ、雀球、スロットマシン、いわゆるパチンコ機とスロットマシンとが融合した遊技機などの各種遊技機として実施するようにしても良い。
【０２５９】
なお、スロットマシンは、例えばコインを投入して図柄有効ラインを決定させた状態で操作レバーを操作することにより図柄が変動され、ストップボタンを操作することにより図柄が停止されて確定される周知のものである。従って、スロットマシンの基本概念としては、「複数の識別情報からなる識別情報列を変動表示した後に識別情報を確定表示する表示装置を備え、始動用操作手段（例えば操作レバー）の操作に起因して識別情報の変動表示が開始され、停止用操作手段（例えばストップボタン）の操作に起因して、或いは、所定時間経過することにより、識別情報の変動表示が停止して確定表示され、その停止時の識別情報の組合せが特定のものであることを必要条件として、遊技者に所定の遊技価値を付与する特別遊技を発生させるスロットマシン」となり、この場合、遊技媒体はコイン、メダル等が代表例として挙げられる。
【０２６０】
また、パチンコ機とスロットマシンとが融合した遊技機の具体例としては、複数の図柄からなる図柄列を変動表示した後に図柄を確定表示する表示装置を備えており、球打出用のハンドルを備えていないものが挙げられる。この場合、所定の操作（ボタン操作）に基づく所定量の球の投入の後、例えば操作レバーの操作に起因して図柄の変動が開始され、例えばストップボタンの操作に起因して、或いは、所定時間経過することにより、図柄の変動が停止され、その停止時の確定図柄がいわゆる大当たり図柄であることを必要条件として遊技者に所定の遊技価値を付与する特別遊技が発生させられ、遊技者には、下部の受皿に多量の球が払い出されるものである。かかる遊技機をスロットマシンに代えて使用すれば、遊技ホールでは球のみを遊技価値として取り扱うことができるため、パチンコ機とスロットマシンとが混在している現在の遊技ホールにおいてみられる、遊技価値たるメダルと球との別個の取扱による設備上の負担や遊技機設置個所の制約といった問題を解消し得る。
【０２６１】
以下に、本発明の遊技機に加えて上述した実施形態に含まれる各種発明の概念を示す。
【０２６２】
遊技者によって操作される操作装置を備え、その操作装置の操作量に応じて遊技球の発射強度が調整される遊技機であって、前記操作装置は、遊技者により保持される被保持部を一側に有すると共にその被保持部がスライド変位可能となるように他側が支持される操作子を備え、前記被保持部のスライド変位量に応じて遊技球の発射強度が調整されると共に、所定の部材を基準として遊技者が前記被保持部のスライド変位の変位位置を認識可能に形成されることを特徴とする遊技機Ａ１。
【０２６３】
遊技機Ａ１によれば、操作子は、遊技者により保持される被保持部を一側に有すると共にその被保持部がスライド変位可能となるように他側が支持されるので、被保持部の操作性、即ち、遊技球の発射強度を調整する際の操作性の向上を図ることができる。この場合、所定の部材を基準として遊技者に被保持部のスライド変位の変位位置を認識させることができる。よって、遊技球の発射強度が所望の発射強度となる変位位置に操作子が調整された後に、例えば、遊技を中断するために、操作子の被保持部のスライド変位の変位位置が初期位置へ復帰された場合、或いは、例えば、右打ちをするために、操作子の被保持部のスライド変位の変位位置が最大変位位置へ変更された場合であっても、遊技者は、所定の部材を基準とする被保持部のスライド変位の変位位置の認識に基づいて、被保持部のスライド変位の変位位置を元の変位位置（即ち、遊技を中断する前や右打ちする前の変位位置）に調整する（復帰させる）ことができる。よって、操作子の被保持部のスライド変位の変位位置を元の変位位置へ調整する操作を、正確かつ迅速に行うことができる。
【０２６４】
なお、遊技者に保持される被保持部は、遊技者が手指で把持可能な形状に限られず、例えば、遊技者が手の平や手の甲を載置可能な形状が例示される。また、操作子の他側を支持する構造としては、操作子の他側を回転可能に軸支する構造や操作子の他側を案内溝に沿って変位可能に支持する構造などが例示される。軸支する構造においては、一軸のみで回転可能に軸支するものに限られず、遊動可能に軸支するもの（例えば、球体を球面軸受により保持する構造）であっても良い。案内溝に沿って支持する構造においては、案内溝は、直線状であっても良く、曲線状に湾曲されていても良く、或いは、これらの組合せであっても良い。
【０２６５】
遊技機Ａ１において、前記操作装置は、前記操作子の被保持部のスライド変位に連動して変位可能に形成される連動変位部と、その連動変位部が前記操作子の被保持部のスライド変位に連動して変位されることを解除する連動解除手段と、を備えることを特徴とする遊技機Ａ２。
【０２６６】
遊技機Ａ２によれば、遊技機Ａ１の奏する効果に加え、連動変位部が操作子の被保持部のスライド変位に連動して変位されることを連動解除手段により解除することができる。即ち、連動変位部の変位が操作子の被保持部のスライド変位に連動することを連動解除手段により解除することで、連動変位部を、操作子の被保持部のスライド変位から切り離して、その切り離された際の変位位置に留まらせる（固定する）ことができる。これにより、遊技球の発射強度が所望の発射強度となる変位位置に操作子が調整された状態において、連動解除手段による解除を行うことで、連動変位部を所定の変位位置に留まらせて（固定して）おき、操作子を元の変位位置へ調整する（復帰させる）際の基準とすることができる。よって、操作子の被保持部のスライド変位の変位位置を元の変位位置へ調整する際に、その調整操作を正確かつ迅速に行うことができる。
【０２６７】
遊技機Ａ２において、前記操作子は、前記他側が軸支されると共に、その軸支された前記他側を中心として回転されることで、前記一側の被保持遊技者をスライド変位させるものであり、前記連動変位部は、他側が前記操作子と同軸に軸支されると共に、その軸支された前記他側を中心として回転されることで、一側をスライド変位させるものであり、前記連動変位部の前記一側における移動軌跡が、上面視において、前記操作子の移動軌跡に重なることを特徴とする遊技機Ａ３。
【０２６８】
遊技機Ａ３によれば、遊技機Ａ２の奏する効果に加え、操作子と連動変位部とは、それらの前記他側が同軸に軸支され、前記他側を中心として回転されることで、一側をスライド変位させるものであり、かかる一側の移動軌跡が上面視において重なるので、これら操作子と連動変位部との相対的な位置関係を遊技者に容易に把握させることができる。
【０２６９】
遊技機Ａ１からＡ３のいずれかにおいて、前記操作子と連動変位部との間の相対位置を示す目印が、前記操作子または連動変位部の少なくとも一方に配設されることを特徴とする遊技機Ａ４。
【０２７０】
遊技機Ａ４によれば、遊技機Ａ１からＡ３のいずれかの奏する効果に加え、操作子または連動変位部の少なくとも一方には目印が形成されるので、操作子の被保持部のスライド変位の変位位置を元の変位位置へ調整する際には、目印を基準とすることができる。よって、その分、操作子の元の変位位置への調整操作（復帰操作）を正確かつ迅速に行うことができる。
【０２７１】
なお、操作子および連動変位部のそれぞれに目印が形成され、連動変位部が操作子の被保持部のスライド変位に連動して変位する状態では、操作子の目印と、連動変位部の目印との配設位置が一致することが好ましい。この場合には、操作子の被保持部のスライド変位の変位位置を元の変位位置へ調整する（復帰させる）際に、操作子の目印を連動変位部の目印に一致させれば良いので、元の変位位置への調整操作を正確かつ迅速に行うことができる。
【０２７２】
遊技機Ａ２からＡ４のいずれかにおいて、前記操作子または連動変位部の一方は、被係合部を備えると共に、前記操作子または連動変位部の他方は、前記被係合部と係合可能な係合部を備え、前記被係合部と係合部とが係合することで、前記連動変位部が前記操作子の被保持部のスライド変位に連動して変位可能とされると共に、前記被係合部と係合部との係合が前記連動解除手段により解除可能とされることを特徴とする遊技機Ａ５。
【０２７３】
遊技機Ａ５によれば、遊技機Ａ２からＡ４のいずれかの奏する効果に加え、被係合部と係合部とが係合することで、連動変位部が操作子の被保持部のスライド変位に連動して変位可能とされるので、連動変位部が操作子の被保持部のスライド変位に対し、例えば、摩擦力により連動して変位される場合と比較して、滑りによる両者の位置ずれを抑制できる。よって、連動変位部の変位を操作子の被保持部のスライド変位に正確に追従させることができるので、連動変位部を基準として、操作子を元の変位位置へ調整する（復帰させる）際には、より正確な変位位置に調整することができる。
【０２７４】
遊技機Ａ２からＡ４のいずれかにおいて、前記操作子および連動変位部を結合する結合部材を備え、その結合部材が前記操作子および連動変位部を結合することで、前記連動変位部が前記操作子の被保持部のスライド変位に連動して変位可能とされると共に、前記結合部材による前記操作子および連動変位部の結合が前記連動解除手段により解除可能とされることを特徴とする遊技機Ａ６。
【０２７５】
遊技機Ａ６によれば、遊技機Ａ２からＡ４のいずれかの奏する効果に加え、結合部材が操作子および連動変位部を結合することで、連動変位部が操作子の被保持部のスライド変位に連動して変位可能とされるので、連動変位部が操作子の被保持部のスライド変位に対し、例えば、摩擦力により連動して変位される場合と比較して、滑りによる両者の位置ずれを抑制できる。よって、連動変位部の変位を操作子の被保持部のスライド変位に正確に追従させることができるので、連動変位部を基準として、操作子を元の変位位置へ調整する際には、より正確な変位位置に調整することができる。
【０２７６】
遊技機Ａ２からＡ６のいずれかにおいて、前記操作子は、前記遊技球の発射強度を調整するための前記スライド変位の方向とは異なる第２の方向へ前記被保持部が変位可能に形成され、前記連動解除手段は、前記操作子の被保持部が前記第２の方向へ変位されることで、前記連動変位部が前記操作子に連動して変位されることを解除可能に形成されることを特徴とする遊技機Ａ７。
【０２７７】
遊技機Ａ７によれば、遊技機Ａ２からＡ６のいずれかの奏する効果に加え、遊技球の発射強度を調整するためのスライド変位の方向とは異なる第２の方向へ被保持部が変位されることで、連動解除手段による解除が行われるので、かかる解除動作を容易に行うことができる。即ち、遊技者は、操作子の被保持部をスライド変位の方向へ変位させ、遊技球の発射強度を所望の発射強度に調整した後は、その状態から次いで被保持部を第２の方向へ変位させる操作を行えば良く、連動解除手段による解除を行うために、被保持部を持ち替える動作や、被保持部を操作する手とは逆の手で別の操作手段を操作する動作を行う必要がない。その結果、連動解除手段による解除を行うための動作（解除動作）を容易に行うことができる。
【０２７８】
遊技機Ａ７において、前記スライド変位の方向は、前記被保持部を水平方向に沿って変位させる方向であり、前記第２の方向は、前記被保持部を鉛直方向に沿って下降させる方向であることを特徴とする遊技機Ａ８。
【０２７９】
遊技機Ａ８によれば、遊技機Ａ７の奏する効果に加え、操作子の被保持部を変位させる方向は、遊技球の発射強度を調整するためのスライド変位の方向が、被保持部を水平方向に沿って変位させる方向であり、連動解除手段による解除を行うための第２の方向が、被保持部を鉛直方向に沿って下降させる方向であるので、被保持部のスライド変位の方向への操作量を維持しつつ（即ち、スライド変位の方向への操作位置がずれることを抑制しつつ）、連動解除手段による解除を行うための動作（解除動作）を容易に行うことができる。
【０２８０】
即ち、遊技者は、操作子の被保持部をスライド変位の方向へ変位させ、遊技球の発射強度を所望の発射強度に調整した後、被保持部を第２の方向へ変位させる操作を行う場合には、手の重みを被保持部に作用させる、或いは、手首を下方へ返す動作のみで、被保持部を第２の方向へ容易に変位させることができる。その結果、被保持部のスライド変位の方向への操作量を維持しつつ（即ち、スライド変位の方向への操作位置がずれることを抑制しつつ）、連動解除手段による解除を行うための動作（解除動作）を容易に行うことができる。
【０２８１】
なお、スライド変位の方向は、水平方向に平行である必要はない。即ち、スライド変位の方向が水平方向に沿っているとは、水平方向に対して±６０度の傾斜角度の範囲を許容範囲とする趣旨である。即ち、完全に水平である必要はなく、スライド変位の軌跡の一部または全部が下降傾斜または上昇傾斜していても良い。また、スライド変位は、その軌跡が直線状である形態に限られるものではなく、その軌跡の全部または一部が円弧状に湾曲する形態も含む趣旨である。軌跡が円弧状に湾曲する場合は、その接線方向がスライド変位の方向とされる。
【０２８２】
ここで、遊技機Ａ７において、第２の方向を、水平方向に沿う方向であって遊技機の前後方向（即ち、操作子の被保持部が遊技機の前面から遊技者へ向かう方向、又は、遊技者から遊技機の前面へ向かう方向）に沿う方向としても良い。この構成によっても、被保持部のスライド変位の方向への操作量を維持しつつ（即ち、スライド変位の方向への操作位置がずれることを抑制しつつ）、連動解除手段による解除を行うための動作（解除動作）を容易に行うことができる。
【０２８３】
遊技機Ａ８において、前記連動変位部が前記操作子に連動して変位されることの連動解除手段による解除は、前記第２の方向への前記被保持部の変位が複数回行われた場合に行われることを特徴とする遊技機Ａ９。
【０２８４】
遊技機Ａ８において、遊技者により操作可能に形成される第２操作部分を備え、前記連動変位部が前記操作子に連動して変位されることの連動解除手段による解除は、前記第２操作部分を操作した後に又は前記第２操作部分の操作と同時に、前記被保持部が前記第２の方向へ変位されることで、行われることを特徴とする遊技機Ａ１０。
【０２８５】
遊技機Ａ８において、前記保持部は、前記第２の方向とは異なる方向である第３の方向へ変位可能に形成されると共に、前記第３の方向へ変位された後に、前記第２の方向への変位が可能となるように形成されることを特徴とする遊技機Ａ１１。
【０２８６】
遊技機Ａ９からＡ１１のいずれかによれば、遊技機Ａ８の奏する効果に加え、連動変位部が操作子に連動して変位されることの連動解除手段による解除は、第２の方向への被保持部の変位が複数回行われた場合、第２操作部分を操作した後または第２操作部分の操作と同時に被保持部が第２の方向へ変位された場合、或いは、第３の方向へ変位された後に被保持部が第２の方向へ変位された場合に行われるので、操作子の被保持部が第２の方向へ不用意に操作され、遊技者の意図とは異なる発射強度で、連動解除手段による解除が実行されることを抑制できる。即ち、第２の方向は、鉛直方向に沿って下降させる方向であるので、上述したように、手の重みを利用しやすく、故に、かかる第２の方向への被保持部の操作が容易である反面、第２の方向へ被保持部が不用意に操作されるおそれがあるところ、遊技機Ａ９からＡ１１のいずれかのように、第２の方向への被保持部の変位が複数回行われること、第２操作部分を操作した後または第２操作部分の操作と同時に被保持部が第２の方向へ変位されること、或いは、第３の方向へ変位された後に被保持部が第２の方向へ変位されることを条件とすることで、遊技者の意図とは異なる発射強度で、連動解除手段による解除が不用意に実行されることを効果的に抑制することができる。
【０２８７】
遊技機Ａ８からＡ１１のいずれかにおいて、前記操作子の被保持部が前記第２の方向へ変位されることで、前記連動解除手段による解除が行われると共に、前記操作子の保持部が前記スライド変位の方向へ変位することを規制可能に形成されることを特徴とする遊技機Ａ１２。
【０２８８】
遊技機Ａ１２によれば、遊技機Ａ８からＡ１１のいずれかの奏する効果に加え、操作子の被保持部が第２の方向へ変位されることで、連動解除手段による解除が行われると共に、操作子の被保持部がスライド変位の方向に変位することを規制可能に形成されるので、連動解除手段による解除（即ち、連動変位部の所定位置への固定）を行う際に、操作子の被保持部がスライド変位の方向に変位することの規制も併せて行うことができる。よって、操作子の被保持部のスライド変位の変位位置が意図する所定の変位位置からずれることを抑制でき、その結果、連動変位部を所定の変位位置に適正に留まらせる（固定する）ことができる。
【０２８９】
遊技機Ａ２からＡ１２のいずれかにおいて、前記操作子は、前記遊技球の発射強度を調整するための前記スライド変位の方向とは異なる第２の方向へ前記被保持部が変位可能に形成され、前記連動変位部が前記操作子の被保持部のスライド変位に連動して変位されることが前記連動解除手段により解除された状態において、前記操作子の被保持部が前記第２の方向へ変位されることで、前記連動変位部が前記操作子の被保持部のスライド変位に連動して変位されることを特徴とする遊技機Ａ１３。
【０２９０】
遊技機Ａ１３によれば、遊技機Ａ２からＡ１２のいずれかの奏する効果に加え、遊技球の発射強度を調整するためのスライド変位の方向とは異なる第２の方向へ被保持部が変位されることで、連動解除手段による解除からの復帰（操作子の被保持部のスライド変位に対する連動変位の非連動状態から連動状態への復帰）が行われるので、かかる復帰動作を容易に行うことができる。即ち、連動解除手段による解除からの復帰（復帰動作）を行うために、被保持部を持ち替える動作や、被保持部を操作する手とは逆の手で別の操作手段を操作する動作を行う必要がない。その結果、連動解除手段による解除からの復帰を行うための動作（復帰動作）を容易に行うことができる。
【０２９１】
遊技機Ａ１３において、前記スライド変位の方向は、前記被保持部を水平方向に沿って変位させる方向であり、前記第２の方向は、前記被保持部を鉛直方向に沿って下降させる方向であることを特徴とする遊技機Ａ１４。
【０２９２】
遊技機Ａ１４によれば、遊技機Ａ１３の奏する効果に加え、操作子の被保持部を変位させる方向は、遊技球の発射強度を調整するためのスライド変位の方向が、被保持部を水平方向に沿って変位させる方向であり、連動解除手段による解除からの復帰を行うための第２の方向が、被保持部を鉛直方向に沿って下降させる方向であるので、連動解除手段による解除からの復帰を行うための動作（復帰動作）を容易に行うことができる。即ち、被保持部を第２の方向へ変位させる操作は、手の重みを被保持部に作用させる、或いは、手首を下方へ返す動作のみで、容易に行うことができる。
【０２９３】
遊技機Ａ２からＡ１４のいずれかにおいて、前記操作子の被保持部のスライド変位に連動して変位することが前記連動解除手段により解除された前記連動変位部の変位位置に対し、前記操作子の被保持部の変位位置が近接されると、その操作子の被保持部をスライド変位させる際の操作抵抗が変化されることを特徴とする遊技機Ａ１５。
【０２９４】
遊技機Ａ１５によれば、遊技機Ａ２からＡ１４のいずれかの奏する効果に加え、操作子の被保持部のスライド変位に連動して変位することが連動解除手段により解除された連動変位部の変位位置に対し、操作子の被保持部の変位位置が近接されると、その操作子の被保持部をスライド変位させる際の操作抵抗が変化されるので、操作子の被保持部のスライド変位の変位位置を元の変位位置（即ち、連動変位部の変位位置）に調整する際には、連動変位部と操作子の被保持部との相対的な位置関係を視認し続けてなくても、操作子の被保持部が元の変位位置に近づいたことを、そのスライド変位の操作抵抗の変化に基づいて遊技者に認識させることができる。これにより、操作子の被保持部のスライド変位の変位位置を元の変位位置へ調整する際の操作性の向上と手間の軽減とを図ることができる。
【０２９５】
遊技機Ａ２からＡ１５のいずれかにおいて、前記操作子の被保持部のスライド変位に連動して変位することが前記連動解除手段により解除された前記連動変位部の変位位置に対し、その連動変位部の変位位置を前記操作子の被保持部が通過すると、その操作子の被保持部をスライド変位させる際の操作抵抗が変化されることを特徴とする遊技機Ａ１６。
【０２９６】
遊技機Ａ１６によれば、遊技機Ａ２からＡ１５のいずれかの奏する効果に加え、操作子の被保持部のスライド変位に連動して変位することが連動解除手段により解除された連動変位部の変位位置に対し、その連動変位部の変位位置を操作子の被保持部が通過すると、その操作子の被保持部をスライド変位させる際の操作抵抗が変化されるので、操作子の被保持部のスライド変位の変位位置を元の変位位置（即ち、連動変位部の変位位置）に調整する際には、連動変位部と操作子の被保持部との相対的な位置関係を視認し続けてなくても、操作子の被保持部が元の変位位置を通過したことを、そのスライド変位の操作抵抗の変化に基づいて遊技者に認識させることができる。これにより、操作子の被保持部のスライド変位の変位位置を元の変位位置へ調整する際の操作性の向上と手間の軽減とを図ることができる。
【０２９７】
遊技機Ａ１６において、前記操作子の被保持部のスライド変位に連動して変位することが前記連動解除手段により解除された前記連動変位部の変位位置に対し、前記操作子の被保持部の変位位置が近接された場合のその操作子の被保持部をスライド変位させる際の操作抵抗の変化と、前記連動変位部の変位位置を前記操作子の被保持部が通過する場合のその操作子の被保持部をスライド変位させる際の操作抵抗の変化とが異なるものであることを特徴とする遊技機Ａ１７。
【０２９８】
遊技機Ａ１７によれば、操作子の被保持部のスライド変位に連動して変位することが連動解除手段により解除された連動変位部の変位位置に対し、連動変位部の変位位置に操作子の被保持部が近接する際の操作抵抗の変化と、連動変位部の変位位置を操作子の被保持部が通過する際の操作抵抗が変化とが異なるものとされるので、連動変位部と操作子の被保持部との相対的な位置関係を視認し続けてなくても、操作子の被保持部が元の変位位置に近づいたのか、或いは、元の変位位置を通過したのか、を遊技者に認識させることができる。これにより、操作子の被保持部のスライド変位の変位位置を元の変位位置へ調整する際の操作性の向上と手間の軽減とを図ることができる。
【０２９９】
なお、操作感の変化が異なる形態としては、例えば、操作に必要な力の絶対値が異なる形態、操作に必要な力の変化の仕方が異なる形態、これらの形態を組み合わせた形態などが例示される。
【０３００】
ここで、操作感の変化を形成するための構造としては、例えば、操作子側に突起または変形体の一方を設けると共に、操作子の操作に伴い操作子に対して相対変位される部材に突起または変形体の他方を設け、操作子の操作に伴い、変形体に突起を乗り越えさせることで、変形体を弾性的に変形させると共に初期形状に弾性的に復帰させ、その変形体の変形に伴う力の変化を利用して、操作力の変化を形成する構造が例示される。これによれば、構造を簡素化して、製品コストの低減を図ることができる。
【０３０１】
また、所定位置（連動変位部の変位位置）に近接する際の操作力の変化と、所定位置を通過した際の操作力の変化とを異ならせる構造としては、変形体を片持ち支持された棒状体とすると共に、その棒状体の突起を乗り越える位置を異ならせる（即ち、片持ちされた棒状体の根元側が突起を乗り越える形態と、先端側が突起を乗り越える形態とを形成する）ことで、操作力の変化を異ならせる構造が例示される。これによれば、操作力の変化を両者でより大きく異ならせることができると共に、近接時と通過時とで棒状体を兼用できるので、その分、部品点数を削減して、製品コストの低減を図ることができる。
【０３０２】
遊技機Ａ１からＡ１７のいずれかにおいて、前記操作子は、前記遊技球の発射強度を調整するための前記スライド変位の方向とは異なる第２の方向へ前記被保持部が変位可能に形成され、前記操作子の被保持部が前記第２の方向へ変位されることで、所定の動作が行われることを特徴とする遊技機Ａ１８。
【０３０３】
遊技機Ａ１８によれば、遊技機Ａ１からＡ１７のいずれかの奏する効果に加え、所定の動作を行うための操作（操作子の被保持部を第２の方向へ変位させる操作）を、遊技者が姿勢を変化させることを最小に抑制しつつ、容易に行わせることができる。なお、所定の動作としては、例えば、遊技球の発射の停止、遊技球の発射強度の変更（増加または減少）、操作子の初期位置への復帰の規制（被保持部のスライド変位の方向への変位の禁止または変位の抑制）などが例示される。また、遊技機Ａ３のように、連動変位部および連動解除手段を備える遊技機においては、第２の方向への被保持部の変位により、所定の動作と連動解除手段による解除との両者が行われるようにしても良い。この場合には、被保持部を第２の方向へ変位させる一の動作により、所定の動作を行うための操作と、連動解除手段による解除を行うための操作との二種類の操作を同時に行うことができる。
【０３０４】
遊技機Ａ１からＡ１８のいずれかにおいて、前記操作子の被保持部は、遊技者が把持可能な棒状に形成されることを特徴とする遊技機Ａ１９。
【０３０５】
遊技機Ａ１９によれば、遊技機Ａ１からＡ１８の奏する効果に加え、操作子の被保持部は、遊技者が把持可能な棒状に形成されるので、かかる被保持部を保持し易くすることができ、その結果、被保持部を所定の方向（例えば、スライド変位の方向、或いは、第２の方向など）へ操作する際の操作性の向上を図ることができる。
【０３０６】
遊技機Ａ１９において、前記操作子は、前記被保持部が一側に接続されると共に他側がスライド変位可能に支持される本体部を備え、その本体部の一側から前記被保持部が鉛直方向に沿って上方へ向けて立設されると共に、前記遊技球の発射強度を調整するための前記スライド変位の方向とは異なる第２の方向へ前記被保持部が変位可能に形成され、前記スライド変位の方向は、前記被保持部を水平方向に沿って変位させる方向であり、前記第２の方向は、前記被保持部を鉛直方向に沿って下降させる方向であることを特徴とする遊技機Ａ２０。
【０３０７】
遊技機Ａ２０によれば、遊技機Ａ１９の奏する効果に加え、被保持部は、本体部の一側から鉛直方向に沿って上方へ向けて立設されるので、遊技者に自然な姿勢で被保持部を保持（把持）させることができると共に、かかる被保持部を、水平方向となるスライド変位の方向および鉛直方向となる第２の方向へそれぞれ操作し易くすることができる。特に、被保持部は本体部の一側から立設されるので、被保持部を把持する際には、手の平の外縁部分を本体部に載置しておくことができ、疲労の低減を図ることができると共に、第２の方向へ変位（下降）させる際には、本体部に手の重みを作用させることができ、操作の容易化を図ることができる。
【０３０８】
遊技機Ａ１からＡ２０のいずれかにおいて、所定の動作を行うために遊技者により押し込み操作されるボタン部材を備え、そのボタン部材が前記操作子の被保持部に配設されることを特徴とする遊技機Ａ２１。
【０３０９】
遊技機Ａ２１によれば、遊技機Ａ１からＡ２０のいずれかの奏する効果に加え、所定の動作を行うために遊技者により押し込み操作されるボタン部材を備え、そのボタン部材が操作子の被保持部に配設されるので、所定の動作を行うための操作（ボタン部材の押し込み操作）を、遊技者が姿勢を変化させることを最小に抑制しつつ、容易に行わせることができる。なお、所定の動作としては、例えば、遊技球の発射の停止、遊技球の発射強度の変更（増加または減少）、操作子の初期位置への復帰の規制（被保持部のスライド変位の方向への変位の禁止または変位の抑制）などが例示される。
【０３１０】
遊技機Ａ１からＡ２１のいずれかにおいて、前記操作子の被保持部は、遊技者が手の一部を載置可能な形状に形成される載置面を備えることを特徴とする遊技機Ａ２２。
【０３１１】
遊技機Ａ２２によれば、遊技機Ａ１からＡ２１のいずれかの奏する効果に加え、操作子の被保持部は、遊技者が手の一部を載置可能な形状に形成される載置面を備えるので、例えば、操作部分を把持することができない遊技者であっても、被保持部の載置面を利用して、かかる被保持部をスライド変位の方向へ操作することができる。即ち、回転ハンドルを回転させることで遊技球の発射強度を調整する従来の遊技機では、操作部分を把持できない遊技者が遊技を行うことは困難であり、本発明のように、操作子の被保持部をスライド変位可能に形成し、その被保持部のスライド変位量に応じて遊技球の発射強度を調整する構造を採用することで、操作部分を把持できない遊技者にとって、遊技が初めて可能となったものである。
【０３１２】
遊技機Ａ１からＡ２２のいずれかにおいて、前記操作子の被保持部は、初期位置から漸次下降傾斜される方向へスライド変位されることを特徴とする遊技機Ａ２３。
【０３１３】
遊技機Ａ２３によれば、遊技機Ａ１からＡ２２のいずれかの奏する効果に加え、操作子の被保持部は、初期位置から漸次下降傾斜される方向へスライド変位されるので、かかるスライド変位の変位量を増加させる方向への操作（即ち、遊技球の発射強度を増加させる操作）を、手の重みを利用して、容易に行うことができる。また、遊技球の発射強度を一定に維持する際には、手の重みを利用して、操作子の被保持部を初期位置へ復帰させる付勢力に対抗できるので、遊技者の疲労を低減できる。なお、当該構成は、遊技機Ａ２１のように、遊技者が被保持部の載置面を利用してスライド変位を行う必要がある場合（即ち、遊技者が被保持部を把持できない場合）に特に有効となる。
【０３１４】
遊技機Ａ１からＡ２３のいずれかにおいて、前記遊技機はスロットマシンであることを特徴とする遊技機Ｂ１。中でも、スロットマシンの基本構成としては、「複数の識別情報からなる識別情報列を動的表示した後に識別情報を確定表示する可変表示手段を備え、始動用操作手段（例えば操作レバー）の操作に起因して識別情報の動的表示が開始され、停止用操作手段（ストップボタン）の操作に起因して、或いは、所定時間経過することにより、識別情報の動的表示が停止され、その停止時の確定識別情報が特定識別情報であることを必要条件として、遊技者に有利な特別遊技状態を発生させる特別遊技状態発生手段とを備えた遊技機」となる。この場合、遊技媒体はコイン、メダル等が代表例として挙げられる。
【０３１５】
遊技機Ａ１からＡ２３のいずれかにおいて、前記遊技機はパチンコ遊技機であることを特徴とする遊技機Ｂ２。中でも、パチンコ遊技機の基本構成としてはハンドル装置を備え、そのハンドル装置の操作に応じて球を所定の遊技領域へ発射し、球が遊技領域内の所定の位置に配設された作動口に入賞（又は作動口を通過）することを必要条件として、表示手段において動的表示されている識別情報が所定時間後に確定停止されるものが挙げられる。また、特別遊技状態の発生時には、遊技領域内の所定の位置に配設された可変入賞装置（特定入賞口）が所定の態様で開放されて球を入賞可能とし、その入賞個数に応じた有価価値（景品球のみならず、磁気カードへ書き込まれるデータ等も含む）が付与されるものが挙げられる。
【０３１６】
遊技機Ａ１からＡ２３のいずれかにおいて、前記遊技機はパチンコ遊技機とスロットマシンとを融合させたものであることを特徴とする遊技機Ｂ３。中でも、融合させた遊技機の基本構成としては、「複数の識別情報からなる識別情報列を動的表示した後に識別情報を確定表示する可変表示手段を備え、始動用操作手段（例えば操作レバー）の操作に起因して識別情報の変動が開始され、停止用操作手段（例えばストップボタン）の操作に起因して、或いは、所定時間経過することにより、識別情報の動的表示が停止され、その停止時の確定識別情報が特定識別情報であることを必要条件として、遊技者に有利な特別遊技状態を発生させる特別遊技状態発生手段とを備え、遊技媒体として球を使用すると共に、前記識別情報の動的表示の開始に際しては所定数の球を必要とし、特別遊技状態の発生に際しては多くの球が払い出されるように構成されている遊技機」となる。
＜その他＞
パチンコ機等の遊技機において、ハンドルベースにハンドル回動部が回動可能に取り付けられ、そのハンドル回動部の回動操作量に応じて、球の発射強度を調整するものがある。また、ハンドル回動部の回動操作により、所望の発射強度が得られた場合には、その発射強度を維持して、遊技者の疲れを軽減するべく、ハンドル回動部の回動を固定する構造のものがある（特許文献１：特開２０１２−００５７５９号公報）。
操作子（ハンドル回動部）には、付勢ばねによる付勢力が付与されており、遊技者が手を離すと、操作子の操作位置が初期位置へ復帰される。そのため、例えば、遊技を中断した場合には、操作子の操作位置を遊技を中断する前の元の操作位置に調整することが困難である。
本技術的思想は、上記例示した問題点を解決するためになされたものであり、操作子の操作位置を元の操作位置に調整しやすくできる遊技機を提供することを目的とする。
＜手段＞
技術的思想１記載の遊技機は、遊技者によって操作される操作装置を備え、その操作装置の操作量に応じて遊技球の発射強度が調整されるものであり、前記操作装置は、遊技者の操作により変位される操作子と、前記操作子の変位に連動して変位可能に形成される連動変位部と、その連動変位部が前記操作子の変位に連動して変位されることを解除する連動解除手段と、を備え、前記操作子の変位量に応じて遊技球の発射強度が調整され、前記連動変位部を基準として遊技者が前記操作子の変位位置を認識可能に形成され、前記操作子の変位に連動して変位することが前記連動解除手段により解除された前記連動変位部の変位位置に対し、前記操作子の変位位置が近接されると、その操作子を変位させる際の操作抵抗が変化される。
技術的思想２記載の遊技機は、技術的思想１記載の遊技機において、前記操作子の変位に連動して変位することが前記連動解除手段により解除された前記連動変位部の変位位置に対し、その連動変位部の変位位置を前記操作子が通過すると、その操作子を変位させる際の操作抵抗が変化される。
技術的思想３記載の遊技機は、技術的思想２記載の遊技機において、前記操作子の変位に連動して変位することが前記連動解除手段により解除された前記連動変位部の変位位置に対し、前記操作子の変位位置が近接された場合のその操作子を変位させる際の操作抵抗の変化と、前記連動変位部の変位位置を前記操作子が通過する場合のその操作子を変位させる際の操作抵抗の変化とが異なるものである。
＜効果＞
技術的思想１記載の遊技機によれば、連動変位部を基準として遊技者に操作子の変位位置を認識させることができる。よって、遊技球の発射強度が所望の発射強度となる変位位置に操作子が調整された後に、例えば、遊技を中断するために、操作子の変位位置が初期位置へ復帰された場合、或いは、例えば、右打ちをするために、操作子の変位位置が最大変位位置へ変更された場合であっても、遊技者は、連動変位部を基準とする操作子の変位位置の認識に基づいて、操作子の変位位置を元の変位位置（即ち、遊技を中断する前や右打ちする前の変位位置）に調整する（復帰させる）ことができる。よって、操作子の変位位置を元の変位位置へ調整する操作を、正確かつ迅速に行うことができる。
この場合、連動変位部が操作子の変位に連動して変位されることを連動解除手段により解除することができる。即ち、連動変位部の変位が操作子の変位に連動することを連動解除手段により解除することで、連動変位部を、操作子の変位から切り離して、その切り離された際の変位位置に留まらせる（固定する）ことができる。これにより、遊技球の発射強度が所望の発射強度となる変位位置に操作子が調整された状態において、連動解除手段による解除を行うことで、連動変位部を所定の変位位置に留まらせて（固定して）おき、操作子を元の変位位置へ調整する（復帰させる）際の基準とすることができる。よって、操作子の変位位置を元の変位位置へ調整する際に、その調整操作を正確かつ迅速に行うことができる。
更に、操作子の変位に連動して変位することが連動解除手段により解除された連動変位部の変位位置に対し、操作子の変位位置が近接されると、その操作子を変位させる際の操作抵抗が変化されるので、操作子の変位位置を元の変位位置（即ち、連動変位部の変位位置）に調整する際には、連動変位部と操作子との相対的な位置関係を視認し続けてなくても、操作子が元の変位位置に近づいたことを、その操作抵抗の変化に基づいて遊技者に認識させることができる。これにより、操作子の変位位置を元の変位位置へ調整する際の操作性の向上と手間の軽減とを図ることができる。
技術的思想２記載の遊技機によれば、技術的思想１記載の遊技機の奏する効果に加え、操作子の変位に連動して変位することが連動解除手段により解除された連動変位部の変位位置に対し、その連動変位部の変位位置を操作子が通過すると、その操作子を変位させる際の操作抵抗が変化されるので、操作子の変位位置を元の変位位置（即ち、連動変位部の変位位置）に調整する際には、連動変位部と操作子との相対的な位置関係を視認し続けてなくても、操作子が元の変位位置を通過したことを、その操作抵抗の変化に基づいて遊技者に認識させることができる。これにより、操作子の変位位置を元の変位位置へ調整する際の操作性の向上と手間の軽減とを図ることができる。
技術的思想３記載の遊技機によれば、技術的思想２記載の遊技機の奏する効果に加え、操作子の変位に連動して変位することが連動解除手段により解除された連動変位部の変位位置に対し、連動変位部の変位位置に操作子が近接する際の操作抵抗の変化と、連動変位部の変位位置を操作子が通過する際の操作抵抗が変化とが異なるものとされるので、連動変位部と操作子との相対的な位置関係を視認し続けてなくても、操作子が元の変位位置に近づいたのか、或いは、元の変位位置を通過したのか、を遊技者に認識させることができる。これにより、操作子の変位位置を元の変位位置へ調整する際の操作性の向上と手間の軽減とを図ることができる。
【符号の説明】
【０３１７】
１０                                  パチンコ機（遊技機）
５１、２０５１，３０５１，４０５１，５０５１  ハンドル装置（操作装置）
７００                                回転軸部（操作子の一部）
７１１ｃ                              段差面（係合部または被係合部、結合部材）
７９０ 弾性片（第１抵抗手段の一部、第２抵抗手段の一部）
８００，２８００，３８００，４８００，５８００  操作子
８１０                                本体部
８３０，５８３０                      被保持部
５８３１                              載置面
８９４                                目印
９００                                連動変位部
９１１ｃ                              段差面（被係合部または係合部、結合部）
９１３ 第１突起（第１抵抗手段の一部）
９１４ 第２突起（第２抵抗手段の一部）
Ｐｍｉｎ 初期位置